(57)【要約】 【課題】表示装置の画素を駆動する走査線と信号線の駆動電圧を駆動等価回路によりシミュレーション可能とする。【解決手段】(Ａ）と（Ｂ）で表される走査線駆動は、Rx=ΣREを走査線と共通線の配線抵抗、Cx=ΣCEを走査線と共通線のキャパシタ、mを交点数およびTとAをmにより定まる係数とし、駆動等価回路は駆動回路に対応する電源XとキャパシタンスCxのキャパシタCXと抵抗値Rx/Tの抵抗Rxhの直列回路からなる構成とし、CX間の電圧が走査線終端点の画素の駆動電圧V(t)dであり、Vrefを0、駆動パルスの振幅をVoおよび駆動回路の出力抵抗をRoxすれば、駆動等価回路によりV(t)dはVo*{1-A*exp(-t/((Rxh+(Rox/T)*Cx))}であり、mが30以上の場合、(4/π)-0.01≦A≦(4/π)+0.01と(π/2)^2-0.01≦T≦(π/2)^2+0.01である。【選択図】  図１
2006244523.tif 000002
【特許請求の範囲】
【請求項１】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性をシミュレーションする方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれることを特徴とする表示装置のシミュレーション方法。
【請求項２】
RoxとRoyそれぞれは前記装置Xと前記装置Yの出力抵抗、Voは前記装置Xあるいは前記装置Yが出力する前記Vrを基準としたときの振幅Voのパルス電圧およびtはVoが出力されてからの経過時間であり、
前記電源XはRoxの出力抵抗で前記Voを出力し、前記VxをVo*{1-A*exp(-t/((Rxh+Rox)*Cx))}とVo*{1-A*exp(-t/((Rxh+Rox/T)*Cx))}のいずれか一つとすることと
前記電源YはRoyの出力抵抗で前記Voを出力し、前記VyをVo*{1-A*exp(-t/((Ryh+Roy)*Cy))}とVo*{1-A*exp(-t/((Ryh+Roy/T)*Cy))}のいずれかと一つとすることから少なくとも一つが選ばれることを特徴とする請求項１記載の表示装置のシミュレーション方法。
【請求項３】
Pは前記走査線あるいは前記信号線の片端から数えた画素数であり、前記走査線の両端から駆動される前記装置Xが装置X1と装置X2から構成される表示装置の前記駆動等価回路は、走査線駆動電圧が最小となる走査線の前記P位置を前記走査線終端点とし、前記Rxhをほぼ(P/N)*(Rx/T)の抵抗および前記CXをほぼ(P/N)*Cxのキャパシタとすることと前記信号線の両端から駆動される前記装置Yが装置Y1と装置Y2から構成される表示装置の前記駆動等価回路は、信号線駆動電圧が最小となる信号線の前記P位置を前記信号線終端点とし、前記Ryhをほぼ(P/M)*(Ry/T)の抵抗および前記CYをほぼ(P/M)*Cyのキャパシタとすることから少なくとも一つが選ばれることを特徴とする請求項１記載の表示装置のシミュレーション方法。
【請求項４】
Rox1とRox2それぞれを前記装置X1と前記装置X2の出力抵抗とし、走査線の前記Pを{Rx/Rox1+T*(Rox2/Rox1)}/{T*(1+Rox2/Rox1)+2*Rx/Rox1}とすることとSx1とSx2それぞれを前記装置X1と前記装置X2のスルーレートとし、走査線の前記PをSx1/(Sx1+Sx2)とすることからいずれか一つとすること、
Roy1とRoy2それぞれを前記装置Y1と前記装置Y2の出力抵抗とし、信号線の前記Pを{Ry/Roy1+T*(Roy2/Roy1)}/{T*(1+Roy2/Roy1)+2*Ry/Roy1}とすることとSy1とSy2それぞれを前記装置Y1と前記装置Y2のスルーレートとし、信号線の前記PをSy1/(Sy1+Sy2)とすることからいずれか一つとすること、とから少なくとも一つが選ばれることを特徴とする請求項３記載の表示装置のシミュレーション方法。
【請求項５】
RoxとRoyそれぞれは前記装置Xと前記装置Yの出力抵抗、Voは前記装置Xあるいは前記装置Yが出力する前記Vrを基準としたときの振幅Voのパルス電圧、tはVoが出力されてからの経過時間、Σ[n=1,s]f(n)はf(1)+f(2)+…+f(s)およびsは所定の値であり、
前記V(x,t)をLx=(dX+x)/(dX+N)としてV(x,t)=Vo-Vo*A*Σ[n=1,s]{1/(2*n-1)}*sin((2*n-1)*Lx*π/2)*exp(-(2*n-1)^2*T*t/(Rx+T*Rox))とすること、
前記V(y,t)をLy=(dY+y)/(dY+M)としてV(y,t)==Vo-Vo*A*Σ[n=1,s]{1/(2*n-1)}*sin((2*n-1)*Ly*π/2)*exp(-(2*n-1)^2*T*t/(Ry+T*Roy))とすること、
前記x個目の画素の電流I(x,t)をDx=(dX+x)/(dX+N)としてI(x,t)=(2*Vo/(Rx+T*Rox))*Σ[n=1,s]cos((2*n-1)*Lx*π/2)*exp(-(2*n-1)^2*T*t/(Rx+T*Rox))とすること
前記y個目の画素の電流I(y,t)をLy=(dY+y)/(dY+M)としてI(y,t)=(2*Vo/(Ry+T*Roy))*Σ[n=1,s]cos((2*n-1)*Ly*π/2)*exp(-(2*n-1)^2*T*t/(Ry+T*Roy))とすること、とから少なくとも一つが選ばれることを特徴とする請求項１記載の平面型表示装置のシミュレーション方法。
【請求項６】
前記走査線の両端から駆動される前記装置XはRox1の出力抵抗を有する装置X1とRox2の出力抵抗を有する装置X2から構成され、前記駆動等価回路は、電源Xを装置X1に対応付けられる電源およびPxを{Rx/Rox1+T*(Rox2/Rox1)}/{T*(1+Rox2/Rox1)+2*Rx/Rox1}とし、NをPx*Nの整数値とすること、
前記信号線の両端から駆動される前記装置YはRoy1の出力抵抗を有する装置Y1とRoy2の出力抵抗を有する装置Y2から構成され、前記駆動等価回路は、電源Yを装置Y1に対応付けられる電源およびPyを{Ry/Roy1+T*(Roy2/Roy1)}/{T*(1+Roy2/Roy1)+2*Ry/Roy1}とし、MをPy*Mの整数値とすること、とからいずれか一つが選ばれることを特徴とする請求項１と５記載の表示装置のシミュレーション方法。
【請求項７】
tuとtmとtbは時間を表す変数、Vx(t)=Vo*{1-A*sin(Dx*π/2)*exp(-T*t/(Rx+T*Rox))}、関数１は前記V(x,t)のおおよそ中央部とVx(tu)とを結ぶ対数関数、関数２は前記V(x,t)のおおよそ中央部とVx(tb)とを結ぶ対数関数および関数３はVx(tu)とV(x,tb)を結ぶ対数関数であり、
前記V(x,t)を
tb≦t＜tmにおいて前記関数２とし、tm≦t＜tuにおいて前記関数１とすることとtb≦t＜tuにおいて前記関数３とすることからいずれか一つが選ばれることと 
tu≦tにおいて前記走査線上の駆動電圧を前記Vx(t)とすることを特徴とする請求項５記載の表示装置のシミュレーション方法。
【請求項８】
前記装置Xの出力回路の入力端子と出力端子の電圧をそれぞれVinとVoutとし前記Vinを正弦波とすれば、前記装置Xの切断周波数fcxはVout/Vinがほぼ0.707を満たす前記Vinの周波数、αf=1/(2*π*fcx)、dv=dX/(dX+N)およびI(x,tp)は前記I(x,t)のピーク値であり、前記V(x,t)がVo*{1-exp(-t/αf)}に接する前記Lxの値を前記dvとすることと 
Vo-I(x,tp)をほぼ0にする前記Lxの値を前記dvとすることからいずれか一つが選ばれ、前記走査線の駆動端電圧をLx=dvの前記V(x,t)とすることを特徴とする請求項５記載の表示装置のシミュレーション方法。
【請求項９】
前記Rxを前記走査線の抵抗値とすることと前記Ryを前記信号線の抵抗値とすることから少なくとも一つが選ばれることを特徴とする請求項１と３〜７記載の表示装置のシミュレーション方法。
【請求項１０】
前記走査線の駆動等価回路に用いるAとTを、N≧50で(4/π)-0.01≦Aと(π/2)^2-0.01≦Tとすること、30≦N＜50で1.26≦A≦1.28と2.44≦T≦2.46とすること、20≦N＜30で1.26≦A≦1.27と2.41≦T≦2.44とすること、10≦N＜20で1.25≦A≦1.27と2.26≦T≦2.41とすること、6≦N＜10で1.23≦A≦1.26と2.06≦T≦2.24とすること、2≦N＜6で1.16≦A≦1.26と2.06≦T≦2.24とすること、
前記信号線の駆動等価回路に用いるAとTを、M≧50で(4/π)-0.01≦Aと(π/2)^2-0.01≦Tとすること、30≦M＜50で1.26≦A≦1.28と2.44≦T≦2.46とすること、20≦M＜30で1.26≦A≦1.27と2.41≦T≦2.44とすること、10≦M＜20で1.25≦A≦1.27と2.26≦T≦2.41とすること、6≦M＜10で1.23≦A≦1.26と2.06≦T≦2.24とすること、2≦M＜6で1.16≦A≦1.26と2.06≦T≦2.24とすること、とを特徴とする請求項１から７記載の表示装置のシミュレーション方法。
【請求項１１】
表示装置  97
前記表示パネルを液晶パネルとすることと有機ＥＬパネルとすることとプラズマ表示パネルとすることからいずれか一つが撰ばれることを特徴とする請求項１記載の表示装置のシミュレーション方法。
【請求項１２】
請求項１から請求項１１に記載の表示装置のシミュレーション方法を用いたことを特徴とする表示装置。
【請求項１３】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路を記録したコンピュータ読み取り可能な記録媒体であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれる、等価駆動回路を記録したことを特徴とするコンピュータ読み取り可能な記録媒体。
【請求項１４】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性のシミュレーションを実行するためのプログラムであって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ、
前記プログラムは、
前記駆動等価回路を受け付けるステップと、前記駆動等価回路の回路定数と駆動条件からなるパラメータを受け付けるステップと、前記駆動等価回路と前記パラメータにより、前記画素の駆動電圧を計算するステップと、計算された前記画素の駆動電圧を出力するステップとをコンピュータに実行させることを特徴とするシミュレーションプログラム。
【請求項１５】
請求項１４に記載のプログラムを記録したことを特徴とするコンピュータ読み取り可能な記録媒体。
【請求項１６】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性のシミュレーションをするためのシステムであって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ、
前記システムは、
前記駆動等価回路を受け付ける手段と、前記駆動等価回路の回路定数と駆動条件からなるパラメータを受け付ける手段と、
前記駆動等価回路と前記パラメータにより、前記画素の駆動電圧を計算する手段と、
計算された前記画素の駆動電圧を出力する手段とを備えることを特徴とするシミュレーションシステム。
【請求項１７】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性を解析する方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ
前記方法は、
前記駆動等価回路の回路定数と駆動条件からなるパラメータを作成するステップと、    前記パラメータから解析パラメータを指定するステップと、
前記解析パラメータに対応付けられる項目を前記表示装置から測定するステップと、
前記パラメータの値から前記項目の値を計算するステップと、
前記項目の測定値と前記項目の計算値との差を最小とする前記解析パラメータの値を計算するステップとを備えたことを特徴とする表示装置の駆動解析方法。
【請求項１８】
M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、前記画素を最適に駆動するように表示装置を設計する方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ
前記方法は、
前記駆動等価回路を作成するステップと、前記駆動等価回路の回路定数と駆動条件からなるパラメータに対応付けられる前記表示装置の設計パラメータとその条件を作成するステップと、
前記パラメータの値と前記駆動条件から前記画素を最適駆動させる設計パラメータの値を決定するステップと、設計パラメータの決定値に基づき前記表示装置を制作するステップと、とからなることを特徴とする表示装置の設計方法。
【請求項１９】
複数の信号線と複数の走査線とをマトリクス状に配線して交点に画素を形成し、その動作点を定める基準電圧が加えられる共通線が形成された表示パネルと前記信号線を駆動する駆動回路Yと前記走査線を駆動する駆動回路Xとを備えた表示装置において、
Aは(4/π)-0.01から(4/π)+0.01の定数、Tは(π/2)^2-0.01から(π/2)^2+0.01までの定数、Rxは前記走査線の抵抗と前記共通線の抵抗から少なくとも一が選ばれる抵抗、Cxは前記走査線と前記共通線間のキャパシタンス、Ryは前記信号線の抵抗と前記共通線の抵抗から少なくとも一つが選ばれる抵抗およびCyは前記信号線と前記共通線間のキャパシタンスであり、
Voは前記駆動回路Xが前記走査線の駆動端に出力する振幅Voのパルス電圧、tonは前記Voが出力されてから走査線終端の画素が動作を開始する時間およびVonは前記tonでの前記走査線の終端電圧とし、前記駆動回路Xの出力抵抗Roxは0＜Rox≦-ton/{Cx*ln((1-Von/Vo)*A}-Rx/Tとすることを特徴とする表示装置。
【請求項２０】
前記駆動回路Xは前記走査線を選択する前記Voと非選択する電圧を出力し、前記非選択する電圧が出力されてから前記走査線終端の画素が動作を停止させる時間および前記toffでの前記走査線の終端電圧をVoffとすれば、
前記tonをほぼ-{(Rox+Rx/T)*Cx}*ln{(1-Von/Vo)/A}とし、前記信号線の駆動電圧は前記tonより早く立ち上がること、
前記toffをほぼ-{(Rox+Rx/T)*Cx}*ln{Voff/(Vo*A)}とし、前記走査線の駆動電圧は前記信号線の駆動電圧より前記toffより早く立ち下がること、
前記信号線駆動電圧のパルス幅を少なくとも前記tonと前記toffの和から水平走査時間までとすること、とから少なくとも一つが選ばれることを特徴とする請求項１９記載の表示装置。
【請求項２１】
複数の信号線と複数の走査線とをマトリクス状に配線して交点に画素を形成し、その動作点を定める基準電圧が加えられる共通線が形成された表示パネルと前記信号線を駆動する駆動回路Yと前記走査線の駆動する駆動回路Xとを備えた表示装置において、
Tは(π/2)^2-0.01から(π/2)^2+0.01までの定数、前記走査線の抵抗と前記共通線の抵抗から少なくとも一つが選ばれる抵抗をRxおよび前記信号線の抵抗と前記共通線の抵抗から少なくとも一つが選ばれるをRyとし、
前記走査線の片方の端子からの駆動可能な駆動回路の出力抵抗をRoxとすれば、前記駆動回路Xを前記走査線の両端それぞれを駆動する装置X1と装置X2から構成し、前記装置X1と前記装置X2の出力抵抗RoxWを0＜RoxW≦{1.5*Rx/T+Rox/T}とすることと前記信号の片方の端子からの駆動可能な駆動回路の出力抵抗をRoyとすれば、前記駆動回路Yを前記信号線の両端それぞれを駆動する装置Y1と装置Y2から構成し、前記装置Y1と前記装置Y2の出力抵抗RoyWを0＜RoyW≦{1.5*Ry/T+Roy/T}とすることから少なくとも一つが選ばれることを特徴とする平面型表示装置。
【請求項２２】
前記装置X1と前記装置X2は前記走査線を選択する振幅Voのパルス電圧と非選択する電圧を出力し、終端点は走査線駆動電圧が最少となる画素の位置であり、
tonは前記Voが出力されてから前記終端点の画素が動作を開始する時間、Vonは前記tonでの走査線駆動電圧、toffは前記非選択する電圧が出力されてから前記終端点の画素が動作を停止する時間およびVoffは前記toffでの走査線駆動電圧であり、Rox1とRox2それぞれを前記装置X1と前記装置X2の出力抵抗およびPを{Rx/Rox1+T*(Rox2/Rox1)}/{T*(1+Rox2/Rox1)+2*Rx/Rox1}とすれば、
前記tonを-{(Rox1+P*Rx/T)*Cx}*ln{(1-Von/Vo)/A}とし、前記信号線の駆動電圧は前記tonより早く立ち上がること、
前記toffを-{(Rox1+Rx/T)*Cx}*ln{Voff/(Vo*A)}とし、前記走査線の駆動電圧は前記信号線の駆動電圧より前記toff早く立ち下がること、
前記信号線駆動電圧のパルス幅を前記走査線のtonと前記toffの和から水平走査時間までとすること、とから少なくとも一つが選ばれることを特徴とする請求項２１記載の表示装置。
【請求項２３】
前記Roxを0とすることと前記Royを0とすることから少なくとも一つが選ばれることを特徴とする請求項２１記載の平面型表示装置。
【請求項２４】
請求項１２と請求項１９から請求項２３に記載の平面型表示装置を用いたことを特徴とする電子機器。
【発明の詳細な説明】
【技術分野】
【０００１】
この発明は液晶パネルあるいはプラズマパネルあるいは有機ELパネル等のマトリクス型表示パネルを用いた表示装置のシミュレーション技術、特に走査線あるいは信号線駆動を対応付ける等価回路を用いた表示装置の最適駆動技術に関する。
【背景技術】
【０００２】
情報通信分野に不可欠である平面型表示パネル、半導体記憶デバイスおよび撮像デバイス等の電子デバイスは、座標軸のｙ方向とｘ方向に絶縁体を挟んで導体が形成され、ｙ方向とｘ方向に形成される導体の交点には表示素子、記憶素子あるいは撮像素子が配置されるマトリクス構造を有する。以降、マトリクス構造を有する電子デバイスをＭ型デバイスと略する。
【０００３】
上記のＭ型デバイスには、液晶パネル（以降、ＬＣＤと略す）、プラズマ表示パネル（以降、ＰＤＰと略す）および有機ＥＬパネル（以降、ＥＬＤと略す）等の平面型表示パネル、ＲＯＭあるいはＲＡＭ等の半導体記憶デバイスおよび電荷結合素子（以降、ＣＣＤと略す）等の撮像デバイスが該当する。
【０００４】
Ｍ型デバイスのｙ方向とｘ方向に形成される導体をそれぞれ信号線と走査線とする。信号線と走査線との交点に形成される表示素子（画素ともいう）、記憶素子あるいは撮像素子を機能素子と定める。機能素子はＭ型デバイスの基本的な構成単位である。
機能素子は、液晶や有機ＥＬ等の有機物質（絶縁体）、ＰＤＰに使用される気体およびトランジスタあるいはＣＣＤ等の半導体素子等もしくはこれらの複合体からなる。
【０００５】
信号線および走査線の駆動端から機能素子に適正な電気信号を送り、Ｍ型デバイスの性能を十分に発揮させる適正な駆動を実現するには  機能素子に適正な電気信号を加えねばならない。電気信号は信号線および走査線の駆動端に加えられ、信号線および走査線によって機能素子に伝達される。
【０００６】
信号線および走査線等の駆動端に電気信号を加えることを駆動と呼び、Ｍ型デバイスの性能を十分に発揮させることを適正な駆動あるいは最適駆動と呼ぶことにする。最適駆動を実現するには、機能素子に加わる電気信号を正確に求めることが望まれる。さらに、機能素子に加わる電気信号を解析することにより、より性能が優れたＭ型デバイスおよびその駆動法を開発することが可能である。
【０００７】
信号線あるいは走査線と機能素子とを含めて電気的に等価な回路で記述すると、機能素子に加わる適正な電気信号を求めることによりＭ型デバイスの適正駆動が実現できる。
【０００８】
従来から、信号線あるいは走査線と機能素子とを含めた等価回路として抵抗とキャパシタからなるはしご形回路が用いられ、機能素子に加わる電気信号が計算されている。以下にそのはしご形回路について説明する。
【０００９】
図１０６はＭ型デバイスの概略の構成図である。８５は信号線、８６は走査線である。８７は機能素子である。８８は８５あるいは８６の駆動端子である。８９は８５を駆動する信号線駆動回路および９０は８６を駆動する走査線駆動回路である。８９および９０を総称する場合には単に駆動回路と呼ぶ。
【００１０】
９１は８５あるいは８６の終端である。９３はＭ型デバイスである。９２は共通端子で、９３の内部に配線される共通線（共通配線ともいう）に接続される。共通線は８５あるいは８６に加えられる電気信号の基準となる電圧が加えられる。
【００１１】
図１０７はＭ型デバイスの機能素子を説明する図である。ａ、ｂおよびｃは８７の端子である。端子ａ、ｂおよびｃはそれぞれ８５、８６および９４に接続される。９４は共通線である。
【００１２】
図１０６および図１０７は８７の端子数が３のＭ型デバイスを一例にした構成図である。端子数が２の８７を有するＭ型デバイスもある。端子数が３の機能素子にはトランジスタ等の能動素子が形成され、端子数が２の機能素子には能動素子が形成されない。
【００１３】
以降、トランジスタ等の能動素子が形成されたＭ型デバイスをアクティブＭ型デバイスおよび能動素子が形成されないＭ型デバイス（表示デバイスに多い）を受動Ｍ型デバイスと表記する。なお、受動Ｍ型デバイスについても図１０６の符号を用いる。
【００１４】
図１０６および図１０７はアクティブＭ型デバイスの構成の一例を示す図である。受動Ｍ型デバイスは図１０６から９２を削除した構成である。受動Ｍ型デバイスの機能素子は図１０７から９４を削除した構成で、端子ａおよびｂの２端子からなる。
【００１５】
８７は８７の損失を無視した場合にキャパシタと半導体素子で記述される。受動Ｍ型デバイスは信号線と走査線との間に固体あるいは気体等の誘電物質（酸化膜、液晶層、ＥＬ層あるいは放電用ガス）を挟み込む構造（サンドイッチ構造とも呼ばれる）であり、機能素子をキャパシタで表すことができる。
【００１６】
Ｍ型デバイスの駆動には線順次駆動が用いられる。線順次駆動は、走査線を順次選択走査し、選択した走査線上の機能素子に所定の電気信号を加える駆動である。選択される走査線に加えられる電圧をＶ２、非選択の走査線に加えられる電圧をV1とする。
【００１７】
図１０８は受動Ｍ型デバイスの駆動を説明する図である。受動Ｍ型デバイスの駆動には線順次駆動が用いられる。図１０８のキャパシタは８７を表す。８５および８６の本数はそれぞれＭおよびＮである。選択されたｘｊにはＶ２およびｘｊ以外の８６にはＶ１が加えられる。
【００１８】
図１０８において、８７のキャパシタンスをcpおよび８６の機能素子当たりの抵抗をrxとする。容量結合により、ｘｊはキャパシタンスが{n/(n-1)}*cpのキャパシタとrxからなるはしご形回路で表すことができる。
【００１９】
図１０９は走査線と共通線をはしご形回路で表した図である。Ｍは数百以上あるのでcx=cpが成り立つ。ｘｊを除く８６にはＶ１が加えられるので、受動型の共通線はＶ１が加えられる８６を並列に接続した８６からなり、９４と同様の働きする。９５は並列に接続した８６の駆動端子で９２に相当する。受動型の共通線は９４と見なせる。
【００２０】
ほぼすべての８６にV1が加えられるので、８６と同様に８５もはしご形回路で表すことができる。図１１０は信号線と共通線をはしご形回路で表した図である。ryは機能素子当たりの信号線の抵抗で、cyはほぼ機能素子のキャパシタンスでcy=cpである。
【００２１】
図１０９および図１１０に示すように受動M型デバイスの信号線と走査線は、機能素子を単位にした抵抗とキャパシタによるはしご形回路で表すことができる。なお、受動型の共通線の抵抗はほぼ０と見なしている。
【００２２】
図１１１はアクティブM型デバイスの構成を説明する図である。図１１１の符号は図１０６および図１０７と同じ符号を用いる。９６は電界効果トランジスタ（ＦＥＴ略す）で、８７に形成される能動素子である。９７は８７のキャパシタである。図１１１は８７を９６と９７で表した図である。
【００２３】
８５の８８に加えられた電気信号は、選択された８６に接続するＦＥＴ９６を経由して各キャパシタ９７に加えられる。ＦＥＴ９６はアナログスイッチとして機能する。共通端子９２には機能素子８７の動作点を定める電圧が加えられる。
【００２４】
機能素子の動作点を定める電圧を基準電圧とする。９２は基準電圧を加える電極で９４は基準電圧の電位になる。図１０９で説明したように、受動M型デバイスでは非選択の８６が９４の機能を果たすので、９２を必要としないのである。
【００２５】
図１１２はアクティブM型デバイスの走査線と共通線と表す等価回路の一例を示す図である。cdは９７である。cxは８５（図１１１ではxjで示す）と９２間の８７当たりのキャパシタである。rxはxjの８７当たりの抵抗である。９４の抵抗はほぼ０と見なしている。
【００２６】
cxにcdを含めると、アクティブM型デバイスの８５も、図１０９と同様のはしご形回路で表すことができる。同様に、アクティブM型デバイスの８５もはしご形回路の等価回路で表せる。
【００２７】
通常、信号線あるいは走査線はパルス駆動される。信号線あるいは走査線と共通線は、はしご形回路を形成するために駆動パルスが歪み、駆動端近くと終端近傍とに配置される機能素子それぞれに加わる電気信号の波形が互いに異なる。
【００２８】
駆動パルスの歪みが大きい場合に当初予測した機能素子の性能が十分に発揮されない不具合が発生する。表示パネルのように外形寸法が大きく信号線および走査線が長くなる場合に、波形歪みの影響が顕著になり画像品位が劣化する。勿論、表示パネルに限るものではなく、M型デバイスは波形歪みの影響を受ける。
【００２９】
図１１３は波形歪みの一例を示す模式図である。V(j,1)、V(j,2)、…、V(j,M)は、xjと８５との交点電圧で、図１０９あるいは図１１２のcxの端子電圧に該当する。Vysは信号線の駆動端に加えられる電圧である。図１１３ではVysの波形歪みを無視する。
【００３０】
Tpは８６を選択する時間で駆動パルスの幅である。1Hは水平走査期間である。V1およびV2はそれぞれ走査線駆動の非選択電圧と選択電圧を表す。Vgは機能素子に必要な最小電圧とする。
【００３１】
V(j,M)は８６の終端電圧。V(j,1)は８６の駆動端の電圧である。tdは遅延時間である。V(j,M)には抵抗とキャパシタによるtdによる波形歪みが生じる。受動M型デバイスでは８５の駆動電圧と８５の駆動電圧とを加算した電圧が機能素子に加わるから、８６の駆動端(j,1)および終端(j,M)に位置する機能素子の電圧はそれぞれ 
Vs+V(j,1)およびVs+V(j,M)である。波形歪みにより、Vs+V(j,1)とVs+V(j,M)は異なる波形になる。
【００３２】
アクティブM型デバイスでは、Vgは９６がオンする電圧としV1は９６がオフする電圧とすると、tdが大きくなると、xjの終端に接続する機能素子に加わるVysが、xj+1の終端に接続される機能素子に加わる。
【００３３】
そのためにcdには適正なVysが加えられず、Ｍ型デバイスの性能が発揮できなくなる。cdは、Ｍ電子デバイスの記憶素子、撮像素子および表示素子（画素とも呼ばれる）等に該当する。
【００３４】
受動あるいはアクティブM型デバイスのいずれにおいても波形歪みの影響を小さくするには、tdを小さくして、さらにTpを１Ｈより小さくしなければならない。
【００３５】
走査線を例にして機能素子に与える波形歪みの影響を示した。信号線と共通線についても同様に波形歪みの影響を受ける。信号線あるいは走査線と共通線とをはしご形回路に置き換えて、置き換えたはしご形回路から駆動パルスの波形歪みを数値化できれば、より優れた駆動方法、駆動回路あるいはＭ型デバイスの設計・開発が実現可能である。
【００３６】
波形歪みを数値化するには、少なくとも図１０９、図１１０あるいは図１１２に示す、はしご形回路の終端電圧を求めることが要求される。パルス駆動時のはしご形回路の終端電圧を得るには、はしご形回路の過渡現象の解が必要で、過渡現象の解は複雑な微分方程式の解法が必要である困難な場合が多い。
【００３７】
これ以降で用いる関数の表記と四則演算記号ついて定義しておく。足し算、引き算、掛け算および割り算にそれぞれ+、-、*、/を使用する。ｅ(e=2.718・・・)のｎ乗をexp(n)、ｘのｙ乗をx^yと表す。
【００３８】
自然対数関数をln(x)、常用対数関数をlog(x)、三角関数をsin(x)、cos(x)、tan(x)とする。Σ[n=1,3]n*sin(n*π)と表記してn=1からn=3までの和、すなわちΣ[n=1,3]n*sin(n*π)=sin(π)+2*sin(2*π)+3*sin(3*π)とする。
【００３９】
図１１４は従来の波形歪み近似計算法を示す図である。９８は振幅がVoのパルス電源である。図１１４（Ａ）は走査線の駆動をパルス電源とはしご形回路で表した図である。９８は９０を表す。
【００４０】
図１１４のV(j,1)〜V(j,M)を求めることは大変に難しいので、図１１４（Ｂ）に示す走査線の駆動モデルによりV(j,M)を計算する方法が従来より用いられている。図１１４（Ｂ）は従来の波形計算法を説明する図である。
【００４１】
Roは８９あるいは９０の出力抵抗である。Voは電圧がVoの電源である。SWはスイッチである。RjuおよびCjuはそれぞれ抵抗およびキャパシタンスである。
図１１４（Ｂ）では、９０をVo、RoおよびSWからなる回路に置き換えて、８６をRjuとCjuの直列回路に置き換えて、V(j,M)≒VjuからV(j,M)を求める従来の波形計算法を示す。
【００４２】
ｔを時間とする。（数１）はt=0でSWを閉じたときのVjuの計算式である。Rju=M*cxおよびCju=M:*Cxである。V(j,M)≒Vjuが成り立つ場合には、Vjuは（数１）から容易に計算できるので、走査線の波形歪みは計算可能になる。
【００４３】
【数１】
2006244523.tif 000003
【００４４】
tdは（数１）から容易に計算できるうえ、（数１）には駆動回路の出力抵抗Roが含まれるので駆動回路による波形歪みの影響が数値化できる。V(j,M)≒Vjuが成り立つ場合には（数１）は有効な波形計算式になる。（数１）による波形計算法を従来の波形計算法１と定める。
【００４５】
図１１４（B)に示すRjuとCjuからなる直列回路を１組ＲＣ回路と表記する。図１０９、図１１０、図１１２および図１１４に示すはしご形回路は、１組ＲＣ回路がＭ組縦列接続される構成を有するのでＭ組ＲＣ回路と表記する。
【００４６】
特許第２９５０８０８号公報には、同軸ケーブルの等価回路を分布定数回路で表し解析した結果（波形歪みの解析結果を指す）を利用した波形計算法が記載されている。特許第２９５０８０８号に記載される波形計算法を従来の波形計算法２と表記する。
【００４７】
図１１５は分布定数回路による波形歪み解析を説明する図である。導線１および２は同軸ケーブルあるいは平行導線等が該当する。ｌは駆動端からの長さで、Lは導線１および２の長さである。
【００４８】
V(l,t)およびV(L,t)はt=0でSWを閉じてVoを駆動端に加えたときの電圧を示す。V(l,t)はｌにおける電圧およびV(L,t)は終端電圧である。I(l,t)は導線上の電流である。なお、終端は開放されており、導線１の抵抗が導線２の抵抗より十分大きく、導線２の抵抗がほぼ０と見なせる場合である。
１６は導線１および２の分布定数回路を示す図である。ｒとｃからなるはしご形回路は分布定数回路で、導線１および２の等価回路である。図１１６に示すｒとｃの分布定数回路で表すことができる。ｒは導線１および２の単位長さあたりの導線抵抗である。ｃは導線１と導線２間の単位長さあたりのキャパシタンスである。（数２）はV(l,t)およびI(l,t)の計算式である。
【００４９】
（数２）の導出にはフーリエ級数あるいはラプラス変換等の数学的な手段が用いられる。（数２）の説明は紙数を要するので省略する。
【００５０】
図１１６による解析は、英仏海峡に海底ケーブルが敷設され、電信の通信が行われたとき、受信された電信波形の歪みが非常に大きかったことから、W.Thomsonが海底ケーブルを図１１５の分布定数回路として解析を行いその理論的解明をしたことによる。（数２）は分布定数回路の過渡現象の基本として著明であり、電子通信学会大学講座「基礎電気回路３過渡・非線形編」等の電気回路に関する多数の教科書に記載されているものである。
【００５１】
【数２】
2006244523.tif 000004
【００５２】
図１１４のＭ組ＲＣ回路あるいは図１１６の分布定数回路を構成する抵抗とキャパシタをそれぞれ要素Ｒおよび要素Ｃとする。図１０９、１１０のrx、ry、cx、cyが該当する。図１１６のrとcは分布定数回路の要素Ｃおよび要素Ｃである。
【００５３】
Ｍ組ＲＣ回路および分布定数回路の抵抗を要素Ｒの総和とする。Ｍ組ＲＣ回路および分布定数回路のキャパシタンスを要素Ｃの総和とする。要素Ｃをｃおよび要素Ｒをｒとするとき、ｍ組ＲＣ回路の抵抗はm*r、キャパシタンスはm*cであり、長さLの分布定数回路の抵抗はΣr=2*L*r、キャパシタンスはΣc=L*rである。図１１５の導線１に比べ導線２の抵抗が無視できるとき、長さLの分布定数回路の抵抗はΣr=L*rである。
【００５４】
（数２）のｎ＝２以上の指数関数項はｔが大になると急速に０に収束することを利用し、ｌを指数関数に含めると（数３）が得られる。（数３）はsin関数項を１としてｎ＝１の指数関数項にｌを含めたV(l,t)の近似式である。
【００５５】
【数３】
2006244523.tif 000005
【００５６】
Ro=0の場合に図１１４（Ａ）のＭ組ＲＣ回路は、分布定数回路に類似しているから、駆動端からの長さｌをＭ組ＲＣ回路の駆動端からの組数ｘに置き換えると（数４）が得られる。（数４）および（数５）は特許第２９５０８０８号に記載されている式である。（数４）および（数５）を従来の波形計算法２の計算式とする。
【００５７】
【数４】
2006244523.tif 000006
【００５８】
【数５】
2006244523.tif 000007
【００５９】
（数４）はt=0でV(x,t)<0である。V(x,t)≒Vo*{1-exp(-π^2*t/(4*rx*cx*x^2)}とするとt=0でV(x,t)=0の初期条件を満たされる。（数５）は初期条件を満たす。（数５）は(2/π)^2*rx*xの抵抗とｃを(2/π)^2*cx*xのキャパシタンスからなる１組ＲＣ回路の電圧の計算式になる。
【００６０】
（数４）および（数５）は(2/π)^2*rx*xの抵抗とｃを(2/π)^2*cx*xのキャパシタンスからなる１組ＲＣ回路の電圧ではしご形回路の電圧を近似する計算式である。（数４）および（数５）の理論的な根拠は不確かである。
【００６１】
（数１）および（数５）にはRoが含まれるので、駆動回路による波形歪みが計算可能である。従来の波形計算法１あるいは２が実用的な計算精度を確保できるならば、駆動回路あるいはＭ型デバイスの設計・開発等のツールとして有効に活用できる。
【００６２】
（数１）の計算結果と（数４）および（数５）の計算結果は互いに一致しないことは明らかである。従来の波形計算法１および２は実用レベルに達しない計算法と考えられる。また、V(l,t)にはRoを含めることができない。
【特許文献１】特許第２９５０８０８号公報
【非特許文献１】川上正光執筆  電子通信学会大学講座「基礎電気回路３過渡・非線形編」コロナ社  昭和４７年
【発明の開示】
【発明が解決しようとする課題】
【００６３】
Ｍ型デバイスおよびその駆動方法の設計・開発にはＭ型デバイスの機能素子に加わる電気信号を正確に求めることが望ましい。少なくともＭ型デバイスの走査線あるいは終端の電圧が計算可能であることが不可欠である。波形計算を基に適正駆動を実現する駆動法あるいは装置を提供できるからである。しかしながら、従来の波形計算法は下記する課題があり実用とするには問題が多い。
【００６４】
従来の波形計算法１は走査線あるいは信号線を１組ＲＣ回路におきかえる理論的根拠が不明で、十分な実用的精度を有するかどうか不確かである。さらに、走査線あるいは信号線の終端電圧しか計算できない。
【００６５】
従来の波形計算法２の主な問題点を以下に列記する。第１は（数４）および（数５）の理論的根拠が不明で、十分な実用的精度を有するかどうか不確かである。（数４）は時間t=0で負になり不合理である。
【００６６】
第２は走査線あるいは信号線と共通端子間のキャパシタンスがＣ=M*cxのとき（数５）ではキャパシタンスを(2/π)*Ｃとおくので、走査線と共通端子間の電気量が保存されないことである。（数５）は自然法則を満たさないから、誤差が大きく、産業上有効に利用できないと予想される。
【００６７】
第３は（数２）を走査線あるいは信号線に無条件に適用できないことである。（数４）および（数５）は（数２）から導出される。図１１５の導線１および２で表される平行導線あるいは同軸ケーブル等は、実用的な範囲でどれだけ分割しても、分割後の波形は（数２）から計算できる。
【００６８】
一方、走査線あるいは信号線はｍ組ＲＣ回路であるから、何回も分割すれば最後に１組ＲＣ回路が残り、それ以上に分割できない。１組ＲＣ回路の波形計算に（数２）を適用でない。（数２）を走査線あるいは信号線に適用できる条件を示す必要があるが、従来の波形計算法２には示されていない。
【００６９】
走査線あるいは信号線の本数が多いとき、すなわち、ｍが大きいとき、ｍ組ＲＣ回路を分布定数回路と見なすことが可能と予測されるので、ｍ組ＲＣ回路を分布定数回路と見なせる最小のｍが存在する。
【００７０】
ｍは走査線あるいは信号線の本数に相当するので、（数２）を走査線あるいは信号線に適用できる条件は、走査線あるいは信号線の本数が最小のｍ以上であることである。最小のｍ値を示さない限り、（数２）に基づく波形計算式は、適用範囲が不明確で産業上有効に活用できない。
【００７１】
上記した従来の波形計算法１および２の基本的課題に加えて、駆動回路の出力抵抗等のパラメータが波形計算式に適正に組み込まれていないこと、図１０９に示す(j,i)の電圧、すなわちＭ型デバイスの機能素子の電圧が計算できないことおよび駆動電流の計算式がないこと等多数の課題がある。
【００７２】
そのために、従来の波形計算法１および２は、Ｍ型デバイスの設計・開発等に十分に応えられず、適正駆動を実現する駆動法あるいは装置を提供するまで至らないという問題が生じるのである。
【００７３】
Ｍ型デバイスの走査線あるいは信号線は共通線と共に電気信号を送る電気信号線路を形成し、駆動回路により電気信号線路を駆動して各機能素子を動作させる。走査線、信号線および共通線は導体である。
【００７４】
従って、Ｍ型デバイスの波形は、駆動回路と導体からなる電気信号線路の波形計算から求められる。電気信号線路の等価回路が図１０９あるいは図１１０に示す抵抗とキャパシタンスからなるはしご形回路である。
【００７５】
以上に列記した課題あるいは根本的問題は、マトリクス型表示装置において走査線あるいは信号線と基準電圧が加えられる配線である導体の駆動を表すことが可能な実用的な駆動等価回路が確立していないことにある。駆動等価回路による実用的な波形計算法が確立できれば、画素を駆動する走査線あるいは信号線の駆動電圧が求められ、表示装置の電気的な特性がシミュレーション可能になる。
【００７６】
また、駆動等価回路を記録媒体に記録すれば、コンピュータに駆動等価回路を読み込ませてシミュレーションすることが可能になる。
【００７７】
また、駆動等価回路により、シミュレーションを実行するコンピュータのプログラムが実現可能になり、プログラムを記録媒体に記録すれば、コンピュータにプログラムを読み込ませてシミュレーションすることが可能になり、シミュレーションを実行するコンピュータシステムも実現可能になる。
【００７８】
また、駆動等価回路により、駆動波形から表示装置の電気的な特性を決定可能な駆動解析が実現可能になる。
【００７９】
また、駆動等価回路により、高画質の表示が可能な電気特性を有する表示装置の設計が実現できる。
【００８０】
また、駆動等価回路に基づくと、高画質の表示が可能な電気的特性を有する表示装置を実現できる。
【００８１】
本発明は、上記従来の問題点を解決するもので、画素の駆動を表す駆動等価回路により、画素の駆動電圧を計算可能とする表示装置のシミュレーション方法、駆動等価回路を記録した記録媒体、シミュレーションプログラム、シミュレーションシステム、表示装置の解析方法、表示装置の設計方法、最適駆動を可能とする表示装置およびその表示装置を用いた電子機器を提供することを目的とする。
【課題を解決するための手段】
【００８２】
上記課題を解決するために、本願の請求項１記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性をシミュレーションする方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれることを特徴とする。
これにより、簡易な構成の走査線あるいは信号線の駆動等価回路が実現され、走査線あるいは信号線の駆動電圧から表示装置の電気的特性を計算可能とするシミュレーション方法が実現できる。
【００８３】
請求項２記載の発明は、請求項１記載の表示装置のシミュレーション方法において、RoxとRoyそれぞれは前記装置Xと前記装置Yの出力抵抗、Voは前記装置Xあるいは前記装置Yが出力する前記Vrを基準としたときの振幅Voのパルス電圧およびtはVoが出力されてからの経過時間であり、
前記電源XはRoxの出力抵抗で前記Voを出力し、前記VxをVo*{1-A*exp(-t/((Rxh+Rox)*Cx))}とVo*{1-A*exp(-t/((Rxh+Rox/T)*Cx))}のいずれか一つとすることと
前記電源YはRoyの出力抵抗で前記Voを出力し、前記VyをVo*{1-A*exp(-t/((Ryh+Roy)*Cy))}とVo*{1-A*exp(-t/((Ryh+Roy/T)*Cy))}のいずれかと一つとすることから少なくとも一つが選ばれることを特徴とする。
これにより、走査線あるいは信号線の終端点の駆動電圧あるいは走査線駆動電流あるいは信号線駆動電流を正確に計算することができる。
【００８４】
請求項３記載の発明は、請求項１記載の表示装置のシミュレーション方法において、Pは前記走査線あるいは前記信号線の片端から数えた画素数であり、前記走査線の両端から駆動される前記装置Xが装置X1と装置X2から構成される表示装置の前記駆動等価回路は、走査線駆動電圧が最小となる走査線の前記P位置を前記走査線終端点とし、前記Rxhをほぼ(P/N)*(Rx/T)の抵抗および前記CXをほぼ(P/N)*Cxのキャパシタとすることと前記信号線の両端から駆動される前記装置Yが装置Y1と装置Y2から構成される表示装置の前記駆動等価回路は、信号線駆動電圧が最小となる信号線の前記P位置を前記信号線終端点とし、前記Ryhをほぼ(P/M)*(Ry/T)の抵抗および前記CYをほぼ(P/M)*Cyのキャパシタとすることから少なくとも一つが選ばれることを特徴とする。
これにより、両端駆動される表示装置のシミュレーションを可能とする駆動等価回路が実現できる。
【００８５】
請求項４記載の発明は、請求項３記載の表示装置のシミュレーション方法において、Rox1とRox2それぞれを前記装置X1と前記装置X2の出力抵抗とし、走査線の前記Pを{Rx/Rox1+T*(Rox2/Rox1)}/{T*(1+Rox2/Rox1)+2*Rx/Rox1}とすることとSx1とSx2それぞれを前記装置X1と前記装置X2のスルーレートとし、走査線の前記PをSx1/(Sx1+Sx2)とすることからいずれか一つとすること、
Roy1とRoy2それぞれを前記装置Y1と前記装置Y2の出力抵抗とし、信号線の前記Pを{Ry/Roy1+T*(Roy2/Roy1)}/{T*(1+Roy2/Roy1)+2*Ry/Roy1}とすることとSy1とSy2それぞれを前記装置Y1と前記装置Y2のスルーレートとし、信号線の前記PをSy1/(Sy1+Sy2)とすることからいずれか一つとすること、とから少なくとも一つが選ばれることを特徴とする。
これにより、両端駆動される走査線あるいは信号線の終端点を求めることが可能になる。
【００８６】
請求項５記載の発明は、請求項１記載の表示装置のシミュレーション方法において、RoxとRoyそれぞれは前記装置Xと前記装置Yの出力抵抗、Voは前記装置Xあるいは前記装置Yが出力する前記Vrを基準としたときの振幅Voのパルス電圧、tはVoが出力されてからの経過時間、Σ[n=1,s]f(n)はf(1)+f(2)+…+f(s)およびsは所定の値であり、
前記V(x,t)をLx=(dX+x)/(dX+N)としてV(x,t)=Vo-Vo*A*Σ[n=1,s]{1/(2*n-1)}*sin((2*n-1)*Lx*π/2)*exp(-(2*n-1)^2*T*t/(Rx+T*Rox))とすること、
前記V(y,t)をLy=(dY+y)/(dY+M)としてV(y,t)==Vo-Vo*A*Σ[n=1,s]{1/(2*n-1)}*sin((2*n-1)*Ly*π/2)*exp(-(2*n-1)^2*T*t/(Ry+T*Roy))とすること、
前記x個目の画素の電流I(x,t)をDx=(dX+x)/(dX+N)としてI(x,t)=(2*Vo/(Rx+T*Rox))*Σ[n=1,s]cos((2*n-1)*Lx*π/2)*exp(-(2*n-1)^2*T*t/(Rx+T*Rox))とすること
前記y個目の画素の電流I(y,t)をLy=(dY+y)/(dY+M)としてI(y,t)=(2*Vo/(Ry+T*Roy))*Σ[n=1,s]cos((2*n-1)*Ly*π/2)*exp(-(2*n-1)^2*T*t/(Ry+T*Roy))とすること、とから少なくとも一つが選ばれることを特徴とする。
これにより、走査線あるいは信号線の画素駆動電圧あるいは画素駆動電流をシミュレーション可能になる。
【００８７】
請求項６記載の発明は、請求項１と５記載の表示装置のシミュレーション方法において、前記走査線の両端から駆動される前記装置XはRox1の出力抵抗を有する装置X1とRox2の出力抵抗を有する装置X2から構成され、前記駆動等価回路は、電源Xを装置X1に対応付けられる電源およびPxを{Rx/Rox1+T*(Rox2/Rox1)}/{T*(1+Rox2/Rox1)+2*Rx/Rox1}とし、NをPx*Nの整数値とすること、
前記信号線の両端から駆動される前記装置YはRoy1の出力抵抗を有する装置Y1とRoy2の出力抵抗を有する装置Y2から構成され、前記駆動等価回路は、電源Yを装置Y1に対応付けられる電源およびPyを{Ry/Roy1+T*(Roy2/Roy1)}/{T*(1+Roy2/Roy1)+2*Ry/Roy1}とし、MをPy*Mの整数値とすること、とからいずれか一つが選ばれることを前記走査線の両端から駆動される前記装置XはRox1の出力抵抗を有する装置X1とRox2の出力抵抗を有する装置X2から構成され、前記駆動等価回路は、電源Xを装置X1に対応付けられる電源およびPxを{Rx/Rox1+T*(Rox2/Rox1)}/{T*(1+Rox2/Rox1)+2*Rx/Rox1}とし、NをPx*Nの整数値とすること、
前記信号線の両端から駆動される前記装置YはRoy1の出力抵抗を有する装置Y1とRoy2の出力抵抗を有する装置Y2から構成され、前記駆動等価回路は、電源Yを装置Y1に対応付けられる電源およびPyを{Ry/Roy1+T*(Roy2/Roy1)}/{T*(1+Roy2/Roy1)+2*Ry/Roy1}とし、MをPy*Mの整数値とすること、とからいずれか一つが選ばれることを特徴とする。
これにより、両端駆動する表示装置の駆動等価回路のパラメータを定めることができる。
【００８８】
請求項７記載の発明は、請求項５記載の表示装置のシミュレーション方法において、tuとtmとtbは時間を表す変数、Vx(t)=Vo*{1-A*sin(Dx*π/2)*exp(-T*t/(Rx+T*Rox))}、関数１は前記V(x,t)のおおよそ中央部とVx(tu)とを結ぶ対数関数、関数２は前記V(x,t)のおおよそ中央部とVx(tb)とを結ぶ対数関数および関数３はVx(tu)とV(x,tb)を結ぶ対数関数であり、
前記V(x,t)を
tb≦t＜tmにおいて前記関数２とし、tm≦t＜tuにおいて前記関数１とすることとtb≦t＜tuにおいて前記関数３とすることからいずれか一つが選ばれることと 
tu≦tにおいて前記走査線上の駆動電圧を前記Vx(t)とすることを特徴とする。
これにより、駆動端から終端までの走査線あるいは信号線の駆動電圧をシミュレーションできる近似式を実現できる。
【００８９】
請求項８記載の発明は、請求項５記載の表示装置のシミュレーション方法において、前記装置Xの出力回路の入力端子と出力端子の電圧をそれぞれVinとVoutとし前記Vinを正弦波とすれば、前記装置Xの切断周波数fcxはVout/Vinがほぼ0.707を満たす前記Vinの周波数、αf=1/(2*π*fcx)、dv=dX/(dX+N)およびI(x,tp)は前記I(x,t)のピーク値であり、前記V(x,t)がVo*{1-exp(-t/αf)}に接する前記Lxの値を前記dvとすることと 
Vo-I(x,tp)をほぼ0にする前記Lxの値を前記dvとすることからいずれか一つが選ばれ、前記走査線の駆動端電圧をLx=dvの前記V(x,t)とすることを特徴とする。
これにより、走査線あるいは信号線の駆動端の電圧をシミュレーションすることができる。
【００９０】
請求項９記載の発明は、請求項１と３〜７記載の表示装置のシミュレーション方法において、前記Rxを前記走査線の抵抗値とすることと前記Ryを前記信号線の抵抗値とすることから少なくとも一つが選ばれることを特徴とする。
これにより、駆動等価回路のパラメータから基準電圧が加えられる配線の抵抗を除くことができる。
【００９１】
請求項１０記載の発明は、請求項１〜７記載の表示装置のシミュレーション方法において、前記走査線の駆動等価回路に用いるAとTを、N≧50で(4/π)-0.01≦Aと(π/2)^2-0.01≦Tとすること、30≦N＜50で1.26≦A≦1.28と2.44≦T≦2.46とすること、20≦N＜30で1.26≦A≦1.27と2.41≦T≦2.44とすること、10≦N＜20で1.25≦A≦1.27と2.26≦T≦2.41とすること、6≦N＜10で1.23≦A≦1.26と2.06≦T≦2.24とすること、2≦N＜6で1.16≦A≦1.26と2.06≦T≦2.24とすること、
前記信号線の駆動等価回路に用いるAとTを、M≧50で(4/π)-0.01≦Aと(π/2)^2-0.01≦Tとすること、30≦M＜50で1.26≦A≦1.28と2.44≦T≦2.46とすること、20≦M＜30で1.26≦A≦1.27と2.41≦T≦2.44とすること、10≦M＜20で1.25≦A≦1.27と2.26≦T≦2.41とすること、6≦M＜10で1.23≦A≦1.26と2.06≦T≦2.24とすること、2≦M＜6で1.16≦A≦1.26と2.06≦T≦2.24とすること、とを特徴とする。
これにより、走査線あるいは信号線の本数に対応する時間係数Tと振幅係数Aの正確な値を定めることができる。
【００９２】
請求項１１記載の発明は、請求項１〜１０記載の表示装置のシミュレーション方法において、前記表示パネルを液晶パネルとすることと有機ＥＬパネルとすることとプラズマ表示パネルとすることからいずれか一つが撰ばれることを特徴とする。
これにより、３種類の表示パネルを用いることができる。
【００９３】
請求項１２記載の発明は、請求項１から請求項１１に記載の表示装置のシミュレーション方法を用いたことを特徴とする。
これにより、駆動等価回路によるシミュレーション方法を用いた表示装置を実現できる。
【００９４】
請求項１３記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路を記録したコンピュータ読み取り可能な記録媒体であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれる、等価駆動回路を記録したことを特徴とする。
これにより、コンピュータが読み取ることができる駆動等価回路を記録した記録媒体を実現できる。
【００９５】
請求項１４記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性を解析する方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ
前記方法は、
前記駆動等価回路の回路定数と駆動条件からなるパラメータを作成するステップと、    前記パラメータから解析パラメータを指定するステップと、
前記解析パラメータに対応付けられる項目を前記表示装置から測定するステップと、
前記駆動パラメータの値から前記項目の値を計算するステップと、
前記項目の測定値と前記項目の計算値との差を最小とする前記解析パラメータの値を計算するステップとを備えたことを特徴とする。
これにより、駆動等価回路による表示装置のシミュレーションを実行するプログラムを実現できる。
【００９６】
請求項１５記載の発明は、請求項１４に記載のプログラムを記録したことを特徴とする。
これにより、コンピュータが読み取ることができるシミュレーションを実行するプログラムを記録した記録媒体を実現できる。
【００９７】
請求項１６記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性のシミュレーションをするためのシステムであって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ、
前記システムは、
前記駆動等価回路を受け付ける手段と、前記駆動等価回路の回路定数と駆動条件からなるパラメータを受け付ける手段と、
前記駆動等価回路と前記パラメータにより、前記画素の駆動電圧を計算する手段と、
計算された前記画素の駆動電圧を出力する手段とを備えることを特徴とする。
これにより、駆動等価回路による表示装置のシミュレーションをするシステムを実現できる。
【００９８】
請求項１７記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、表示装置の電気的特性を解析する方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ
前記方法は、
前記駆動等価回路の回路定数と駆動条件からなるパラメータを作成するステップと、    前記パラメータから解析パラメータを指定するステップと、
前記解析パラメータに対応付けられる項目を前記表示装置から測定するステップと、
前記パラメータの値から前記項目の値を計算するステップと、
前記項目の測定値と前記項目の計算値との差を最小とする前記解析パラメータの値を計算するステップとを備えたことを特徴とする。
これにより、表示装置の電気的特性を決定可能な駆動解析方法を実現できる。
【００９９】
請求項１８記載の発明は、M本の走査線とN本の信号線とをマトリクス状に配線して交点に画素を形成し、その動作点を定める電圧Vrが加えられる配線Rを有する表示パネルと前記走査線を駆動する装置Xと前記信号線を駆動する装置Yとを備えた表示装置の駆動等価回路により、前記画素を最適に駆動するように表示装置を設計する方法であって、
電源Xと電源Yそれぞれは装置Xと装置Yに対応づけられ、Aは1.06から(4/π)+0.01までの係数、Tは1.51から(π/2)^2+0.01までの係数、Rxは走査線と配線Rの抵抗値の和、CXは走査線と配線R間のキャパシタンスCxのキャパシタ、Ryは信号線と配線Rの抵抗値の和、CYは信号線と配線R間のキャパシタンスCyのキャパシタ、RxhはRx/Tの抵抗、RyhはRy/Tの抵抗及びA端とB端は前記抵抗と前記キャパシタの両端子であり、
前記駆動等価回路は、
RxhのA端に出力する電源Xと走査線終端点の駆動電圧VxをCXのA端電圧とするRxhとCXからなる直列回路から構成すること、
RyhのA端に出力する電源Yと信号線終端点の駆動電圧VyをCYのA端電圧とするRyhとCYからなる直列回路から構成すること、
装置Xの出力回路を(Rx/N)の抵抗rxと(Cx/N)のキャパシタcxの組数dXとし、駆動端からx個目の画素の走査線駆動電圧V(x,t)をdX+x個目のcxの電圧とするrxとcxの組数がdX+Nのはしご形回路と電源Xから構成すること、
装置Yの出力回路を(Ry/M)の抵抗ryと(Cy/M)のキャパシタcyの組数dYとし、駆動端からy個目の画素の信号線駆動電圧V(y,t)をdY+y個目のcyの電圧とするryとcyの組数がdY+Mのはしご形回路と電源Yから構成すること、とからいずれか一つが選ばれ
前記方法は、
前記駆動等価回路を作成するステップと、前記駆動等価回路の回路定数と駆動条件からなるパラメータに対応付けられる前記表示装置の設計パラメータとその条件を作成するステップと、
前記パラメータの値と前記駆動条件から前記画素を最適駆動させる設計パラメータの値を決定するステップと、設計パラメータの決定値に基づき前記表示装置を制作するステップと、とからなることを特徴とする。
これにより、前記画素を最適に駆動する表示装置を設計することが可能になる。
【０１００】
請求項１９記載の発明は、複数の信号線と複数の走査線とをマトリクス状に配線して交点に画素を形成し、その動作点を定める基準電圧が加えられる共通線が形成された表示パネルと前記信号線を駆動する駆動回路Yと前記走査線を駆動する駆動回路Xとを備えた表示装置において、
Aは(4/π)-0.01から(4/π)+0.01の定数、Tは(π/2)^2-0.01から(π/2)^2+0.01までの定数、Rxは前記走査線の抵抗と前記共通線の抵抗から少なくとも一が選ばれる抵抗、Cxは前記走査線と前記共通線間のキャパシタンス、Ryは前記信号線の抵抗と前記共通線の抵抗から少なくとも一つが選ばれる抵抗およびCyは前記信号線と前記共通線間のキャパシタンスであり、
Voは前記駆動回路Xが前記走査線の駆動端に出力する振幅Voのパルス電圧、tonは前記Voが出力されてから走査線終端の画素が動作を開始する時間およびVonは前記tonでの前記走査線の終端電圧とし、前記駆動回路Xの出力抵抗Roxは0＜Rox≦-ton/{Cx*ln((1-Von/Vo)*A}-Rx/Tとすることを特徴とする。
これにより、適正駆動を可能とする表示装置を実現できる。
【０１０１】
請求項２０記載の発明は、請求項１９記載の表示装置において、前記駆動回路Xは前記走査線を選択する前記Voと非選択する電圧を出力し、前記非選択する電圧が出力されてから前記走査線終端の画素が動作を停止させる時間および前記toffでの前記走査線の終端電圧をVoffとすれば、
前記tonをほぼ-{(Rox+Rx/T)*Cx}*ln{(1-Von/Vo)/A}とし、前記信号線の駆動電圧は前記tonより早く立ち上がること、
前記toffをほぼ-{(Rox+Rx/T)*Cx}*ln{Voff/(Vo*A)}とし、前記走査線の駆動電圧は前記信号線の駆動電圧より前記toffより早く立ち下がること、
前記信号線駆動電圧のパルス幅を少なくとも前記tonと前記toffの和から水平走査時間までとすること、とから少なくとも一つが選ばれることを特徴とする。
これにより、適正駆動を可能とする表示装置の駆動パルスを定めることができる。
【０１０２】
請求項２１記載の発明は、複数の信号線と複数の走査線とをマトリクス状に配線して交点に画素を形成し、その動作点を定める基準電圧が加えられる共通線が形成された表示パネルと前記信号線を駆動する駆動回路Yと前記走査線の駆動する駆動回路Xとを備えた表示装置において、
Tは(π/2)^2-0.01から(π/2)^2+0.01までの定数、前記走査線の抵抗と前記共通線の抵抗から少なくとも一つが選ばれる抵抗をRxおよび前記信号線の抵抗と前記共通線の抵抗から少なくとも一つが選ばれるをRyとし、
前記走査線の片方の端子からの駆動可能な駆動回路の出力抵抗をRoxとすれば、前記駆動回路Xを前記走査線の両端それぞれを駆動する装置X1と装置X2から構成し、前記装置X1と前記装置X2の出力抵抗RoxWを0＜RoxW≦{1.5*Rx/T+Rox/T}とすることと前記信号の片方の端子からの駆動可能な駆動回路の出力抵抗をRoyとすれば、前記駆動回路Yを前記信号線の両端それぞれを駆動する装置Y1と装置Y2から構成し、前記装置Y1と前記装置Y2の出力抵抗RoyWを0＜RoyW≦{1.5*Ry/T+Roy/T}とすることから少なくとも一つが選ばれることを特徴とする。
これにより、適正駆動を可能とする両端駆動の表示装置を実現できる。
【０１０３】
請求項２２記載の発明は、請求項２１記載の表示装置において、前記装置X1と前記装置X2は前記走査線を選択する振幅Voのパルス電圧と非選択する電圧を出力し、終端点は走査線駆動電圧が最少となる画素の位置であり、
tonは前記Voが出力されてから前記終端点の画素が動作を開始する時間、Vonは前記tonでの走査線駆動電圧、toffは前記非選択する電圧が出力されてから前記終端点の画素が動作を停止する時間およびVoffは前記toffでの走査線駆動電圧であり、Rox1とRox2それぞれを前記装置X1と前記装置X2の出力抵抗およびPを{Rx/Rox1+T*(Rox2/Rox1)}/{T*(1+Rox2/Rox1)+2*Rx/Rox1}とすれば、
前記tonを-{(Rox1+P*Rx/T)*Cx}*ln{(1-Von/Vo)/A}とし、前記信号線の駆動電圧は前記tonより早く立ち上がること、
前記toffを-{(Rox1+Rx/T)*Cx}*ln{Voff/(Vo*A)}とし、前記走査線の駆動電圧は前記信号線の駆動電圧より前記toff早く立ち下がること、
前記信号線駆動電圧のパルス幅を前記走査線のtonと前記toffの和から水平走査時間までとすること、とから少なくとも一つが選ばれることを特徴とする。
これにより、適正駆動を可能とする両端駆動の駆動パルスを定めることができる。
【０１０４】
請求項２３記載の発明は、請求項２１記載の表示装置において、前記Roxを0とすることと前記Royを0とすることから少なくとも一つが選ばれることを特徴とする。
これにより、片端駆動の出力抵抗を０とすることができる。
【０１０５】
請求項２４記載の発明は、請求項１２と請求項１９から請求項２３に記載の平面型表示装置を用いたことを特徴とする。
これにより、適正駆動された高画質の表示装置を用いた電子機器を実現できる。
【発明の効果】
【０１０６】
以上から明らかなように、本願の請求項１〜１１の表示装置のシミュレーション方法によれば、走査線あるいは信号線の駆動を表す等価駆動回路により、画素の駆動電圧を高精度でシミュレーションできる。
【０１０７】
また、終端点に位置する画素の駆動電圧を簡易な構成の計算式からシミュレーションできるという効果がある。
【０１０８】
また、走査線あるいは信号線の両端駆動を簡易な構成の等価駆動回路で表すことができるという効果もある。
【０１０９】
さらに、両端駆動される走査線あるいは信号線の終端点を容易に求めることができるという効果がある。
【０１１０】
また、はしご形回路から構成される等価駆動回路により、走査線あるいは信号線の駆動端から終端点までの駆動電圧を正確にシミュレーションできるという効果がある。
【０１１１】
さらに、走査線あるいは信号線の駆動端から終端までの駆動電圧をシミュレーション可能な簡易な構成の近似式を定めることができるという効果もあり、駆動回路の周波数特性をシミュレーションすることができるという効果がある。
【０１１２】
また、走査線と信号線の交点数に対応した駆動等価回路パラメータを定めることができるという効果がある。
【０１１３】
請求項１２の表示装置によれば、等価駆動回路によるシミュレーションを用いた平面型表示装置を実現できるという効果がある。
【０１１４】
請求項１３の記録媒体によれば、コンピュータが読み取り可能な等価駆動回路を記録した記録媒体を実現できるという効果がある。
【０１１５】
請求項１４のシミュレーションプログラムによれば、表示装置のシミュレーションを自動計算できるという効果がある。
【０１１６】
請求項１５の記録媒体によれば、コンピュータが読み取ることができるシミュレーションを実行するプログラムを記録した記録媒体を実現できるという効果がある。
【０１１７】
請求項１６のシミュレーションシステムによれば、表示装置のシミュレーションを自動計算できるシステムを実現できるという効果がある。
【０１１８】
請求項１７の駆動解析方法によれば、走査線あるいは信号線の駆動波形から表示装置の電気的特性を解析可能になるという効果がある。
【０１１９】
請求項１８の設計方法によれば、画素を最適駆動する表示装置の設計が可能になるという効果がある。
【０１２０】
請求項１９から２３の表示装置によれば、画素の最適駆動を可能とする表示装置を実現できるという効果がある。
【０１２１】
また、最適駆動を可能とする駆動回路の出力抵抗を定めることができるという効果があり、最適駆動を可能とする駆動パルスを定めることができるという効果もある。
【０１２２】
また、走査線あるいは信号線の片端から駆動する駆動回路の出力抵抗から、両端駆動する駆動回路の出力抵抗を定めることができるという効果がある。
【０１２３】
また、最適駆動を可能とする両端駆動の駆動パルスを定めることができるという効果もある。
【０１２４】
請求項２４の電子機器によれば、最適駆動が可能な表示装置を用いた電子機器が実現できるという効果がある。
【本発明を実施するための最良の形態】
【０１２５】
以下、本発明の各実施例における電気信号線路の波形計算法、電気信号線路疑似回路、電気信号線路の測定法方法、電気信号線路の製造方法、Ｍ型デバイスの製造方法、Ｍ型デバイスの測定方法、Ｍ型デバイス装置の駆動方法、Ｍ型デバイス装置の波形解析方法、Ｍ型デバイス装置の測定方法およびＭ型表示装置について図面を参照しつつ説明する。
【実施例１】
【０１２６】
本発明の実施例１を以下に説明する。図１は本発明の実施例１における電気信号線路の波形計算法を示す説明図である。 
図１（Ａ）および（Ｂ）は駆動回路と電気信号線路の説明図である。図１（Ｃ）は時間分割により電気信号線路の波形を一つの指数関数項からなる近似式Vkから計算する方法の一例を示す図である。
【０１２７】
導体からなる電気信号線路と駆動回路による信号の伝達は図１（Ａ）および（Ｂ）で示すことができる。３、４、６および７は導体である。図１（Ａ）の３と４からなる電気信号線路は、抵抗とキャパシタンスの組による図１１６の分布定数回路で表すことができる。
【０１２８】
V(t)dおよびV(t)mは電気信号線路の終端電圧である。１は電圧Vaを出力する電源および２は電圧Vbを出力する電源である。Vrefは基準電源でVrefの電圧を出力する。
【０１２９】
図１（Ｂ）の６と７からなる電気信号線路は、抵抗とキャパシタンスの組からなるはしご形回路である。REは抵抗およびCEはキャパシタンスである。５および８は電圧切替器で９は接地線である。ａ、ｂ、ｃおよびｄは電気信号線路の端子である。
【０１３０】
図１１６に示すｒをREおよびｃをCEに置き換えれば、図１（Ｂ）と同様のはしご形回路で図１（Ａ）を表すことができる。抵抗とキャパシタンスの組の数をｍとすると、図１（Ａ）および（Ｂ）は二つの導体から構成され、抵抗とキャパシタンスがｍあるはしご形回路からなる電気信号線路であると表記できる。
【０１３１】
図１（Ａ）は単位長さ当たりの抵抗とキャパシタンスおよび電気線路の長さで表すのが便利である。組の数が非常に大きくなるが、抵抗とキャパシタンスの組の数で表すこともできる。図１（Ａ）および（Ｂ）は電圧切替器と電源によりはしご形回路からなる電気信号線路をパルス駆動する図である。
【０１３２】
電圧切替器はVaおよびVbを切り替えて端子ａの電気信号線路に電圧を加え、端子ｂの電気信号線路をVrefに接続して(Va-Vref)あるいは(Vb-Vref)の信号（電圧）を端子ｃに送る。V(t)dは３およびV(t)mは６の終端である端子ｃと接地間の電圧である。
【０１３３】
４あるいは７の電気抵抗が十分に小さいときV(t)dあるいはV(t)mは端子ｃと端子ｄ間の電圧になることはいうまでもない。REを要素ＲおよびCEを要素Ｃと定める。
【０１３４】
図１（Ａ）と（Ｂ）に示す電気信号線路の波形を求めることが必要な場合、例えば駆動回路の設計および開発、電気信号線路の製造および製造あるいは駆動回路と電気信号線路の試験等において多数ある。
【０１３５】
図１（Ｃ）は図１（Ａ）および（Ｂ）の電気信号線路の波形計算法を説明する図である。図１（Ｃ）には、終端波形を時間で分割して、電気信号線路の固有のパラメータである係数A(x)およびT(x)と時定数を用いて分割した波形を一つの指数関数からなる計算式から求める計算法を示す。図１（Ｃ）は波形の分割を４にした場合である。
【０１３６】
図１（Ｃ）に示すV(t)mは電気信号線路の終端電圧波形である。t1、t2、t3およびt4は波形分割をする時間である。t1、t2、…、txを境界時間とする。t1、t2、…、txに対応する分割をぞれぞれ分割１、分割２、…、分割ｘとする。V(t)dについても同様である。αは電気信号線路の時定数である。なお、後述するαｒは駆動回路と電気信号線路の時定数である。
【０１３７】
Vkは終端電圧波形の近似式である。Rmは３と４あるいは６と７の電気抵抗である。Cmは３と４あるいは６と７間のキャパシタンスである。ここでは４および７の電気抵抗をほぼ０とする。RmおよびCmを電気信号線路の抵抗およびキャパシタンスとする。α=Rm*Cmである。
【０１３８】
Vkは一つの指数関数の項からなるので、図１に示すパルス駆動される電気信号線路の終端電圧波形を容易く正確に計算できる。波形分割を繰り返すと波形の大部分をVkで計算可能になる。V(t)mを過渡現象から求めるとことは容易いことではなく、求められる計算式は（数２）に示すように複雑で扱いにくい。
【０１３９】
図１（Ａ）と（Ｂ）ははしご形回路で表される電気信号線路を駆動回路により電気信号を送るので電気回路はほぼ同じである。図１（Ａ）と（Ｂ）の相違は電気信号線路の製造方法による差であるが、計算式が異なることを加えておく。
【０１４０】
図１の電気信号線路の波形計算法について以下に詳細に説明する。図２は図１（Ａ）および（Ｂ）を電気的に等価な回路で表した図である。
【０１４１】
１０は図１（Ａ）および（Ｂ）の電気信号線路の等価回路である。図１（Ａ）および（Ｂ）における電気信号線路の等価回路はほぼ同じであるが、電気信号線路の構造が異なるので名称を付けて混同しないようにする。
【０１４２】
図１（Ａ）に示す３と４からなる電気信号線路を連続電気線路および図１（Ｂ）に示す６と７からなる電気信号線路をｍ組電気線路と区分して表記する。勿論、区分する必要がない場合には両方を電気信号線路と表記する。
【０１４３】
要素Ｒは抵抗および要素Ｃはキャパシタンスである。要素Ｒと要素Ｃを１組とする。ｍ組電気線路はｍ組の要素Ｒと要素Ｃからなる。Rm=m*要素ＲよびCm=m*要素Ｃである。１組が単位長さ当たりで表されれば、電気信号線路の長さをＬとしてRm=Ｌ*要素ＲおよびCm=Ｌ*要素Ｃである。ｍを組の数あるいは組数と定める。
【０１４４】
１１は５あるいは８とVa、VbおよびVrefの等価回路で電気信号線路の駆動回路である。VoはVoの電圧を出力する電源で、Vref=0VおよびVo=Va-Vbとした場合である。ＳＷはスィッチである。ＳＷは５あるいは８の電圧切替器を表す。１１は５あるいは８とVa、VbおよびVrefの出力抵抗を０とする理想的な駆動回路である。
【０１４５】
図１のａとｃ間の電気信号線路を専用線およびｂとｄ間の電気信号線路を共用線と略する。従って、図２のａとｃ間およびｂとｄ間はそれぞれ専用線および共用線になる。共用線の電気抵抗は０あるいは専用線より十分に小さい。
【０１４６】
図１おいて連続電気線路およびｍ組電気線路の終端電圧をそれぞれV(t)dおよびV(t)mで示すが、連続電気線路およびｍ組電気線路を区分する必要がない場合はV(t)mで統一して表す。
【０１４７】
（数６）はｍが十分大きいときのV(t)ｍの計算式である。ｔは時間である。（数６）は電気信号線路の要素Ｒと要素Ｃの組数をｍ、要素Ｒをｒおよび要素Ｃをｃとした。また、電気信号線路の長さがＬのとき、単位長さ当たりの要素Ｒと要素Ｃを用いてｍをＬに置き換えればよい。（数６）は（数２）から得られる。
【０１４８】
【数６】
2006244523.tif 000008
【０１４９】
V(t)mは指数関数項の級数式で、計算が複雑になり実用性に欠ける。そのために、V(t)mの近似式として一つの指数関数項からなる式を導入してVk=Vo*{1-A(1)*exp(-T(1)*t/α)}とする。
【０１５０】
（数６）からn=1の項のみ取り出すとA(1)=4/πおよびT(1)=(π2)^2である。ｔが大きいとき、VkはほぼV(t)mに一致する。すなわち、V(t)m≒Vkである。VkがV(t)mにほぼ近似できる最小の時間を境界時間をt1とする。A(1)およびT(1)をt≧t1におけるｍが十分大きいときの振幅係数および時間係数と定める。
【０１５１】
t<t1においてVk=Vo*{1-A(2)*exp(-T(2)*t/α)}とする。t<t1でV(t)mがVkにほぼ一致するA(2)およびT(2)を求めると、t<t1でV(t)mは一つの指数関数項からなる近似式Vkによって計算することができる。t<t1において、V(t)mがVkにほぼ一致する最小の時間をt2とする。A(2)およびT(2)をそれぞれt2≦t<t1におけるｍが十分大きいときの振幅係数および時間係数と定める。
【０１５２】
このように時間分割を繰り返して、時間分割に対応するV(t)mの振幅係数および時間係数を求めると、一つの指数関数項からなる計算式VkからV(t)mを計算することができる。図１（Ｃ）は時間を４分割した場合である。
【０１５３】
説明に必要な用語を定義しておく。時間t1、t2、…、txは分割１、分割２、…、分割ｘの境界時間とする。分割１は境界時間t1で定まる時間範囲t≧t1のV(t)m、分割２は境界時間t2で定まる時間範囲t1≧t2のV(t)mおよび分割ｘは境界時間txで定まる時間範囲tx-1>t≧txのV(t)mである。ｘは整数でｘまで分割を繰り返すことを表す。
【０１５４】
分割１および２に対応するVkをそれぞれVk(1)およびVk(2)とすると、V(t)mは連続であるので境界条件V(1)k=V(2)kを満たさねばならない。同様にV(3)k=Vo*{1-A(3)*exp(-T(3)*t/α)}およびV(4)k=Vo*{1-A(4)*exp(-T(4)*t/α)}とすれば、境界条件V(2)k=V(3)kおよびV(3)k=V(4)kを満たさねばならない。
【０１５５】
いうまでもなく、分割１、分割２、…、分割ｘとは、ｘまで分割を繰り返し、tx-1>t≧txのV(x)k=Vo*{1-A(x)*exp(-T(x)*t/α)}まで求め、分割ｘまでのV(t)mとV(x)kをほぼ一致させることを指し、分割ｘはV(t)mの一部である。
【０１５６】
このようにして時間分割を繰り返すことにより一つの指数関数項からなる計算式VkよりV(t)mを計算することが可能になる。分割ｘおけるV(x)k=0を満たす時間をtoxとする。境界時間txはtx>toxである。
【０１５７】
境界条件Vo*{1-A(1)*exp(-T(1)*t1/α)}=Vo*{1-A(2)*exp(-T(2)*t1/α)}よりA(2)*exp(-T(2)*t1/α)=A(1)*exp(-T(1)t1/α)を得る。両辺の対数をとり、t1=α/(T(1)*q1)およびT(2)=T(1)*T(2b)とおくと、T(2b)=1-q1*ln(A(1)/A(2))を得る。q1は任意の定数である。
【０１５８】
tx-1＞t≧txにおいてVo-Vk=Vo*A(x)*exp(-T(x)*t/α)}、同様にして、t2=α/(T(2)*q2)、T(3)=T(2)*T(3b)、t3=α/(T(3)*q3)およびT(4)=(4)*T(4b)とおくとT(3b)=1-q2*ln(A(2)/A(3))およびT(4b)=1-q3*ln(A(3)/A(4))を得る。q2およびq3は任意の定数である。
【０１５９】
分割ｘを最後の分割とするときtxをtoxに置き換えて、t<toxにおいてVk=0を満たすとすれば、V(t)mの初期条件を満たすことができる。すなわち、Vo*{1-A(x)*exp(-T(x)*tox/α)}=0よりtox=ln(A(x))*α/T(x)を得る。なお、q1、q2、q3…qxを総称してq値と呼ぶ。
【０１６０】
実用的な振幅係数と時間係数の組を求めるには、振幅係数と時間係数を変えて誤差V(t)m-Vkが最小となるようする数値計算を必要とする。この数値計算を効率よく実施するためにｑ値を導入した。
【０１６１】
（数７）は出力抵抗が０の駆動回路による電気信号線路の終端波形計算式である。（数７）には分割４までの終端波形計算に必要な境界時間等の計算式、振幅係数および時間係数を記載した。T(2)、T(3)、T(4)、A(2)、A(3)およびA(4)の範囲は許容誤差の大きさあるいはｑ値の設定によって変動する。（数７）から容易く遅延時間が計算できる。分割ｘでの遅延時間tdはtd=-(α/T(x))*ln{(1-V/Vk)/A(x)}である。
【０１６２】
【数７】
2006244523.tif 000009
2006244523.tif 000010
【０１６３】
（表１）はV(t)mの計算に用いるVo、R、C、q値、境界時間、振幅係数および時間係数等のパラメータの一例を示す表である。共用線の抵抗をほぼ０とした。計算には連続電気線路を用いた。
【０１６４】
ｍ組電気線路についてはＬをｍに置き換え１組当たりのｒおよびｃを用いればよい。（表１）は図２、図３、図４および（表２）の計算に使用した値の一覧表である。なお、（表１）のｒおよびｃは要素Rおよび要素Cを示す。
【０１６５】
図３は（数６）および（数７）による電気信号線路の波形計算の一例を示す図である。（数６）はn=26まで計算した。ｎは許容できる計算誤差によって変わる。通常はn=10程度で十分である。図３の分布ｒｃ式は（数６）の計算結果を示し、HK1、HK2およびHK3は（数７）の計算結果を示す。
【０１６６】
【表１】
2006244523.tif 000011
【０１６７】
HK1は分割１までの計算、HK2は分割２までの計算およびHK3は分割３までの計算を示す。誤差率は（数６）に対するHK3の誤差で(V(t)m-Vk)/V(t)mである。図３（Ａ）はHK3と（数６）との比較図である。
【０１６８】
図３（Ａ）ではHK3と（数６）は重なり合い両者の区別が付けられない。図３（Ｂ）はHK1、HK2およびHK3と（数６）との比較図である。分割を多くするに従い境界時間の間隔が小さくなる。
【０１６９】
図３（Ｂ）に示すように、入出力比(V/Vo)0.1以下で（数７）の精度を確保するには分割３まで分割することが望ましい。入出力比(V/Vo)に応じた分割をすれば計算が楽になる。
【０１７０】
図３（Ｃ）は（数７）の分割数と（数６）との誤差の関係を示す図である。 
図３（Ｃ）から分割数が増えるに従い近似できる範囲が広がることおよび分割数３（HK3）のとき、（数７）は入出力比(V/Vo)=0.07近辺まで実用的な精度を有することが分かる
【０１７１】
（表２）は（数６）に対するHK1、HK2およびHK3の誤差特性を示す。（表２）にはHK1、HK2およびHK3の電圧誤差特性と遅延時間誤差特性を示す。なお、図３および（表２）の計算には（表１）のパラメータ値を使用した。
【０１７２】
誤差率１％以下を実用レベルの誤差とすると、（表２）からHK1ではV/Vo=0.3、HK2ではV/Vo=0.15およびHK3ではV/Vo=0.075以上で実用レベルの近似計算が可能であることが分かる。なお、（表２）に記載していないが分割４まで実施するとV/Vo=0.02近辺までの計算が可能である。
【０１７３】
【表２】
2006244523.tif 000012
【０１７４】
（数７）には一つの指数関数項しか含まれないので計算が容易である。遅延時間の計算は（数６）より（数７）が格組に容易であることは明らかである。
【０１７５】
（数６）および（数７）はt=0で駆動端に電圧を加える場合の式である。すなわち、ｍ組電気線路をVoで充電する場合の式である。ｍ組電気線路をVoで充電した後に駆動端を短絡してｍ組電気線路の電荷を放電する場合の計算式は、充電時の式から求められる。
【０１７６】
（数６）に対応する放電時の式をVdis(t)mとすると、Vdis(t)m=Vo-V(t)mである。（数７）に対応する放電時の式も同様に求められる。（数８）は（数７）に対応する放電時の式である。放電時および充電時共に同じ時間係数および振幅係数を用いればよい。
【０１７７】
【数８】
2006244523.tif 000013
【０１７８】
（数７）および（数８）を用いると、電気信号線路をパルス駆動するときの終端電圧が容易に計算できる。図４はパルス駆動される電気信号線路の終端波形シミュレーションの一例を示す図である。
【０１７９】
シミュレーションには（表１）のパラメータを使用した。図４は１組電気線路の終端電圧特性を示す図である。ｍ組電気線路の時定数と１組ＲＣ回路の時定数は同じである。
【０１８０】
図４からｍ値が大きい電気信号線路の終端電圧は、１組の電気信号線路の終端電圧とかなり異なることが分かる。従来の波形計算法１は、実用性に欠ける波形計算法であることが明らかである。
【０１８１】
（数７）を使用すれば、組の数が大きい電気信号線路の終端波形計算は、時間係数、振幅係数およびｑ値のパラメータから計算できる。分割数が３の場合でも、T(1)、A(1)、A(2)、A(3)、q1およびq2の六個のパラメータから計算可能である。
【０１８２】
T(1)、A(1)、A(2)およびA(3)は電気信号線路の固有値である。一度値を決定すれば、特別な場合を除き変更する必要はない。（数７）の計算はパーソナルコンピュータを利用すれば簡単にできる。
【０１８３】
抵抗器とキャパシタからなる図１（Ｂ）あるいは図２に示す電気信号線路と見なせる回路、例えば、後述するようなＭ型デバイスの信号線および走査線、プリント配線基板あるいはガラス基板等に形成される配線等に応用可能である。
【実施例２】
【０１８４】
本発明の実施例２の電気信号線路の波形計算を以下に説明する。図５は本発明の実施例２における電気信号線路の波形計算法を示す図で電気信号線路を２組電気線路としたときの波形計算法の説明図である。
【０１８５】
１０は２組電気線路である。共用線の抵抗は０である。２組電気線路の抵抗およびキャパシタンスはそれぞれはR=R1a+R2およびC=C1+C2である。Ioは駆動回路１１の駆動電流である。Roは駆動回路の出力抵抗でRo=0とする。V1、V2、I1およびI2はそれぞれ電圧および電流である。
【０１８６】
図５の２組電気線路も電気信号線路である。（数９）は時間ｔ＝０でＳＷが閉じたときのV1、V2、I1およびI2の計算式で、過渡現象の解析より得られる。
【０１８７】
V1およびV2も（数７）を適用できる。但し、（数７）の時間係数と振幅係数の値が異なる。V2の時間係数と振幅係数は（数７）と同様の方法で導出できる。（数７）のVkに対応するV1およびV2の計算式をそれぞれV(2)k1およびV(2)k2と表記する。
【０１８８】
【数９】
2006244523.tif 000014
【０１８９】
（数１０）はV2の時間係数と振幅係数の一例を示す式である。T(1)2はV2の分割１の時間係数、A(1)2はV2の分割１の振幅係数およびA(2)2は分割２の時間係数である。
【０１９０】
【数１０】
2006244523.tif 000015
【０１９１】
V(2)k2およびV(2)k1の時間係数、振幅係数およびｑ値等のパラメータとV(2)k2およびV(2)k1による計算例を以下に示す。計算にはVo=1V、R=1000ΩおよびC=200pFを用いた。
【０１９２】
図６はm=n=1のときのV(2)k2およびV(2)k1と（数９）に対する誤差特性を示す図である。V(2)k2およびV(2)k1の分割数は２である。ｘ軸は時間ｔ／αkである。αk=α/T'(1)2で、T(1)2はV(2)k2の時間係数である。
【０１９３】
図６（Ａ）にV(2)k2の時間電圧特性および図６（Ｂ）V(2)k1の時間電圧特性を示す。V(2)k2の誤差は約0.15V以上で1%以下およびV(2)k1の誤差は約0..35V以上で1%以下に収まる。分割２までの（数７）を用いた場合でも計算可能な電圧は多少高くなるが十分に実用できる。
【０１９４】
図６（Ｃ）および（Ｄ）にm=n=0.3のときのV(2)k2およびV(2)k1と（数９）に対する誤差特性を示す。V(2)k2の近似できる範囲は広いが、V(2)k1は約0.7V(誤差1%以下)以上のV1しか近似できない。m=nが0.3以下では、V(2)k1の近似範囲が狭くなり、実用できるのはV(2)k2だけである。
【０１９５】
（表３）は（数７）の計算に必要な２組電気線路の分割２までのパラメータの一覧を示す表である。備考に示すV2(0.5%誤差)はV/Vo=0.5のときの誤差を示す。V2minは誤差1%以内の最小(V/Vo)を示す。V1についても同様である。
【０１９６】
【表３】
2006244523.tif 000016
【０１９７】
（数７）と（表３）を使えば、２組電気線路の波形の計算が容易くできる。時定数αが（表３）と異なるときt1およびt2は再計算する必要があることを付け加えておく。
【０１９８】
V1およびV2には指数項が二つ含まれるので遅延時間の計算が複雑になるが、（数７）は指数関数項が一つなので、（数１０）に示す遅延時間計算式から容易に計算できる。２組電気線路の波形計算は（数２）を用いればよいので、２組電気線路に限れば（数７）の実用性は余り高くない。勿論、（数７）は後述するように２組以上の電気線路の計算に適用できる。
【０１９９】
（数７）はm≧2を満たす電気信号線路に適用できる。但し、ｍによって振幅係数および時間係数の値が異なる。勿論、ｍが十分大きければ（表１）に示す振幅係数および時間係数を使用すればよい。
【０２００】
このように（数７）は、２組、…、ｍ組電気線路（図１（Ｂ）に示す電気信号線路）および平行導線等からなるからなる連続電気線路（図１（Ａ）に示す電気信号線路）を統合してパラメータとして時間係数と振幅係数を用いる波形計算法である。
【０２０１】
（数７）は電気信号線路の電気的パラメータに時間係数と振幅係数を加えるために、電気信号線路の波形を従来より適切に数値化して把握できること、時間係数と振幅係数は電気信号線路の構成から定まる固有の値であること、単純な構成の計算式で必要な精度を確保できること等の効果および特徴がある。上記特徴を活かして、各種の電気信号線路の波形解析や駆動解析等に大きな効果が期待できる。
【実施例３】
【０２０２】
本発明の実施例３を以下に説明する。図７は本発明の実施例３における電気信号線路の波形計算法を説明する図である。図７には電気信号線路が１組電気線路に変換されることを示す。すでに説明した符号および用語の説明は省略する。
【０２０３】
図７に示す共用線の抵抗はほぼ０である。従って、電気信号線路の抵抗はほぼ専用線の抵抗と見なせる。図７（Ａ）は１組電気線路、（Ｂ）および（Ｃ）は共にｍ組電気線路である（V(t)m=V(t)dである）。ｍ組電気線路の電気信号線路の長さ、抵抗、キャパシタンス、要素Ｒおよび要素ＣはそれぞれＬ，Rm、Cm、reおよびceである。
【０２０４】
V(t)mは（数７）からV(t)m≒Vo*{1-A(1)m*exp(-T(1)m*t/α)}である。α=(Rm/T(1)m*CmおよびA(1)m=1とすると、図７（A）の１組電気線路のV(1d)になる。勿論、A(1)m≠1なので、図７（Ｂ）のｍの大きいｍ組電気線路を図７（A）の１組電気線路で表すことはできない。
【０２０５】
しかし、T(1)m/αのみに着目すれば、時定数αのｍ組電気線路が時定数α/T(1)mの１組電気線路に変換されると考えられる。図７（A）をｍ１変換回路とする。ｍ１変換回路の抵抗とキャパシタンスがそれぞれRm/T(1)mとCmであることを説明する。
【０２０６】
数学的にT(1)m/(Rm*Cm)を満たす抵抗とキャパシタは無数に存在する。エネルギー保存則から、ｍ１変換の前後でｍ組電気線路の電気量は一定でなければならない。従って、変換によりキャパシタンスCmは変化せず、抵抗RmがRm/T(1)mに変わり、図７(A)に示すｍ１変換回路になる。
【０２０７】
図８はｍ組電気線路とｍ１変換回路の終端電圧特性を示す図である。図８に示すV(t)mとV(1d)の計算はR=2000Ω、C=100pFを使用した。減衰率はV(t)m/VoあるいはV(1d)/Voである。  
【０２０８】
図８（Ｂ）は図８（Ａ）の拡大図である。図８（Ａ）からV(t)mとV(1d)の形状は全く一致していないと思われる。図８（Ｂ）より少なくとも減衰率が0.99近辺以上ではほぼV(t)mとV(1d)とが一致する。すなわち、減衰率が 
0.99近辺以上の時間ではｍ１変換回路で図７（Ｂ）のｍ組電気線路を置き換えることができる。
【０２０９】
ｍ１変換回路の終端電圧は減衰率がほぼ１となる図７（Ｂ）の終端電圧にほぼ一致する。遅延時間は同一ではなく、減衰量の差が誤差範囲に入る程度の差である。0.99以上の減衰率はほぼ１であると近似して支障がない。
【０２１０】
終端電圧の減衰率がほぼ１となる時間ｔ以降において、図７（Ｂ）のｍ組電気線路とｍ１変換回路との遅延時間差をδtとする。時間ｔ以降ではV(t)m≒V(1d)である。（数７）からVo*{1-A(1)m*exp(-T(1)m*(t-δt)/α)}=Vo*{1-exp(-t/α)}で、δt=ln(A(1)m)*α/T(1)mを得る。A(1)m=4/πおよびT(1)m=(π/2)^2よりδt≒0.1*αである。図８（Ｂ）より減衰量0.99の時間ｔはt≒4.9*αである。よって、δt/t≒2%である。
【０２１１】
ｍ組電気線路が２組電気線路のときのδtをδt2とすれば、δt2=ln(T(1)2)*α/T(1)2である。２組電気線路の振幅係数および時間係数をそれぞれA(1)2およびT(1)2とおいた。表３からδt2≒0.1022*αを得る。ｍ組電気線路が２組電気線路のとき、ｍ１変換回路との遅延時間差が最大になるので、δtの最大値は0.1*αである。
【０２１２】
図８（Ｃ）は連続電気線路で、長さＬ、要素Ｒはr'=T(1)m*reおよび要素Ｃはceである。図８（Ｃ）のｍ組電気線路のｍ１変換回路は抵抗RmとキャパシタンスCmの図８（Ｄ）の１組電気線路になる。すなわち電気信号線路を１組の要素Ｒと要素Ｃの電気信号線路に置き換えることができる。
【０２１３】
変換２は１組電気線路を基準として電気信号線路の抵抗を定めるのに対し、変換１は連続電気線路を基準として１組電気線路の抵抗を定めるという相違があるが、変換１および２の回路共にm1変換回路である。
【０２１４】
減衰率がほぼ１に近い時間以降でｍ１変換回路の終端電圧により電気信号線路の終端電圧を近似できる。すなわち、電気信号線路の終端電圧は減衰率がほぼ１に近い時間でｍ１変換回路の終端電圧に置き換えることができ、終端電圧の遅延時間差は最大で0.1*αである。
【０２１５】
適用可能な時間範囲は狭いが、終端電圧に関して電気信号線路を１組電気線路に置き換えられるので、電気信号線路の電気的な疑似回路として使用できる。ｍ組電気線路についてもｍ＞１を満たす場合に同様に成り立つ。
【０２１６】
ｍ組電気線路の終端電圧V(t)mを、２組電気線路の終端電圧V(2,t)で概略疑似できることを示す。２組電気線路の要素ＲをR(2)および要素ＣをC(2)とする。２組電気線路の電気信号線路の抵抗は2*R(2)およびキャパシタンスは2*C(1)である。
【０２１７】
（数７）からV(t)mおよびV(2,t)はそれぞれV(t)m≒Vo*{1-A(1)m*exp(-T(1)m*t/α)}およびV(2,t)≒Vo*{1-A(1)2*exp(-T(1)2*t/α(2)}である。時間電圧特性がほぼ一致する時間でV(t)m≒V(2,t)が成立するから、Vo*{1-A(1)m*exp(-T(1)m*t/α)}=Vo*{1-A(1)2*exp(-T(1)2*t/α(2)}である。よって、α(2)=T(1)2*α*t/[T(1)m*t-α*ln(A(1)m/A(1)2)]を得る。
【０２１８】
ここで、t=k*αとおくとT(1)m*t-α*ln(A(1)m/A(1)2)=(k*T(1)m-ln[A(1)m/A(1)2])*αである。k*T(1)m》ln[A(1)m/A(1)2]を満たすとk*T(1)m-ln(A(1)m/A(1)2)=k*T(1)mとでき、α(2)={T(1)2*α/T(1}mとなる。ln(A(1)m/A(1)2)=0.088よりk*T(1)mを少なくとも10*ln(A(1)m/A(1)2)<1とすればk≧1/T(1)m=0.41を得る。
【０２１９】
電気量は保存されるので、C(2)=Cm/2およびα(2)=4*R(2)*C(2)よりR(2)={T(1)2/T(1)m} 
*Rmになる。m>2を満たす電気信号線路の抵抗とキャパシタンスをそれぞれRmおよびCmとすれば、ｍ組電気線路の終端電圧は、一定の遅延時間以降で電気信号線路の要素Ｒが{T(1)2/T(1)m}*Rmおよび要素キャパシタンスCm/2の２組電気線路の終端電圧によりほぼ疑似できる。
【０２２０】
２組電気線路をｘ組電気線路に拡張できる。（数１１）はｍ組電気線路の終端電圧を疑似可能なｘ組電気線路の抵抗およびキャパシタンスの計算式である。
【０２２１】
連続電気線路あるいはｍ組電気線路は表記を簡潔にするための便宜的な名称に過ぎない。（数１１）は連続電気線路ではなく電気信号線路の名称を用いて表した。（数１１）は異なる組数の電気信号線路終端電圧を一致させる方法を示す式である。組数によっては一致終端電圧の範囲が異なることおよび電圧の基準を駆動回路の接地電位とすることに注意する必要がある。
【０２２２】
【数１１】
2006244523.tif 000017
【０２２３】
図９は２組電気線路よるｍ組電気線路を疑似する回路を示す図である。図９（Ａ）のｍ組電気線路はｍが十分に大きい電気信号線路である。図９（Ａ）および（Ｂ）は１組電気線路による疑似回路とほぼ同様であるので説明を略する。図９（Ｃ）および（Ｄ）は図１（Ａ）および（Ｂ）と同じ図である。
【０２２４】
図１０はｍ組電気線路を疑似できる２組電気線路およびｍ組電気線路の終端電圧の比較を示す図である。V(t)mおよびV(t)2はそれぞれｍ組電気線路の終端電圧および２組電気線路の終端電圧である。
【０２２５】
R=1000Ω、C=200pF、α=2*10^-7secおよびVo=1で計算した。誤差率１０％以下を概略疑似できる範囲とすると、電圧0.5V（V/Vo=0.5 
at t= 7.6*10^-8sec）近辺以上において、ｍ組電気線路の終端電圧は２組電気線路の終端電圧で疑似可能である。V/Vo=0.5の時間tはt= 
7.6*10^-8secおよびα=2*10^-7secより、k=α/tからk=7.6/20=0.38である。
【０２２６】
誤差率５％以下を概略疑似できる範囲とすると、V/Vo=0.6（at 
t=9.4*10^-8sec）近辺以上でｍ組電気線路を２組電気線路により疑似可能である。k=0.47である。誤差率を３％程度に設定すれば、k=0.64でV/Vo=0.76(at 
t=1.28*10^-7sec)である。誤差率１％程度に設定すれば、k=0.75でV/Vo=0.8(at 
t=1.5*10^-7sec)である。
【０２２７】
このようにV/Voが約0.6以上の電気信号線路がｍ組の（ｍ組電気線路）終端電圧は、電気信号線路が２組の（２組電気線路）の終端電圧に置き換え可能である。組数を増やせば疑似できる疑似可能な終端電圧の時間範囲が広がるが、回路が複雑になるので、疑似する電気信号線路の組数は２組から４組程度が望ましい。
【０２２８】
組数が大きい電気信号線路の終端電圧を少ない組数の電気信号線路で疑似できるので、電気信号線路あるいは駆動回路のシミュレーションが容易になるほか、後述する電気信号線路の疑似回路として応用できること等の効果がある。
【実施例４】
【０２２９】
本発明の実施例４を以下に説明する。すでに説明した符号および用語の説明は省略する。図１１は実施例４における電気信号線路の波形計算法を説明する図である。
【０２３０】
図１１は電気信号線路の組数に対応した振幅係数および時間係数を求める方法を示す図で、１組、２およびｍ組電気線路と連続電気線路を正弦波で駆動する回路を示す。Vsは正弦波電源で振幅がVsの正弦波電圧を出力する。図１１のaおよびｃは専用線の端子でｂおよびｄは共用線の端子である。共用線の抵抗は０である。
【０２３１】
V(f)1、V(f)2、V(f)mおよびV(f)dは正弦波応答でのそれぞれ１組連続電気線路、２組連続電気線路、ｍ組電気線路および連続電気線路の終端電圧である。図１１（４）は連続電気線路である。ｍ組電気線路の抵抗およびキャパシタンスはそれぞれＲおよびＣである。１組連続電気線路、２組連続電気線路、ｍ組電気線路および連続電気線路の共用線の抵抗は０である。
【０２３２】
図１１（１）〜（３）に示すように、抵抗ＲとキャパシタンスＣを一定にして、ｍ組電気線路のｍを増やしていくと、やがてｍ組電気線路の終端電圧は、図１（Ａ）連続電気線路の終端電圧V(f)dにほぼ一致すると予測できる。ほぼ一致する最小の組数をｘとする。図１１のVsをパルス電源に置換した場合にも、正弦波と同様にｍ組電気線路の組数ｍを増やしていくと、連続電気線路の終端電圧に一致すると予測される。
【０２３３】
パルス駆動時のｍ組電気線路の終端電圧は（数７）で近似できる組数をｘとする。ｘを決定すると、ｍ≧ｘを満たすｍ組電気線路の終端電圧は（数７）で近似できるから、（数７）を有効活用できる。
【０２３４】
４組以上のｍ組電気線路の過渡現象解は高階微分方程式の解が必要なので求めることが困難であるが、ｍ組電気線路の正弦波応答は計算可能である。ｍ組電気線路の正弦波応答とパルス応答とを対比すると連続電気線路終端電圧にほぼ一致する最小のｍ組電気線路と組数に対応した時間係数と振幅係数を決定できる。
【０２３５】
ただし、ｘ組電気線路が連続電気線路そのものに近似できることではない。連続電気線路はどれだけ分割しても同じ時間係数と振幅係数を有する連続電気線路であるが、ｍ組電気線路（図１（Ｂ）のタイプの電気信号線路）は分割を繰り返すと１組連続電気線路になり、それ以上分割できなくなることからも相違は明らかで、ｘはｍ組電気線路の終端電圧が連続電気線路の終端電圧にほぼ一致する組数を指す。
【０２３６】
ｍ組電気線路の要素Cの専用線側端子の電圧を位置電圧と定める。最終組あるいは終端に位置する要素Ｃの位置電圧が終端電圧である。ｘ組電気線路を連続電気線路とほぼ同じに扱う場合、終端電圧と位置電圧とを区分しなければ誤差が大きくなる。
【０２３７】
ｘはｘ組電気線路の終端電圧を（数２）あるいは（数６）で近似可能な最小の組数である。従って、ｘ組電気線路の位置電圧を（数２）から計算すると誤差が大きくなる場合が生じる。いうまでもなく、位置電圧が計算可能な組数はｘより大きくなる。
【０２３８】
ｍ１変換回路においてV/Voがほぼ１の時間電圧特性（パルス応答である）は、正弦波応答における減衰量がほぼ０の周波数電圧特性部に対応することを利用して、ｍ組電気線路の正弦波応答から時間係数T(1)を求める。
【０２３９】
図１２はｍ組電気線路の正弦波応答からT(1)を求める説明図である。Vs(f)は周波数ｆの正弦波電圧Vs(f)を発生する電源である。Vs(f)はｍ組電気線路の駆動端に加えられる。Vs(f)=|Vs|*sin(2*π*f)および減衰率は|V(f)m/Vs(f)|である。図１２（Ａ）、（Ｂ）および（Ｃ）は１組電気線路、２組電気線路、ｍ組電気線路を示す図である。図１２（Ｅ）は図１（Ｂ）とおなじ図である。
【０２４０】
図１２の回路から約fc/10以下の周波数において、正弦波電源Vs(f)の出力抵抗減衰率と１組電気線路の減衰率とが一致させるhl(m)を求める。hl(m)はｍ組電気線路の抵抗係数である。１組電気線路の抵抗係数はhl(1)=1である。ｍ組電気線路の抵抗および 
キャパシタンスはそれぞれhl(m)*RおよびCである。正弦波応答でのｍ組電気線路の終端電圧はV(f)mである。
【０２４１】
抵抗ＲとキャパシタンスＣの１組電気線路の切断周波数をfcとすると、回路理論ではfc=1/(2*π*R*C)=1/(ω*α)と定義される。ω=2*πである。ｍ組電気線路の減衰率|V(f)m/Vs(f)|は計算可能である。約fc/10以下の周波数での減衰率はほぼ０である。
【０２４２】
（数１２）は６組電気線路までの減衰率|V(f)m/Vs(f)|の計算式を示す。Roは正弦波電源Vs(f)の出力抵抗（内部抵抗ともいう）である。６組電気線路の計算式はRo=0の場合である。jは虚数である。正弦波電源Vs(f)の出力抵抗Roは０とする。
【０２４３】
【数１２】
2006244523.tif 000018
2006244523.tif 000019
2006244523.tif 000020
【０２４４】
図１２の１組電気線路の減衰率|V(f)m/Vs(f)|のほぼ０になる部分とｍ組電気線路の減衰率減衰率|Vso(f)m/Vs(f)|が一致させる抵抗係数は（数１２）より求められる。図１２のｍ組電気線路の減衰率|V(f)m/Vs(f)|は、（数１２）のRを 
hl(m)*Rに置き換えれば計算可能である。
【０２４５】
従って、約fc/10以下の周波数（減衰率がほぼ０になる）について|V(f)1/Vs(f)|＝|V(f)m/Vs(f)|を満たす 
hl(m)を（数１２）から求めればよい。（表４）は組の数６までの|V(f)1/Vs(f)|＝|V(f)m/Vs(f)|を満たす抵抗係数の一例を示す表である。
【０２４６】
【表４】
2006244523.tif 000021
【０２４７】
|V(f)m/Vs(f)|=0.707を満たす周波数をfclと表し切断周波数とする。（表４）のfcl(m):Hzは（数１２）から計算した切断周波数である。fcl:Hzは後述する（数１９）から計算した切断周波数である。
【０２４８】
（表４）示すように、２組電気線路の抵抗係数と時間係数T(1)2は、ほぼ一致する。２組電気線路の抵抗係数 
hl(2)と振幅係数 
T(1)2との差は(1.525-1.512)/1.525=0.86%で計算誤差と見なせる。
【０２４９】
（表４）の抵抗係数からT(1)m≒hl(m)であり、ｍ組電気線路の組数が増えるに従いT(1)mは(π/2)^2に収束すると近似できる。減衰量がほぼ０である周波数電圧特性部はV/Voがほぼ１である時間電圧特性に対応する。
【０２５０】
図１３は１〜５組電気線路の周波数電圧特性を示す図である。図１３（Ａ）および（Ｂ）は切断周波数がほぼ一致する１〜５組電気線路の周波数電圧特性を示す図である。なお、電圧の基準は端子ｂである。共用線に抵抗がある場合、端ｃおよび端子ｄ間の電圧は（数１２）から計算できないことを付け加えておく。
【０２５１】
図１３（Ｂ）は図１３（Ａ）の拡大図である。１組電気線路の抵抗およびキャパシタンスはそれぞれR=1000ΩおよびC=20000pFである。fc=77.6kHzである。２〜５組電気線路の抵抗およびキャパシタンスはそれぞれhl(m)*RおよびＣである。 
hl(m)は（表４）の値を用いた。
【０２５２】
図１３（Ａ）および（Ｂ）に示すように、減衰率-5dB以内では1〜５組電気線路の周波数電圧特性がほぼ重なる。（表４）のhl(m) 
はfc/10で減衰率が-0.05dB以内になる値を求めた。
【０２５３】
図１３（Ｃ）および（Ｄ）は抵抗とキャパシタンスが同じ１〜５組電気線路の周波数電圧特性を示す図である。同じ抵抗とキャパシタンスの１〜５組電気線路の切断周波数は組数が大になると高くなる。
【０２５４】
（表４）から組数ｍに対するhl(m)、T(1)m、A(1)mおよびはA(2)mの推測曲線を求めることが可能である。図１４は（表４）に基づくT(1)m、A(1)mおよびはA(2)mの推測曲線の一例を示す図である。
【０２５５】
図１４はm=6までのhl(m)とｍ値が大のときのhl(m)を(π/2)^2として回帰分析したhl(m)の推測曲線に基づく。図１４に示すようにｍ組電気線路の正弦波応答から時間係数を求めることができる。
【０２５６】
（表５）は図１４から求めた時間係数および振幅係数を示す表である。（表５）には分割１の時間係数と分割３までの振幅係数とｑ値を記載した。T(2)mおよびT(3)mは（表５）のパラメータから計算できるので省略した。
【０２５７】
振幅係数および時間係数にｍ組電気線路の組数を示す場合にはA(1)m、A(x)m、T(1)mあるいはT(x)mと表記する。（表６）に記載の値から、±0.01程度ずれても実用上支障がない。
【０２５８】
【表５】
2006244523.tif 000022
【０２５９】
すなわち、m<20を満たすとき2.0≧q1≧1.4およびq2=2.7±0.3でT(1)m、A(1)mおよびA(2)mをそれぞれT(1)m=Tm±0.01、A(1)m=Am±0.01およびA(2)m=am±0.01とおいて下記の値を使用すればよい。
【０２６０】
T2=1.520、T3=1.765、T4=1.912、T5=2.008、T6=2.078、T7=2.134、T8=2.185、T9=2.230、T10=2.265、T11=2.280、T12=2.300、T13=2.320、T14=2.335、T15=2.352、T16=2.368、T17=2.382、T18=2.395、T19=2.411、A2=1.166、A3=1.203、A4=1.222、A5=1.232、A6=1.238、A7=1.244、A8=1.248、A9=1.252、A10=1.254、A11=1.257、A12=1.258、A13=1.261、A14=1.262、A15=1.262、A16=1.263、A17=1.264、A18=1.266、A19=1.267、a2=1.12、a3=1.15、a4=1.17、a5=a6=1.19、a7=a8=1.20、a9=a10=a11=a12=1.21、a13=a14=a15=a16=1.22およびa17=a18=a19=1.22である。
【０２６１】
ｍ≧20を満たす組数である場合、q1=1.55±0.2、q2=2.7±0.3およびT(1)mは中心値をほぼ(π/2)^2として2.41から2.47の範囲とし、Ａ(1)mは中心値をほぼ(4/π)として1.26から1.28の範囲およびA(2)m=1.23±0.01とすれば十分である。
【０２６２】
ｍ＜20を満たす組数の振幅係数および時間係数の概略値は、A(1)≒1.13+0.03*ln(m)、A(2)≒1.11+0.044*ln(m)およびT(1)≒1.36+0.37*ln(m)で計算可能であるが精度が落ちる。正確に計算する場合は（表５）の値を用いることが望ましい。
【０２６３】
（表５）あるいは図１４のパラメータを（数７）に代入すれば、ｍ組電気線路の時間電圧特性が計算可能である。図１５は３０組電気線路の終端電圧とその誤差率を示す図である。
【０２６４】
図１５は（表５）の振幅係数と時間係数と分割３までの（数７）を用い、R=1000Ωおよび 
C=200pFについて計算した。連続電気線路は（数６）の計算式を用いた。３０組誤差率は（数６）に対する誤差率である。
【０２６５】
図１５（Ｂ）は（数６）に対する１５、２０および３０組電気線路の誤差率を示す図である。（数６）の計算結果と３０組電気線路の終端電圧は、重なり区別がつけられない。３０組電気線路の誤差率はV/Vo=0.2近辺以上ではほぼ1%以下である。
【０２６６】
１５および２０組電気線路の誤差率は、V/Vo=0.2近辺以上でそれぞれほぼ2%および5%以下である。図１５から、実用上問題が生じないと思われる１％以下の誤差率では、m=20〜30組以上のｍ組電気線路の終端電圧は（数７）から計算可能であることが分かる。許容される誤差率が大きければ、ｍ=15程度のｍ組電気線路についても（数７）が適用可能である。
【０２６７】
図１６は３組電気線路により電気信号線路の終端電圧を疑似させたときの誤差率を示す図である。図１６には１５および２０組電気線路の終端電圧と（数６）との誤差率を併記した。
【０２６８】
ｍ組電気線路および連続電気線路の抵抗およびキャパシタンスはそれぞれＲおよびＣである。図１６の３組疑似誤差率は、抵抗が(T(1)3/T(1)m)*RおよびキャパシタンスがＣの３組電気線路の（数６）に対する終端電圧誤差である。T(1)3=1.765である。T(1)m=(π/2)^2とした。
【０２６９】
図１６は３組電気線路により連続電気線路の終端電圧をある疑似可能であることを示す。（数１１）と（表５）から組数の大きい電気信号線路の終端電圧を組数の小さい電気信号線路の終端電圧で置き換えることができ、後述する電気信号線路疑似回路に応用できる。
【０２７０】
図１７は１，２、３、５、７、１０組電気線路および連続電気線路の終端電圧の時間電圧特性を示す図である。１，２、３、５、７、１０組電気線路および連続電気線路の抵抗およびキャパシタンスは同じ値である。
【０２７１】
図１７から示されるように、（表５）と（数７）を使用すればｍ組電気線路の終端電圧は容易に計算できる。（数７）は電気抵抗器とキャパシタによる比較的組数の小さいはしご形回路の計算にも使い易く非常に便利である。
【０２７２】
以上説明した波形計算法によれば、20〜30組以内の電気信号線路の終端電圧を振幅係数および時間係数から容易に計算できること、組数の大きい電気信号線路の終端電圧を組数の小さい電気信号線路の終端電圧で置き換えることができること、組数に対応した振幅係数および時間係数を求めることができること等の効果がある。
【実施例５】
【０２７３】
本発明の実施例５の電気信号線路の波形計算法を以下に説明する。実施例５は駆動回路の出力抵抗あるいは電源の出力抵抗を含む信号線路の波形計算法を示す。すでに説明した符号および用語の説明は省略する。
【０２７４】
図１８は実施例５における電気信号線路の波形計算法を説明する図である。Vpはパル電源で、振幅Voのパルスを出力する。駆動回路はVpとRoからなる。Roは駆動回路の出力抵抗である。
【０２７５】
V(t)mおよびV(t)dはそれぞれｍ組電気線路および連続電気線路で記述される長さLの電気信号線路である。ｍ組電気線路および連続電気線路の抵抗とキャパシタンスは共にRおよびCである。図１８（１）、（２）、（３）および（４）はそれぞれ１組電気線路、２組電気線路、ｍ組電気線路および連続電気線路である。
【０２７６】
出力抵抗Roが存在するので、（数２）、（数６）あるいは（数７）からV(t)mおよびV(t)dを計算できない。αrを電気信号線路と駆動回路の時定数とする。αr={T(1)*Ro+R}*Cあるいは={Ro+R}*Cである。αは電気信号線路の時定数である。
【０２７７】
（数１３）は駆動回路あるいはパルス電源に出力抵抗RoがあるときのV(t)mの計算式である。（数１３）においてV(t)dの計算はｍ組電気線路を連続電気線路に置き換えればよく、ｍ組電気線路と連続電気線路の区別はない。
（数１３）には分割ｘまでの計算式を示す。（数１３）は（数７）に基づいて導出される。（数１３）の計算には（表１）、（表３）および（表５）の振幅係数、時間係数およびｑ値を使用する。（数１３）は電気信号線路の波形計算の基本式である、
【０２７８】
電圧の基準点は駆動回路の接地電位で、図１８の端子ｂである。共用線の抵抗が０と見なせる場合は端子ｄでもよいが共用線を接地電位とすることが望ましい。図１８では端子ｂおよびｄが接地電位である。
【０２７９】
（数９）は出力抵抗を含む図５に示すV1およびV2の計算ができるので、（数９）と（数１３）から出力抵抗をパラメータにして計算して、（数９）と（数１３）の比較をすれば、（数９）に対する（数１３）の精度を検証できる。V2の（数９）による計算結果をV2を（数１３）によるV2の計算結果をV(2)k2とする。
【０２８０】
【数１３】
2006244523.tif 000023
【０２８１】
図１９は出力抵抗を含む２組電気線路の終端電圧を示す図である。Ro=1kΩで、２組電気線路の抵抗およびキャパシタンスはそれぞれ1kΩおよび200pFである。Ro=0Ωは出力抵抗が０の（数９）による終端電圧である。図１９のV2は（数９）によるRo=1kΩの２組電気線路の終端電圧である。
【０２８２】
Ro=1kΩで、αr1はαｒ=(T(1)2*Ro+R)*CとしたときのV(2)k2およびαr2はαｒ=(Ro+R)*CとしたときのV(2)k2である。T(1)2は２組電気線路の時間係数でT(1)2=1.525である。
【０２８３】
図１９に示すように、交点ＰのV/Voより大のとき、V2はαr1とαr2の間に位置する。図１９の計算では、２組電気線路の抵抗と同じ値を出力抵抗とした。実際の出力抵抗は電気信号線路の抵抗よりかなり小さい場合が多い。その場合にはαr1とαr2のV2対する誤差は小さくなる。
【０２８４】
図２０はRo=300Ωおける（数９）に対する（数１３）の誤差特性を示す図である。図２０のαr1およびαr2は出力抵抗値が異なる以外は図１９と同様である。図２０のαr1およびαr2誤差率は（数９）に対するαr1およびαr2の誤差である。図２０のαr1およびαr2が互いに重なり合うが、誤差特性は異なる。
【０２８５】
図２０（Ｂ）は誤差の比（αr1誤差率/αr2誤差率）を示す図である。誤差の比が１より小さいければ、αr1の誤差がαr2の誤差より小さい。誤差の比からV/Vo=0.4近辺以上ではαr1が適している分かる。
【０２８６】
組数が大きいｍ組電気線路の終端電圧は、２組電気線路の終端電圧で疑似できる。２組電気線路の終端電圧は（数９）から計算できる。従って、組数が大きいｍ組電気線路あるいは連続電気線路についても（数９）から（数１３）の精度を確認できる。
【０２８７】
図２１は（数１３）による連続電気線路の終端電圧を示す図である。図２１の符号は図１９と同じである。図２１の連続疑似は、連続電気線路の終端電圧を２組電気線路の終端電圧で疑似した特性である。連続電気線路の抵抗とキャパシタンスはそれぞれ1kΩおよび200pFである。
【０２８８】
連続疑似とαr2の交点Ｑ近辺は連続疑似の誤差が大きい部分である。V/Vo=0.2近辺に実際の交点Ｑがあると予想される。図２０および図２１から、Ro=300ΩでV/Vo=0.6において連続疑似の遅延時間は約0.1μsecで、V2の遅延時間は0.062μsecである。ｍ組電気線路の組数が大きいほど出力抵抗の影響を受けることが分かる。
【０２８９】
図１９、図２０および図２１に示すように、図１８の終端電圧は（数１３）から計算できる。（数１３）は（数９）に基づく。（数９）は（数２）の近似式である。従って、駆動回路と電気信号線路の時定数（αｒ）を（数２）に組み込んだ（数１４）も図１８の駆動回路と電気信号線路の波形計算に使用できる。
【０２９０】
【数１４】
2006244523.tif 000024
2006244523.tif 000025
【０２９１】
（数１４）はｍ組電気線路上の電圧を計算する式である。位置電圧式と略する。位置電圧式は駆動回路の内部に仮想駆動端を設定して、仮想駆動端を０（原点）としてｍ組電気線路の終端を１とする変数を用いて位置の電圧を計算する。この変数をxdとし位置変数と定める。位置の電圧を位置電圧と定める。
【０２９２】
図２２は（数１３）および（数１４）の説明図である。１０はｍ組電気線路およびVo、SWおよびRoからなる回路は駆動回路を表す。（数１３）および（数１４）に出力抵抗がパラメータとして入るので、t=oでSWが閉じたときの電圧を加える端子は端子ａではなく、図２２に示すように出力抵抗Roの片方の端子になる。
【０２９３】
出力抵抗Roの片方の端子を仮想駆動端とする。図２２に示すように、仮想駆動端は専用線３上に実在する端子ではなく、駆動回路１１の内部にあり、計算をする上で駆動端ａに代えて仮想終端を駆動端とする便宜的なものである。（数１３）は終端電圧の計算式なので、仮想駆動端をあまり気にする必要はない。Roにより端子ａ（駆動端）の波形が歪むことに注意すればよい。駆動電流とRoの電圧降下によるが、詳細な説明は後述する。
【０２９４】
（数１４）は仮想駆動端を原点にして位置電圧を計算する。端子ａの仮想駆動端からの位置の算出法は後述する。駆動端位置変数をdvとすると、仮想駆動端から端子ａの組数をDVとすればDV=dv*M/(1-dv)の整数である。ｍ組電気線路が長さがＬで表される場合、ＭをＬに換えればよい。端子ａは実際の駆動端である。DVは駆動端の仮想的組の数である。
【０２９５】
端子ａ（駆動端）からの組数ｊと位置変数xdの関係はxd={dv*(M-j)+j}/Mである。端子ａからの長さｌと位置変数の関係はjをｌに換えればよい。Roの片方の端子を仮想駆動端にしてRoの他方の端子と端子ａとを接続した仮想的な専用線と仮想的な専用線に対応する仮想的な共用線を便宜的にそれぞれ仮想専用線および仮想共用線とする。
【０２９６】
仮想専用線および仮想共用線の組数はDV+Ｍである。（数１４）は仮想専用線の駆動端と仮想共用線間にパルスを加えたときの位置電圧計算式である。出力抵抗によりｍ組電気線路の組数あるいは連続電気線路の長さが伸びるのである。Vdvkは仮想専用線の電圧計算式であるが、Vdvk場合によってはV(xd,t)と表記する場合があることを断っておく。
【０２９７】
DVの値を予め求めておかなければ、（数１４）から端子ａからの位置電圧を計算できない。しかし、（数１４）が仮想駆動端を原点とする計算式でも実用性が低くなることはなく、（数１４）は位置に対する電圧の変化を知るうえで大変有効である。
【０２９８】
むしろ、従来の計算式では計算できないが本発明の波形計算を使用すれば位置電圧を容易く計算できる。（数１３）、（数１４）、後述する（数２３）および（数２７）が本発明の波形計算法の基本式である。
【０２９９】
後述するようにDVの値を計算できるし、Roより駆動回路の切断周波数等による波形歪みによるDVの変化が大きい。駆動端の位置はRoによって余り変化しないので、DVの値が不明でも（数１４）は有用である。
【０３００】
（数１４）はRo≠0の電気信号線路の位置電圧および終端電圧の近似式である。（数１４）のxdは位置変数である。終端電圧の計算には、言うまでもなく（数１３）が実用的である。
【０３０１】
図２３は（数１４）による出力抵抗を含む２組電気線路のV1の計算結果を示す図である。図２４は（数１４）による出力抵抗を含む２組電気線路のV2を示す図である。
【０３０２】
図２３のV(2)dvk1および図２４のV(2)dvk2は（数１４）から計算したV1およびV2である。V(2)dvk1は（数１４）においてxd=0.5およびV(2)dvk2は（数１４）においてxd=1ときの計算値である。図２３のV1および図２４のV2は（数９）による。誤差１および２は（数９）に対する（数１４）の誤差率である。
【０３０３】
図２３および図２４の計算には、出力抵抗RoをR0=300Ω、２組電気線路の抵抗とキャパシタンスはそれぞれ1kΩおよび200pFとし、（表５）の振幅係数と時間係数を用いた。
【０３０４】
図２３および図２４から示されるように、（数１４）は（数１３）より誤差が大きくなるが、実用できる精度を確保している。出力抵抗があまり大きくない場合、xdeをあまり気にする必要がないことを示す図でもある。
【０３０５】
駆動回路あるいは駆動電源の出力抵抗Roは正確に求められないので、（数１４）は図２２に示す誤差で十分に実用できる。（数１４）は（数１３）は電気信号線路の基本式である。
【０３０６】
図２に示すような出力抵抗が０の駆動回路は実際には存在しない。勿論、電気信号線路の抵抗より条文に小さい出力抵抗を有する駆動回路の場合には出力抵抗を０と見なせるが、通常は出力抵抗を無視することができない。
【０３０７】
従って、（数２）、（数６）および（数７）は出力抵抗を含まないので実用的でｈない。電気信号線路の波形計算には（数１３）および（数１４）がきわめて実用的である。
【０３０８】
また、t=0で駆動回路により電気信号線路を振幅がVoのパルスで駆動する場合、電気信号線路の駆動端にt=0でVoのパルスが加わるのではなく、仮想駆動端に加わる。
【０３０９】
そのために、駆動端の波形が歪むのであるが、駆動回路による電気信号線路駆動を詳細に表現すると文章が長くなるので、t=0でVoの電圧で駆動するあるいは振幅がVoのパルスで駆動すると表記する。この表記は電気信号線路の駆動端にt=0でVoの電圧を加えることを意味しないことを断っておく。
【０３１０】
このように、波形計算式に出力抵抗を含めることにより、実際の電気信号線路の波形を正確に計算でき、その波形計算式は構成が比較的簡易で実用性が高い。また、後述するように駆動回路の周波数特性も出力抵抗に含めることができるので大変応用範囲が広く有用である。
【０３１１】
また、波形計算式に出力抵抗が含まれるために、実際の電気信号線路の駆動を的確に把握でき、最適な駆動の条件を求めることあるいは最適な駆動を実現することが可能になる。電気信号線路を用いる電子デバイス、特にＭ型表示装置の製造、設計および開発に非常に有効で実用的である。勿論、電気信号線路を有する電子回路等の分野に応用可能であることはいうまでもない。
【実施例６】
【０３１２】
本発明の実施例６の電気信号線路の波形計算法を以下に説明する。（数１５）は実施例６の電気信号線路の波形計算法に用いる波形計算式である。すでに説明した符号および用語の説明は省略する。
【０３１３】
（数１４）は指数関数の多項式からなり計算が複雑である。（数１５）は（数１４）おいてn=1としたときの計算式Vxd=Vo*{1-A(1)*sin(xd*π/2)*exp(-T(1)*t/αr)}である。VxdはV/Voおよび位置変数xdの値によっては実用性を欠く誤差が発生する。
【０３１４】
【数１５】
2006244523.tif 000026
【０３１５】
（数１５）はVxdが適用できる電圧の下限を限界一致電圧により定めた波形計算式である。Vlmtを限界一致電圧とする。図２５は限界一致電圧の一例を示す図である。図２５は位置変数xd=0.2、0.4、0.6および0.8について（数１４）とVxdから計算した波形を示す図である。（数１５）の（１）、（２）および（３）が限界一致電圧である。
【０３１６】
（表６）は位置変数xdに対する限界一致電圧を示す表である。（表６）ではVlmtを電圧の比V/Voで記述している。（表６）の２組電気線路、５組電気線路および連続電気線路のV/Voは２組電気線路、５組電気線路および連続電気線路のVlmtである。
【０３１７】
【表６】
2006244523.tif 000027
【０３１８】
限界一致電圧は許容誤差によって変わる。（表６）は3%以下の場合である。誤差を大きくすれば限界一致電圧は小さくなる。（表６）から（数１５）の(1)、(2)および(3)は求められる。
【０３１９】
（数１５）は指数関数項が一つなので扱いやすい。３組電気線路あるいは４組電気線路等の電気信号線路の波形の概略値を知るには実用的な波形計算法である。
【実施例７】
【０３２０】
本発明の実施例７の電気信号線路の波形計算法を以下に説明する。実施例７は限界一致電圧以下の位置電圧を対数関数で近似する電気信号線路の波形計算法である。すでに説明した符号および用語の説明は略する。
【０３２１】
図２６は実施例７における電気信号線路の波形計算法を示す図である。図２６は限界一致電圧以下の位置電圧を比較的単純な対数関数で近似する波形計算法を示す図で、ある。Vlmtは限界一致電圧である。図２６はｍ値が大であるｍ組電気線路あるいは連続電気線路の波形の近似法を示す図である。
【０３２２】
図２６に示すように波形を位置電圧を２あるいは３分割して計算する。波形歪みの大きい位置電圧は３分割し、歪みが小さい位置電圧は２分割する。図２６の(t1,Vu)、（t2,Vm)および(t3,Vb)は分割点である。Vuは限界一致電圧Vlmtである。
【０３２３】
Vu、VmおよびVbを分割電圧およびt1、t2およびt3を分割時間とする。(t1,Vu)より大の波形をV(xd)k=Vo*[1-A(1)*sin(xd*π/2)*exp(-t/(αk))]より求める。(t1,Vu)と（t2,Vm)間の波形を対数関数１で計算する。（t2,Vm)と(t3,Vb)間を対数関数２で計算する。
【０３２４】
【数１６】
2006244523.tif 000028
【０３２５】
位置電圧の波形歪みが小さい場合には(t1,Vu)と(t3,Vb)間を対数関数３で計算する。Vbは図２４の波形計算が可能な最小電圧である。VmはVuとVbの中央部よりやや上に設定するのが望ましい。
【０３２６】
（数１６）は図２６に示す波形計算の一例を示す式である。αkはαｋ=αｒ/T(1)である。E(1)、E(2)およびE(3)はそれぞれ対数関数１、２および３で、Vu、VmおよびVbをそれぞれ0.95、0.6および0.2に設定している。
【０３２７】
（数１６）の（１）および（２）の位置電圧はV(xd)k、E1（対数関数１）およびE2（対数関数２）、（３）の位置電圧はV(xd)kおよびE3（対数関数３）および（４）の位置電圧はV(xd)kにより計算する。
【０３２８】
【数１７】
2006244523.tif 000029
【０３２９】
（数１７）はE1、E2およびE3の計算式である。（数１８）はVu、t1、t2およびt3の計算式である。（数１８）は(t1,Vu)、(t2,Vm)および(t3,Vb)は位置変数xdの関数で近似できることを利用すると導出できる。
【０３３０】
（数１８）の導出には数値計算が必要である。（数１８）の導出過程の説明は紙数を要するので省略する。なお、(t1,Vu)、(t2,Vm)および(t3,Vb)をそれぞれ(tu,Vu)、(tm,Vm)および(tb,Vb)と表記する場合があることを断っておく。。
【０３３１】
（数１６）、（数１７）および（数１８）による電気信号線路の波形計算は、限界一致電圧以下の位置電圧を二つの対数関数あるいは一つの対数関数による近似するために、比較的計算が容易な近似式になる。
【０３３２】
【数１８】
2006244523.tif 000030
【０３３３】
限界一致電圧以下を対数関数１と２で近似するか、あるいは対数関数３で近似するかの決定は、計算に必要とする精度によって異なるので一義的に定められない。VbあるいはVuの設定値についても同様である。
【０３３４】
（数１６）、（数１７）および（数１８）の計算は、パーソナル・コンピュータ一に使用される一般的な表計算プログラムで作成できる。勿論、精度を上げるには多少複雑な計算プログラムが必要になる。
【０３３５】
表計算プログラムによる位置電圧の計算結果を以下に示す。計算はRo=0Ω、R=1kΩ、C=200pF、Vo=1V、L=1mの条件で計算した。図２７は（数１６）によるxd=0.05〜0.1の位置電圧を示す図である。図２８は（数１６）によるxd=0.3〜1の位置電圧を示す図である。
【０３３６】
図２７および図２８おいて（数２）を位置分布（数１６）を位置ＨＫと表記して示す。図の誤差率は、（数２）に対する（数１６）の誤差を示す。図２７および図２８の計算では、出力抵抗値を０とした。
【０３３７】
xd<=0.05では誤差が10%を越すが、xdが大になると5%以下に収まる。xd>=0.7では終端電圧式と変わらない。限界一致電圧を0.2V設定したが、0.15V近辺までは使用できる。
xd>=0.3でV/Voが0.5近辺以上では2%以下程度の誤差になる。V/Voが高くなるほど誤差が小さくなるのは、（数１６）の特徴である。
【０３３８】
Ｍ型デバイスではV/Vo=0.5近辺以上の波形を利用することが多い。（数１６）はV/Vo=0.5近辺以上で誤差が小さくなるのでＭ型デバイスの波形計算に最適である。
【０３３９】
図２９は位置に対する電圧特性の一例を示す図である。図２９（１）および（２）は遅延時間をパラメータにした位置に対する電圧特性の一例を示す図である。αは、電気信号線路の時定数である。tは遅延時間である。
【０３４０】
図２９（３）は出力抵抗をパラメータにした位置に対する電圧特性の一例を示す図である。図２９に示すように、遅延時間あるいは出力抵抗による位置電圧の変化が一目で分かる。
【０３４１】
図３０は（数１６）および従来の波形計算法２による位置の時間電圧特性を示す図である。出力抵抗RoはRo=0である。電気信号線路の抵抗およびキャパシタンスはそれぞれ１ｋΩおよび200pFである。
【０３４２】
図３０の従来２は（数４）による従来の波形計算法２の計算結果、V(xd)kは（数１６）による計算結果および位置分布は（数２）による計算結果を示す。図３０（Ａ）にxd=0.5の時間電圧式および図３０（Ｂ）に遅延時間td=10^-6secの位置に対する電圧特性を示す。
【０３４３】
図３０に示すように従来の波形計算法２は（数２）および（数１６）とは大変異なる。従来の波形計算法２は誤差が非常に大きく、実用的な近似式でないことは明らかである。
【０３４４】
（数１８）から遅延時間式が求められる。対数関数式１、２および３はE(i)=exp(ki*t+bi)である。遅延時間式はt={ln(E(i))-bi}/kiである。位置に対する時間特性は位置に対する電圧特性より、やや計算式が複雑になるが、パーソナル・コンピュータの一般的な表計算プログラムを使って計算可能である。
【０３４５】
図３１は（数１８）による位置に対する時間特性の一例を示す図である。図３１（Ａ）は入出力比V/Voをパラメータにした位置に対する時間特性を示す図である。電気信号線路の抵抗およびキャパシタンスはそれぞれ１ｋΩおよび200pFである。図３１（Ａ）ではRo=0でV/Vo=Vraである。
【０３４６】
図３１（Ｂ）は出力抵抗Roをパラメータにした位置に対する時間特性を示す図である。図３１（Ａ）ではV/Vo=Vra=0.8である。図３１に示すように（数１６）を使用すると、位置に対する電気信号線路波形の遅延時間が一目で分かる。
【０３４７】
（数１６）は指数関数あるいは対数関数による一つの関数項から構成される。（数２）による位置に対する電圧特性あるいは位置に対する時間特性の計算より、（数１６）の計算は遙かに容易で便利である。
【実施例８】
【０３４８】
本発明の実施例８の電気信号線路の波形計算法について以下に説明する。すでに説明した符号および用語等の説明は省略する。（数１９）は実施例８の電気信号線路の波形計算法を示す計算式である。
【０３４９】
【数１９】
2006244523.tif 000031
【０３５０】
（数１９）は電気信号線路の切断周波数、切断時間および切断電圧を求める計算式である。fclは電気信号線路の切断周波数、tcは切断時間およびV(tc)は切断電圧である。
【０３５１】
（表７）は１〜５組の電気信号線路の切断周波数の計算結果を示す表である。（表７）のfclよびfc(m)はそれぞれ（数１９）および（数１２）の計算結果、誤差は(fc(m)-fc)/fc(m)である。
【０３５２】
【表７】
2006244523.tif 000032
【０３５３】
fc(m)は（数１２）から計算した20*log{|V(f)m/Vs(f)|}=-3dBをほぼ満たす周波数である。Ro=0、R=1000ΩおよびC=20000pFについて計算した。減衰率(db)は（数１２）に代入して求めた値である。（表７）に示すように、fclの誤差は1%内外で、（数１９）による電気信号線路の切断周波数は実用できる。
【０３５４】
（表８）は出力抵抗がある場合の（数１９）による電気信号線路の切断周波数の誤差率を示す表である。１〜５組電気線路について計算した。（表８）の誤差は（数１２）に対する誤差である。出力抵抗がある場合も（数１９）の誤差はRo=0と大差がない。
【０３５５】
【表８】
2006244523.tif 000033
【０３５６】
（数１９）の（１）から切断周波数に対応するパルス応答時の時間電圧特性の時間と電圧を計算できる。この時間および電圧がそれぞれtcおよびV(tc)である。tcおよびV(tc)を以下に説明する。なお、電気信号線路の組数を示す場合はfcl(m)と表記する。
【０３５７】
t=0で駆動端にVoを加えたときの電気信号線路の終端電圧をV(t)mとする。V(t)m=Vo*(1-A(1)m*exp(-T(1)m*t/αｒ))である。V(t)mにαｒ=T(1)m/(2*π*fcl(m))を代入すると、V(t)m=Vo*(1-A(1)m*exp(-2*π*fcl(m)*t))である。tc=1/(2*π*fc(m))とおくと、exp(-1)≒0.368よりV(tc)m/Vo=1-0.368*A(1)である。
【０３５８】
電気信号線路の時間係数および振幅係数をT(1)m=(π/2)^2およびA(1)m=π/4とすれば、電気信号線路のV(tc)mはV(tc)/Vo=0.532である。電気信号線路が１組のとき、tc=(R*C)でV(tc)/Vo=0.632である。0.632>電気信号線路のV(tc)/Vo>0.532を満たすので0.532~0.632は分割１のV/Voである。切断周波数は分割１の時間に対応するから、（数１９）には分割１の時間係数を用いればよい。
【０３５９】
（数１９）による波形計算法は、電気信号線路の切断周波数を、時間係数を用いて簡単に計算できること、パルス応答と正弦波応答との関係を把握できること等の効果がある。
【実施例９】
【０３６０】
本発明の実施例９の電気信号線路の波形計算法について以下に説明する。すでに説明した符号および用語の説明は省略する。図３２は本発明の実施例９の電気信号線路の波形計算法を説明する図である。
【０３６１】
図３２はキャパシタからなる電気信号線路の波形計算法を説明する図である。図３２（Ａ）はキャパシタからなる電気信号線路の説明図および図３２（Ｂ）は図３２（Ａ）の電気信号線路の時間係数の説明図である。
【０３６２】
図３２（Ａ）に示す電気信号線路は、キャパシタを直列に接続して最初と最後のキャパシタの端子の端子を電気信号線路の端子ａおよびｃとする電気信号線路
と端子ｂおよび端子を有する導体からなる電気信号路からなり、キャパシタの直列接続点と導体間に抵抗を挿入した構成からなる。CeはキャパシタおよびReは抵抗である。
【０３６３】
図１と同様に端子ａおよびｃ間を専用線および端子ｂおよびｄ間を共用線とする。 
図３２（Ａ）の電気信号線路をｍ組ＣＲ回路と略記する。組は図１と同様でceとreの組を１組とする。
【０３６４】
CeおよびReをそれぞれ要素Cおよび要素Rとする。専用線の両端間のキャパシタンスをｍ組ＣＲ回路および図３２（Ａ）に示す電気信号線路のキャパシタンスおよび抵抗をそれぞれC=Ce/mおよびR=m*Reとする。
【０３６５】
１組ＲＣ回路は積分型回路と呼ばれ１組ＣＲ型回路は微分回路と呼ばれるので、図３２（Ａ）に示す電気信号線路は微分型および図１の電気信号線路は積分型といえる。また、正弦波応答では、１組ＣＲ回路および１組ＲＣ回路はそれぞれハイパス・フィルター（HPFと略する）ローパス・フィルター（LPFと略する）と呼ばれる。
【０３６６】
ｍ組ＣＲ回路の波形計算式はｍ組電気線路と同様の方法で得られる。すなわち、（数１３）と同様の方法で求められる。図３２（Ｂ）は微分型の電気信号線路の波形計算を説明する図で、図１１を微分型に置換したものである。図１１で説明した内容、符号および用語については説明を省略する。V(f)b1、V(f)b2およびV(f)bmはそれぞれ１組ＣＲ回路、２組ＣＲ回路およびｍ組ＣＲ回路の終端電圧である。
【０３６７】
hp(m)をｍ組ＣＲ回路の抵抗係数とする。図１２に示す抵抗係数と同様の方法でhp(m)を求める。（数２０）は１〜５組ＣＲ回路の周波数電圧特性の計算式で（数１２）に対応する。ω=2*π*fでfは周波数である。
【０３６８】
図１２に示すhl(m)とは逆に、Rをhp(m)*R 
に置き換えて10*fc 以上の周波数で、１組ＣＲ回路の減衰率に一致する 
hp(m)を求める。hp(m)の求め方はhl(m)と同様であるので説明を略す。fcは１組ＣＲ回路の切断周波数である、fc=1/(2*π*R*C)である。
【０３６９】
【数２０】
2006244523.tif 000034
【０３７０】
（表９）は１〜５組ＣＲ回路のhp(m)を示す表である。（表９）のhp(m)-3dBおよびhl(m)-3dBは電気信号線路の切断周波数である。（表９）からhl(m)* 
hp(m)=1を満たすことが分かる。すなわち、H(1)m=1/T(1)mである。H(1)mをM組CR回路（微分型電気信号線路）の時間係数と定める。
【０３７１】
【表９】
2006244523.tif 000035
【０３７２】
図３３は微分型電気信号線の周波数電圧特性の一例を示す図である。図３３に示す１〜４組ＲＣ回路は１〜４組電気線路を示す。電気信号線の抵抗およびキャパシタンスをそれぞれ1kΩおよび200pFで計算した。微分型と積分型は完全に対称特性で、振幅係数は積分型と同じで値である。
【０３７３】
図３４は組数に対する微分型と積分型電気信号線路の時間係数特性を示す図である。微分型および積分型の時間係数はそれぞれH(1)mおよびT(1)mである。
【０３７４】
（数２１）は微分型の電気信号線路の波形計算式で積分型の（数１３）に対応する。（数１３）とほぼ同様であるので説明は略する。（表１０）に微分型電気信号線路の時間係数と振幅係数を示す。振幅係数は（表５）と同じ値である。
【０３７５】
【数２１】
2006244523.tif 000036
2006244523.tif 000037
【０３７６】
【表１０】
2006244523.tif 000038
【０３７７】
ｍ≧20を満たすとき、A(1)mは中心値をほぼ(4/π)にして1.26から1.28の範囲、A(2)m=1.23±0.01およびH(1)mは中心値をほぼ(2/π)^2にして0.404から0.415の範囲とする。
【０３７８】
ｍ＜２０を満たすとき、微分型の電気信号線路の振幅係数および時間係数はH(1)m、A(1)mおよびはA(2)mそれぞれをH(1)m=Hm±0.01、A(1)m=Am±0.01およびA(2)m=am±0.01おいてH2=0.656、H3=0.567、H4=0.523、H5=0.498、H6=0.481、H7=0.469、H8=0.458、H9=0.448、H10=0.441、H11=0.439、H12=0.435、H13=0.431、H14=0.428、H15=0.425、H16=0.422、H17=0.420、H18=0.418、H19=0.415、、A2=1.166、A3=1.203、A4=1.222、A5=1.232、A6=1.238、A7=1.244、A8=1.248、A9=1.252、A10=1.254、A11=1.257、A12=1.258、A13=1.261、A14=1.262、A15=1.262、A16=1.263、A17=1.264、A18=1.266、A19=1.266、a2=1.12、a3=1.15、a4=1.17、a5=a6=1.19、a7=a8=1.20、a9=a10=a11=a12=1.21、a13=a14=a15=a16=1.22およびa17=a18=a19=1.22とする。
【０３７９】
あるいは、ｍ＜２０を満たすとき、微分型の電気信号線路の振幅係数および時間係数はH(1)m、前記A(1)mおよびA(2)mそれぞれをH(1)m≒{1.36+0.37*ln(m)}^-1、A(1)m≒1.13+0.03*ln(m)およびA(2)m≒1.11+0.044*ln(m)とする。
【０３８０】
図３５は（数２１）による２〜30組ＣＲ回路の時間電圧特性を示す図である。計算に使用したパラメータは（表９）および（表１０）の値である。図３５は、２〜１５組ＣＲ回路の時間電圧特性に分割２まで、３０組ＣＲ回路に分割３までの（数２０）を用いた。積分型と同じく２０〜３０近辺以上の組数ｍ組ＣＲ回路の終端電圧は重なり区別がしにくくなる。
【０３８１】
図３６は積分型と微分型の１組、３組およびｍ値が大きい電気信号線路の時間電圧特性と周波数電圧特性を示す図である。このように（数１３）および（数２０）を使えば容易く電気信号線路の波形が求められる。図３６（Ａ）は時間電圧特性および図３６（Ｂ）は周波数電圧特性を示す図である。
【０３８２】
積分型と同様にｍ組ＣＲ回路の終端電圧をｘ組ＣＲ端電圧で疑似できる。（数１１）の時間係数を微分型に置き換えれば疑似回路の抵抗とキャパシタンスを計算できる。すなわち、抵抗R（疑似）={H(1)m/H(1)x}*RおよびキャパシタンスＣ（疑似）=Cすればよい。
【０３８３】
ｍ組ＣＲ回路の抵抗およびキャパシタンスをそれぞれＲおよびＣとする。図３６に示す連続CRは５組ＣＲ回路の終端電圧により30組以上のｍ組ＣＲ回路の終端電圧を疑似できる組数の微分型電気信号線路の時間電圧特性である。
【０３８４】
微分型の電気信号線路の切断周波数、切断時間および切断電圧をそれぞれfch、tcbおよびV(tc)bとする。（数２２）はfch、tcbおよびV(tc)bの計算式である。
（数２２）は（数１９）と同様の方法で導出されるので説明は省略する。
【０３８５】
【数２２】
2006244523.tif 000039
【０３８６】
これまで積分型で説明した内容は全て微分型に適用可能で、同様の効果を期待できる。特性が微分型と積分型では対称的で、時間係数が逆数の関係になることに注意する必要がある。
【実施例１０】
【０３８７】
本発明の実施例１０の電気信号線路の波形解析法について以下に説明する。すでに説明した符号および用語等の説明は省略する。図３７は実施例１０の波形解析を示す模式図である。
【０３８８】
１０は波形解析をする電気信号線路である。Vo1およびRoは駆動回路を表す。
Roは出力抵抗である。電気信号線路の抵抗およびキャパシタンスをそれぞれＲおよびＣとする。
【０３８９】
Vo1はパルス電源で振幅がVのパルスを出力する。Vは１０の振幅である。端子ａ、ｂ、ｃおよびｄは電気信号線路の端子で、端子ａおよびｃ間は専用線で端子ｂおよびｄ間は共用線である。Vo2は１０の動作を定める基準電源でVrefを出力する。
【０３９０】
VE波およびVD波はそれぞれ電気信号線路の駆動端および終端の測定波形（測定値）である。Verf 
およびＶは測定値である。図３７は電気信号線路の駆動端および終端波形の波形解析を説明する模式図である。
【０３９１】
Vo=V-Vref、終端波形の計算式をVE(αｒ)、電気信号線路の駆動端波形の計算式をVD(αr,d)および誤差電圧式をE(te,k)とする。VE(αｒ)には（数１３）あるいは（数１４）を適用できる。VD(αr,d)は（数１４）を使用する。
【０３９２】
VE(αｒ)=Vo*{1-A(1)m*exp(-T(1)m*t/αr)}およびVD(αｒ,xd)=Vo*[1-A*Σ[n=1,s]{1/(2*n-1)}*sin((2*n-1)*xd*π/2)*exp(-T*(2*n-1)^2*t/αr)]である。Σ[n=1,s]は１からｓまでの和をとることを表す関数である。αｒ={R+T(1)m*Ro}*Cである。
【０３９３】
t<te1においてE(te,k)=k1*t、te1≦t≦te2においてE(te,k)=k2およびte2≦ｔにおいてE(td,k)=A*exp(-T*(t-te2))とする。k2=Aおよびk1＝A/tee1である。VE波およびVD波はオシロスコープ等の精度が高い測定器を使用するのが望ましい。
【０３９４】
VE波の立ち上がり部分で、αｒ、k1、k2、te1およびte2を変えてVE波-VE(αｒ)-E(te,k)=誤差E1の計算をして誤差E1を最小となるαｒを求める。このαｒをαｒ(up1)とする。同様に、VE波の立ち下がり部分でVE波+Vo-VE(αｒ)+E(te,k)=誤差E2として、誤差E2を最小となるαｒを求める。このαｒをαｒ(doun1)とする。
【０３９５】
VD波の立ち上がり部分でVD波-VD(αｒ解,xd)-E(te,k)=誤差E3および前記VE波の立ち下がり部分でVD波+Vo-VD(αｒ解,xd)+E(te,k)=誤差E4とすると、xd、k1、k2、te1およびte2を変えて誤差E3あるいは誤差E4を最小とするxｄを求める。誤差E3および誤差E4を最小とするxdをそれぞれxde(up)およびxde(doen)とする。
【０３９６】
αｒ解は終端の波形測定で得られた値あるい既知の設計値を使用する。仮想終端が不明の時、駆動端の波形からαｒを定めることは難しい。但し、相対的な比較は可能である。両端駆動するそれぞれの駆動端波形が異なるのは主に駆動回路のバラツキに起因すると考えられるので、駆動回路のバラツキの比較はある程度可能であるが数値化することは難しい。勿論、共通線の両端駆動が行われていなければならない。
【０３９７】
誤差最小とする計算は複雑なように感じられるが、V/Voが0.8近辺以上でVE波-E(te,k)を最小とするαｒを求めてから、VE波+Vo-VE(αｒ)+E(te,k)を最小とする計算をすれば比較的容易にαｒ解が得られる。なお、te=te1=te2でもよい。
【０３９８】
終端波形の解析からαｒ解が求まる。αｒ={R+T(1)m*Ro}*CよりRとCが既知であるときRoが計算できる。Roの解析値は動特性の値で駆動回路等の設計および開発に有効である。駆動回路のRoは静特性から決定されることが多い。
【０３９９】
駆動端波形の解析から電気信号線路の仮想駆動端位置が定まる。あるいは後述する駆動回路の切断周波数が決定できる。仮想駆動端位置から電気信号線路の位置電圧の駆動端からの正確な値が計算できる。このような効果がある。
【０４００】
E(td,k)で表す誤差電圧は、V/Voが小さいところで発生するのでαｒ解の決定には極端な影響を与えない。駆動端波形は歪みが大きく終端波形より誤差を最小とする計算は終端波形の場合よりデリケートになる。
【０４０１】
誤差電圧は電源Vo1に重畳するので電源回路の特性によって、誤差電圧の振幅が変わる。電源回路の周波数特性がよければ歪み電圧の振幅はあまり大きくならない。
【０４０２】
電源Vo1が演算増幅器等のアナログ回路からなる場合、誤差電圧のピークはアナログ回路の電源にバイパスされる場合が多いので、E(te,k)の振幅をアナログ回路の電源電圧以下にするのが望ましい。
【０４０３】
図３８は駆動端および終端測定波形の一例を示す図である。図３８は液晶表示装置の走査線の波形写真で、画面に全面に白を表示したときの波形写真である。図３８（Ａ）および図３８（Ｂ）は終端の立ち上がりおよび立ち下がりの波形写真である。 
図３８（Ｃ）は駆動端の立ち上がりおよび立ち下がりの波形写真である。 
図３８（Ｄ）は測定波形をグラフにプロットした波形である。
【０４０４】
図３９はVE波-VE(αｒ)およびVD波-VD(αｒ解,xd)を最小としたときの波形を示す図である。V/Voが0.8近辺以上で誤差が最小となるようにした。最小とするαｒおよび位置変数はそれぞれαｒ解１=4μsecおよびxde(up)1=0.1である。VE波-VE(αｒ)＝誤差１およびVD波-VD(αｒ解,xd)＝誤差２である。なお、T(1)m=(π/2)^2およびA(1)m=(π/4)を用いた。（数１４）のｎはn=20とした。
【０４０５】
走査線の抵抗R=5kΩおよびキャパシタンスC=700pFである。αｒ=4μsecよりRo=290Ωと計算される。走査線の抵抗およびキャパシタンスは後述する。測定精度があまり高くないことを考慮すると、図３９および図４０の測定波形と計算値は良く一致していると見なせる。
【０４０６】
図３９の誤差は誤差電圧（歪み電圧ともいう）が重畳しているので誤差が大きいのである。図４０は測定波形から誤差電圧を除いた波形解析結果を示す図である。図３９より図４０の誤差が小さいことが分かる。
【０４０７】
図４０（Ａ）および（Ｂ）は図３８の波形について解析結果を示す図である。図４０（Ｃ）および（Ｄ）は全画面の表示を黒にしたときの波形を解析した結果を示す図である。
【０４０８】
図３９と図４０を比較すると歪み電圧の影響がよく分かり、誤差電圧式による波形解析が実用性があることが分かる。図４１は誤差電圧の一例を示す図である。
誤差電圧の測定値と計算値が比較的良く一致していることが分かる。図４０および図４１の計算に用いたαｒ解=4.2μsecで図３９のαｒより大きくなる。Ro解=405Ωである。
【０４０９】
図４２は測定に用いた液晶パネルの概略構成図である。画面の大きさはほぼ１７インチである。液晶パネルはＳＴＮ型である。図４２の駆動端測定部および終端測定部は波形測定した位置を表す。１２は信号線、１３は走査線および１４は画素である。１５および１６は信号線１２および走査線１３の駆動回路である。１７は液晶パネルである。
【０４１０】
波形解析にはE(te,k)を使用しないとαｒ解およびRo解の誤差が大きくなる。図３９、図４０および図４１から測定波形と計算結果がよく一致していることが示される。
【０４１１】
すなわち、図３９は、（数１３）および（数１４）等の計算式が実用的で波形解析を行える程度の精度を確保していること、従来の波形計算法１および２より遙かに実用的であること、液晶表示装置の走査線（勿論、信号線も同様に）がはしご形回路で表せるこおよび時間係数および振幅係数がそれぞれ(π/2)^2および(π/4)でよいこと等を明確に示すものである。
【０４１２】
従って、M型デバイスの走査線および信号線等の配線ははしご形回路の電気信号線路として扱うことができる。電気信号線路の一本は信号線あるいは走査線であるがもう一本は共通線と呼ばれる配線になる。
【０４１３】
詳細は後述するが、共通線もしくは共通線と呼ばれる配線はM型デバイスの動作点を定める基準電圧が加えられる。M型デバイスの配線を電気信号線路として扱うとき、信号線と共通線あるいは走査線と共通線を電気信号線路としなければならない。
【０４１４】
（数１３）および（数１４）と波形測定から計算される出力抵抗は、動特性での出力抵抗である。駆動回路の仕様書にある出力抵抗は静特性での出力抵抗である。駆動回路の実力値が把握できる。
【０４１５】
（数１３）および（数１４）を使用すれば比較的容易に波形解析が可能である。駆動端の波形解析が可能であることは本発明の電気信号線路の波形計算法の大きな特徴である。駆動端波形の解析から駆動回路の周波数特性を決定できる。
【０４１６】
以上説明したように、終端の測定波形から信号線電気線路あるいは走査線電気線路と駆動回路とによる時定数と歪み電圧を求められ、駆動端の測定波形から駆動端位置変数と歪み電圧を求めることができる。
【０４１７】
そのために、測定波形から動特性の駆動回路の出力抵抗、切断周波数、周波数抵抗成分、歪み電圧の振幅および形状あるいは電気信号線路の時定数を求める波形解析が可能である。後述の（表１３）に解析結果の一例を示す。
【０４１８】
図３９から図４１に示すようにM型デバイスの走査線および信号線に問題なく適用できる。波形解析から電気信号線路の特性を把握することあるいは波形解析に基づく駆動の解析から駆動を数値化することが可能である。Ｍ型デバイスやそれを用いた装置、特に平面型表示装置に非常に有効なツールとして活用可能である。
【実施例１１】
【０４１９】
本発明の実施例１１の電気信号線路の波形解析法について以下に説明する。すでに説明した符号および用語等の説明は省略する。図４３は実施例１１の電気信号線路の波形解析法の説明図である。
【０４２０】
２０は図４３（１）の電気信号線の等価回路である。図２に示す等価回路１０とほぼ同様である。図４３（１）の電気信号線路はの両端のいずれから駆動しても同じ回路になるので便利である。
【０４２１】
２０はM+1番目の要素Rの扱いを注意すれば（数１３）、（数１４）等の計算式を電気信号線路１０と同様に適用できる。１９は駆動回路である。１８は電圧切替器である。１８はパルス信号によって交互に電圧および接地電圧を出力する。GNDは接地である。２０の抵抗とキャパシタンスはそれぞれRおよびCである。Ioは駆動電流である。
【０４２２】
図４３（２）の図２２とほぼ同じである。符号の説明は略する。図４２の走査線と共通線とによる電気信号線路は図４３（１）に相当する。従って、M型デバイスの信号線あるいは走査線を電気信号線路として波形計算をする場合、図４３（２）を用いるのが望ましい。
【０４２３】
M型デバイスの信号線あるいは走査線は少なくとも数百、多い場合は数千に達するのでM+1番目のREは無視できる。（数１３）、（数１４）等の計算式を適用できる。
【０４２４】
液晶表示装置の駆動端波形が（数１４）で計算できるのは、（数１４）が仮想駆動端に理想パルスを加えたとして波形計算をするからである。液晶表示装置の駆動端波形が（数１４）の位置電圧にほぼ一致するのは、駆動回路による波形歪みが発生するからである。
【０４２５】
駆動回路による波形歪みは、周波数特性による波形歪みと出力抵抗と駆動電流による電圧降下によって引き起こされる波形歪みに区分できる。ｆを周波数とする。駆動回路の周波数帯域は駆動回路の切断周波数で表される。
【０４２６】
fdcを駆動回路の切断周波数とする。fdcは正弦波電圧であるVs(f)が入力されたときの駆動回路の出力電圧をVd(f)で表すと|Vd(fdc)/Vs(fdc)|=0.707を満たす周波数である。fdcに相当する時定数をαfoとして駆動回路の時定数とする。αfo=1/(2*π*fdc)である。
【０４２７】
出力抵抗と駆動電流による電圧降下によって引き起こされる波形歪みを波形歪み１および周波数特性、すなわち切断周波数による波形歪みを波形歪み２とする。
位置変数により電気信号線路の位置電圧をV(xd,t)とする。xdは位置変数である。（数１４）のVdvk=V(xd,t)である。
【０４２８】
波形歪み１はRo*Ioにより生じる。fdcが無限大とすると、駆動端の波形歪みはRoから生じるので、V(xd,t)はほぼVo-Ro*Ioで、V(xd,t)=Vo-Ro*Ioである。よって、（数１４）から駆動端波形歪みが計算されるが、実際の駆動端の位置、すなわちdv（駆動端位置変数）が不明で（数１４）を用いるのは不便である。
【０４２９】
（数２３）は駆動電流の計算式でIdvkは仮想専用線あるいは仮想共用線のxdで表される位置に流れる電流である。V(xd,t)=Vo-Ro*Io、（数１４）および（数２３）を用いると出力抵抗とdvの関係を求める近似式が得られる。dvは駆動端位置変数である。IdvkはほぼIoである。IdvkはI(xd,t)と表記する場合があることを断っておく。
【０４３０】
【数２３】
2006244523.tif 000040
【０４３１】
図４４はRoによる駆動端の波形歪みと駆動電流を示す図である。駆動電流はI(dv,t)である。dv=0.08の場合である。図４４の（２）はIdvkを示す図である。図４４で示す方法から駆動端位置変数とRo/Rの関係を求めることが可能である。
【０４３２】
（数２４）はRo/Rと位置変数の関係式の一例である。図４５はRo/Rとdvとの換算グラフを示す図である。図４５の位置変数xde 
はdv（駆動端位置変数）を表し、RpはRoを表す。図４４のIoは駆動電流である。V/Voが少なくとも0.7ないし0.8 
以上を満たす電圧でV(xd,t)-Idvk*Roをほぼ０に一致させることが望ましい。そのときのxdがdvである。
【０４３３】
図４５は（数２４）から計算した。（数２４）から出力抵抗の波形歪みが計算可能である。出力抵抗の波形歪みによる駆動端位置変数がdrとすると駆動端の波形はV(dr,t)である。
【０４３４】
【数２４】
2006244523.tif 000041
【０４３５】
fdcが電気信号線路の切断周波数よりかなり大きいとき、fdc以上のｆでVd(f)≧V(xd,t)を満たす能力があったとしても、電気信号線路の終端電圧はfdcの影響をあまり受けず、電気信号線路の終端電圧は理想パルで駆動される場合とさほど差がない。そのために駆動端波形はあたかも電気信号線路上にあるかのような波形に歪み、（数１４）より駆動端波形が計算できる。
【０４３６】
従って、図３８および図３９に示すように（数１４）で駆動端の波形が解析できる。図３８および図３９の駆動端波形は駆動回路の切断周波数による。出力抵抗による波形歪みは小さい。
【０４３７】
駆動回路の切断周波数による波形歪みが（数１４）から計算できる電気信号線路の特性を利用すると、駆動回路の切断周波数による駆動端波形歪みに対応するdvおよび駆動回路の切断周波数による終端波形歪み（遅延時間）を抵抗に換算することが可能である。
【０４３８】
駆動回路の切断周波数による終端波形歪み、すなわち遅延時間を抵抗に換算しその抵抗をRfoとする。Rfoを周波数抵抗成分とする。駆動回路の切断周波数による駆動端波形歪みに対応するdvをdfとし、駆動端波形をV(df,t)とする。
【０４３９】
電気信号線路の駆動端波形を予め把握して起きたい場合、駆動回路の出力抵抗と切断周波数からdrおよびdfを求めdr>dfを満たすとき駆動端波形をV(dr,t)およびdf≧drを満たすときV(df,t)を駆動端波形とすればよいのである。drおよびdfはいずれも駆動端位置変数(dv)である。
【０４４０】
Vfo=Vo*{1-exp(-t/αfo)}とV(xd,t)を利用するとdfを求めることができる。駆動回路がVfoの駆動パルスを出力するとき、fdc以上でVfo≧V(xd,t)を満たしたとしても、電気信号線路の位置電圧は（数１４）の特性に応じた電圧になるので、駆動回路の出力（駆動端の波形）は、Vfoと位置電圧とが互いに接する部分あるいはVfoと位置電圧とが互い重なり合う部分から（数１４）の特性に変わる。
【０４４１】
この位置電圧の特性は、駆動回路の出力がVfo=Vo*{1-exp(-t/αfo)}を満たさなくとも発生する。切断周波数が正しければ、Vfo=Vo*{1-exp(-t/αfo)}を利用してdfを求めることができる。Vfo=Vo*{1-exp(-t/αfo)}はfdcを把握しやすいので便宜的に利用するだけである。
【０４４２】
図４６はVfoおよび位置電圧とが互いに接する場合あるいは互い重なり合う場合の一例を示す図である。 
図４６（Ａ）の駆動端位置変数dv=0.165は図４０の駆動端波形の位置変数と同じである。
【０４４３】
dv=0.165ときのRfoは42Ωで、図４０の計算値Ro=405Ωの１割程度の大きさである。Rfoは後述する。図４０の出力抵抗の周波数成分はほ誤差範囲内である。
【０４４４】
図４６（Ｂ）のVfoはRfo=1021Ωで、駆動端波形のみならず終端波形の歪みに大きな影響を与える。実際の回路ではRoが存在するから、図４６（Ｂ）の波形歪みはさらに大きくなる。
【０４４５】
dfはαfo/αとdv（駆動端位置変数）の関係から求めることができる。（数２５）は駆動端位置変数とαfo/αの関係式の一例である。図４７はαfo/αと駆動端の位置変数dvとの換算表を示す図で、（数２５）より計算される。
【０４４６】
【数２５】
2006244523.tif 000042
【０４４７】
出力抵抗の波形歪みを示すdrは、（数２４）および図４５から決定できる。切断周波数の波形歪みは（数２５）および図４７から決定できる。駆動端波形の歪みは出力抵抗より切断周波数の影響が大きい。
【０４４８】
駆動回路の切断周波数による終端の波形歪みを表すRfoは、αfo/αの一次関数で表すことが可能である。（数２６）はRfo/Rとαfo/αの関係式の一例である。RfoはRおよびαはそれぞれ電気信号線路の抵抗および時定数である。Vfoを指数関数電圧とする。
【０４４９】
（数２６）に（数２５）を代入するとRofが計算可能である。（表１１）は（数２５）の定数o3よびo4の一例を示す表である。o3よびo4はV/Voの設定により値が変わる。o3よびo4は、ｍ組電気線路にVo*(1-exp(-t/αfo)の波形を加えたときの終端電圧から求めることが必要である。（表１１）の詳細な説明は紙数を要するために省略する。
【０４５０】
【数２６】
2006244523.tif 000043
【０４５１】
【表１１】
2006244523.tif 000044
【０４５２】
（表１１）のo3よびo4はそれぞれV/Voの一次関数で表すことが可能である。すなわち、o3=o7*(V/Vo)+o8およびo4=o9*(V/Vo)+o10である。（表１２）はo7、o8、o9およびo10の一例を示す表である。（表１２）による（数２５）の計算精度は（表１１）より劣る。
【０４５３】
【表１２】
2006244523.tif 000045
【０４５４】
図４５は駆動回路は駆動回路の設計あるいは波形解析に有効である。図４０の駆動端波形のdvは0.165である。（数２４）からdv=0.165のRo/Rは約0.28である。R=5kΩよりRoは1.4kΩで図４０の計算値Ro=405Ωとは大変異なる。Ro=405Ωによる駆動端の位置変数は（数２４）からdr=0.074である。
【０４５５】
測定波形のdvと計算によるdvが異なる理由は、図３８の駆動端波形の歪みは駆動回路の周波数特性によって生じるからである。すなわち、駆動端波形の歪みは駆動回路の周波数特性による。Roは駆動端波形歪みにあまり影響を与えない。
【０４５６】
駆動回路の切断周波数fdcが電気信号線路の切断周波数fclより十分大きい場合、電気信号線路の終端電圧に与える影響はRoが支配的でRfoの影響は小さい。通常使用される駆動回路の切断周波数fdcはfclはかなり高い。
【０４５７】
従って、駆動回路の切断周波数は駆動回路に用いる部品および負荷条件によって変化するので、Rfoは切断周波数による終端波形歪みを把握できる程度の精度を有すればよい。
【０４５８】
むしろ、駆動端の波形歪みを求めておくことが重要である。駆動端の波形歪みは、駆動端の位置変数から計算できる。駆動端の位置変数は（数２５）から計算される。周波数特性による電気信号線路の波形歪みの計算には（数２５）の必要度が高い。
【０４５９】
（数２３）に示す駆動電流式はやや複雑である。電気信号線路の時定数よりかなり小さい時間以外では（数２８）の駆動電流式が実用的である。（数２７）は駆動電流の近似式である。gi1はパラメータでIkの係数とする。
【０４６０】
電気信号線路の組数が20〜30以上ではg1=0.85、２段ではg1=1とすればよい。その範囲内で組数が増えるに従いgiを小さく設定すればよい。図４８は（数２３）および（数２７）による駆動電流の一例を示す図である。
【０４６１】
【数２７】
2006244523.tif 000046
【０４６２】
図４８（A）は電気信号線路（ｍ値が十分大のｍ組電気線路を指す）のIdvkおよびIkを示す図で、図４８（Ｂ）は２組電気線路の駆動電流とIkを示す図である。図４８（Ｂ）のio2は（数９）のI1+I2である。図４２に示すように時間t≧αｒ/7でIkは誤差が小さい。Ikは実用性が高い駆動電流の近似式である。
【０４６３】
図２７、図２８および図２９に示す位置に対する電圧あるいは時間特性は、仮想駆動端（位置変数xd=0）を原点にし、駆動回路の切断周波数を無限大にした特性である。Roがあると実駆動端はxd=0の位置ではなくdvになる。さらに駆動回路の切断周波数によりdvが変化する。
【０４６４】
図４９は位置の原点を駆動端および仮想駆動端にしたときの位置に対する電圧特性を示す図である。図４９（Ａ）は位置の原点を実駆動端および図４９（Ｂ）は位置の原点を仮想駆動端にした図である。
【０４６５】
図４９（Ｂ）のａはRo=0の理想駆動回路による特性で、ｂはRo=405ΩおよびRfo=0の駆動回路による特性である。Ro=405Ωによる駆動端位置変数をdv1とする。405/5k=8.1%を数２４）に代入するとdv1=0.074である。（数２６）からRfo=42Ωである。図４９（Ｂ）の矢印は実駆動端の位置を示す。
【０４６６】
図４９（Ａ）のｃは、Ro=0でfdc=1.27MHzの駆動回路による特性および。 
図４９（Ａ）のｄは、Ro=405Ωでfdc=1.27MHzの駆動回路による特性である。ｃおよびｄは駆動端の位置を位置変数の原点にしている。 
図４９（Ａ）に示すように、実駆動端の位置を位置変数の原点にした図は見やすいが、駆動端位置変数ごとに位置変数の単位が変わるので計算が複雑になる。
【０４６７】
（表１３）は図３８に示す測定波形をこれまで説明した計算式による解析結果の一覧表である。（表１３）は、（数１３）および（数１４）を基本とする計算式は波形解析に応用できることを示すものである。（表１３）の説明は省略する。
【０４６８】
【表１３】
2006244523.tif 000047
【０４６９】
（数２４）および（数２５）から実駆動時の電気信号線路の駆動端波形が計算できる。（数２５）および（数２６）から駆動回路の周波数特性による終端波形歪みが計算可能である。（数２３）および（数２７）から電気信号線路の駆動電流が計算できる、Ｍ型デバイス装置、特にM型表示装置の駆動回路の設計および開発並びに波形解析等を効率よく行いことができる等の効果がある。
【実施例１２】
【０４７０】
本発明の実施例１２の電気信号線路疑似回路について以下に説明する。すでに説明した符号および用語等の説明は省略する。電気信号線路の線疑似回路は組数が多い電気信号線路を小さい組数の電気信号線路と電気回路で疑似する回路である。
【０４７１】
図５０は電気信号線路疑似回路を説明する図である。１９は駆動回路、２０は電気信号線路、２１は電気信号線路疑似回路である。ａは２０、図４４の（２）の２組および１組電気線路の駆動端、ｂは２０、図５０（２）の２組および１組電気線路の終端である。
【０４７２】
ｃおよびｄは２０、図５０（２）の１組および２組電気線路の端子である。 
Io、I2dおよびI1pはそれぞれ２０、図５０（２）の２組電気線路および１組電気線路の駆動電流である。
【０４７３】
電気信号線路の振幅係数および時間係数はそれぞれT(1)MおよびA(1)Mである。 
V(t)Mは２０の終端電圧である。V(t)2は２組電気線路の終端電圧である。図５０（２）の２組および１組電気線路の抵抗およびキャパシタンスはそれぞれR(2)、R1p、C(2)およびC1pである。
【０４７４】
２１は２組電気線路の駆動端と１組電気線路の駆動端とを接続し、２組電気線路の端子ｂと１組電気線路の端子ｄを接続する構成である。２１の終端電圧はV(2,t)および駆動電流はI2d+I1pである。１組電気線路はR1pとC1pを直列接続した回路である。
【０４７５】
２１はV(t)2をV(t)Mにほぼ一致させ、I2d+I1pをIoにほぼい一致させ、２０の駆動電流Ioと終端電圧V(t)Mを疑似する回路である。すなわち、V(t)2≒V(t)MおよびI2d+I1p=Ioである。
【０４７６】
２組電気線路の要素Rよび要素CはそれぞれR(2)=T(1)2*R/(2*)T(1)M)およびC(2)=C/2である。１組電気線路の要素Ｒおよび要素ＣはR1pおよびC1pである。V(2,t)が電気信号線路２０の終端電圧をほぼ疑似することは（数１１）で示した。
【０４７７】
図５１は電気信号線路疑似回路の終端電圧の一例を示す図である。図５１（Ｂ）の誤差はV(t)Mに対するV(t)2の誤差である。
【０４７８】
出力抵抗Ro=0、R1p/R=3%およびC1p=C(2)/20で計算した。図５２は電気信号線路疑似回路の終端電圧の一例を示す図である。図５２（Ｂ）は図５２（Ａ）の時間を拡大した図である。図５２（Ｂ）にI1pを示す。
【０４７９】
図５２からI2dはIoに比較的良く一致することが分かる。Ioは（数２３）から計算した。Ioはt<10^-9では大きくなり、時間が小さくなるほど誤差が拡大する。
I1pはI2dの振幅が小さくなる領域でIoの振幅を疑似するための電流である。
【０４８０】
計算値Ioの振幅は計算値は時間が小さいほど大きくなるが、実際の駆動回路によるIoは駆動回路の応答特性あるいは出力特性の制約を受け、計算値Ioより小さい。図に示すような時間領域でIoの振幅に一致させれば実用上支障がない。
【０４８１】
C1pを大きくすると電気信号線路疑似回路の駆動電流が増えるのでC(2)/20程度以下が望ましい。I1pがR1pは駆動回路に適した振幅となるように設定し、R1p*C1p≦4*R(2)*C(2)を満たすことが望ましい。
【０４８２】
出力抵抗が増えると電気信号線路疑似回路の疑似精度が落ちる。図５３は出力抵抗が０のときの電気信号線路疑似回路の終端電圧の一例を示す図である。図５４は出力抵抗があるときの電気信号線路疑似回路の駆動電流の一例を示す図である。図５３および図５４は、出力抵抗が異なる以外図５２および図５３と同様である。
【０４８３】
２１の２組電気線路をｘ組電気線路に置き換えることができることは言うまでもない。ｘ組電気線路の要素Ｒおよび要素Ｃは（数１１）から計算できる。
【０４８４】
組数が多くなるほど電気信号線路疑似回路の終端電圧の疑似精度は高くなる。さらに、パルス駆動以外の駆動でも同様の効果が得られることを付け加えておく。なお、（数１１）を満たすｘ組電気線路を終端電圧疑似回路とする。
【０４８５】
終端電圧疑似回路および疑似される電気信号線路の終端電圧をそれぞれV(x,t)およびV(M,t)とする。{V(t)M-V(t)x}/V(t)Mがほぼ2%を満たす最小のV(t)MminとするとV(t)Mmin/Vo≧0.925-0.185*ln(x)である。xは終端電圧疑似回路の組数およびVoは駆動電圧の振幅である。
【０４８６】
１組電気線路からなる終端電圧疑似回路の終端電圧をV(t)1とする。電気信号線路疑似回路の終端電圧をV(t)M、電気信号線路疑似回路の時間係数および時間係数がそれぞれ(π/2^2)およびπ/2をほぼ満たすとき、V(t)M≒0.25+1.25*V(t)1である。
【０４８７】
V(t)Mmin/Vo≧0.925-0.185*ln(x)は終端電圧が疑似できる最小の電圧およびV(t)M≒0.25+1.25*V(t)1は１組電気線路からなる終端電圧疑似回路の終端電圧からV(t)Mが計算できるので、終端電圧疑似回路から電気信号線路疑似回路の終端電圧を推定するときに有用である。
【０４８８】
電気信号線路疑似回路は組数の多い電気信号線路を抵抗器とキャパシタからなる簡易な回路に置き換える回路である。従って、組数の大きい終端電圧疑似回路より小さい組数の終端電圧疑似回路が望ましい。勿論、長さの長い電気信号線路（連続電気線路を指す）を疑似することもできる。
【０４８９】
電気信号線路疑似回路が容易に移動できないような場合および電気信号線路疑似回路と駆動回路を容易に接続できない場合等でも、電気信号線路疑似回路により駆動回路の信頼性試験や評価することが可能である。特に、Ｍ型デバイスの信号線あるいは走査線はＭ型デバイスから分離できないので、駆動回路の設計および評価等に電気信号線路疑似回路を活用可能である。
【実施例１３】
【０４９０】
本発明の実施例１３のマトリクス型デバイス装置の駆動方法について以下に説明する。すでに説明した符号および用語等の説明は省略する。本発明のマトリクス型デバイスの駆動方法は、適正な終端波形を出力可能とする駆動回路の出力抵抗の決定法である。
【０４９１】
図５５は動作開始条件を説明する図である。電気信号線路によりt=0で電気信号を送るときに、V(t)Mを電気信号線路の終端電圧とする。V(t)Mが少なくとも所定のton以内にVonに達する必要があるときこれを動作開始条件とし、(ton,Von)と表記する。tonおよびVonはそれぞれ動作開始時間および動作開始電圧とする。
【０４９２】
図５５（Ａ）はRo=0およびRo=690Ω時間電圧特性を示す。Roは駆動回路の出力抵抗である。星印は動作開始条件である。Ro=0の時間電圧特性は図に示す動作開始条件を満たし、Ro=690Ωの時間電圧特性上に動作開始条件がある。
【０４９３】
Ro=0の時間電圧特性上の電圧をV(t)xとすると、V(t)x<(ton,Von)である。Ro=690の時間電圧特性上の電圧をV(t)xとすると、V(t)x=(ton,Von)である。さらに、終端電圧の立ち下がり波形が少なくとも所定のtoff以内にVoffに達する必要があるときこれを動作停止条件とし、(toff,Voff)と表記する。toffおよびVofはそれぞれ動作停止時間および動作停止電圧とする。動作開始条件と動作停止条件により電気信号線路の駆動をほぼ完全に定めることができる。
【０４９４】
Voを電気信号線路の波形の振幅とすると、V(t)Mは立ち上がり波形とすると立ち下がり波形はVo-V(t)Mである。V(t)Mにより電子機器を制御する場合、(ton,Von)が電子機器を動作させる条件および(toff,Voff)が電子機器を停止させる条件になる。
【０４９５】
図５６に示すＭ型デバイス装置では交点にある機能素子の動作を定める条件が
(ton,Von)および(toff,Voff)である。図５５（Ｃ）はＭ型デバイス装置の動作開始条件と動作停止条件を説明する図である。tonＭ型デバイス装置の各機能素子で、tonおよびtoffは最大の時間、VonおよびVoffは最大の電圧であることはいうまでもない。
【０４９６】
Ｍ型デバイスでは特別な場合を除いてVonとVoffはほぼ同じ値をとる。図５５（Ｃ）はVon=Voffとして走査パルスと信号パルスの関係を示す図である。走査パルスはＭ型デバイスの走査線に加えられる電圧および信号パルスはＭ型デバイスの信号線に加えられる電圧である。
【０４９７】
XN-1およびXNは図５６のXN-1およびXNの走査線の終端波形を示す。(M,N)はYMの信号線とXNの走査線の交点に位置する機能素子を示す。Y(M,N-1)およびY(M,N)はそれぞれ(M,N-1)および(M,N)の機能素子に加えられる信号パルスである。
【０４９８】
図５５（Ｃ）のＡは動作開始条件、Ｂは動作停止条件およびＣはXN-1およびXNの交点である。Ｍ型デバイスではＡの動作開始条件で機能素子は信号パルス応じた動作を開始するあるいはオンする。Ｍ型デバイスが表示装置のときには映像信号に応じた電圧を画素に加えて表示し始める。また、Ｍ型デバイスではＢの動作停止条件で機能素子は動作を停止するあるいはオフになる。
【０４９９】
TXは走査線に駆動パルスを加える時間（選択時間）で走査パルスのパルス幅である。TYは信号線に駆動パルスを加える時間で水平時間とも呼ばれ信号パルスのパルス幅である。
【０５００】
TXとTYがほぼ同じとき、走査パルスの波形歪みにより、(M,N-1)には(M,N)の信号パルスが加わる。図５５（Ｃ）ではtoffにより(M,N-1)にY(M,N-1)が加わるようにした図である。
【０５０１】
このようにＭ型デバイスの適正駆動をするためには信号パルスの幅より走査パルの幅を小さくすることが必要である。Ｍ型デバイスではVonとVoffはほぼ同じ値をとるから、動作開始電圧を定めるとtoffは決定される。
【０５０２】
動作開始および停止条件と（数１３）から電気信号線路の駆動回路を定めることができる。すなわち、Von≦Vo*{1-A(1)m*exp(-T(1)m*ton/αr)}である。αrからRoが計算できる。さらに、Voff≧A(x)m*exp(-T(x)m*toff/αr)}である。ｘは分割の数を表す。
【０５０３】
ton=-(αr/T(1)m)*ln{(1-Von/Vo)/A(1)m}およびtoff=-(αr/T(x)m)*ln{Voff/(Vo*A(x)m)}である。分割数をｘと表記したのは立ち下がりにおいて、Voff/Voは0.80以上の場合があり、分割１の（数１３）では誤差が多少大きくなるからである。
【０５０４】
図５５（B）は（数１３）による立ち下がりの波形である。図５５（C）の分割１、分割２および分割３は（数１３）の計算結果および（数１４）は（数１４）の計算結果である。（数１４）から時間を直ちに求めることはできない。（数１３）が便利である。
【０５０５】
図５５（B）に示すようにVoff/Voは0.80以上の場合には分割３程度までの時間係数が必要である。M型デバイスではＡ(1)mは中心値をほぼ(4/π)として1.26から1.28の範囲およびT(1)mは中心値をほぼ(π/2)^2として2.41から2.47の範囲を用いればよい。
【０５０６】
電気信号線の駆動は動作開始条件と動作停止条件により定められる。加えて、M型デバイスは図５５（C）に示すように走査パルスと信号パルスの関係から走査パルスの幅TXは、信号パルスの幅TYより少なくともtoff小さいことが必要である。
【０５０７】
走査パルスと信号パルスは立ち上がりは同期するので、信号パルスの幅TYは走査パルスの立ち下がりから少なくともtoff大きいことが必要である。TY＞TX+toffである。Voffに基づくtoffにより各機能素子に適正な信号を加えることができる。
【０５０８】
歪み電圧を考慮すると信号パルスの幅TYは走査パルスの立ち下がりからtoffの２割程度大きいことが望ましいが、歪み電圧は電気信号線路の構造や材料によって変化し、一義的に定めることが難しいので、動作開始および停止条件に歪み電圧の影響を含めることが望ましい。動作開始および停止条件に歪み電圧の影響を含める。
【０５０９】
動作開始および停止条件は機能素子特性に依存するが、走査線および信号線によって異なる。機能素子に対する走査線および信号線の駆動パルスの加え方が異なるからである。従って、動作開始および停止条件は信号線の停止条件あるいは走査線の動作開始時間等の表記する。
【０５１０】
動作開始および停止条件より電気信号線路の駆動方法が数値化できる。Von/VoあるいはVoff/Voが0.5より大きい場合が多い。特にＭ型デバイスではVoがかなり高いで電圧の利用率からVon/VoあるいはVoff/Voが0.5よりかなり大きい。
【０５１１】
従って、以降、動作開始条件を基本に電気信号線路の駆動方法を定める。Von/VoあるいはVoff/Voが0.5未満の場合には動作停止時間を基本に電気信号線路の駆動を定めることが望ましい。
【０５１２】
αr={T(1)m*Ro+R}*Cのとき、駆動回路の出力抵抗Roは、Ro≦-ton/{C*ln((1-Von/Vo)*A(1)m)}-R/T(1)mを満たすことが要求される。αr=(Ro+R)*Cのとき、出力抵抗Roは、Ro≦-ton/{C*ln((1-Von/Vo)*A(1)m)}-Rを満たすことが要求される。
【０５１３】
Ro1=-ton/{C*ln((1-Von/Vo)*A(1)m)}-R/T(1)m、Ro2=-ton/{C*ln((1-Von/Vo)*A(1)m)}-RおよびRoの最大値をRomaxとする。電気信号線路を適正に駆動方法は、RomaxをRo1あるいはRo2のいずれか一方に定めることである。Ro1<R02より、RomaxをRo1とすれば最適な駆動が可能となる。
【０５１４】
電気信号線路の時定数αの最大値をαmaxと定める。Ro=0で動作開始条件を満たす時定数がαmaxである。-ton/{C*ln((1-Von/Vo)*A(1)m)}-R/T(1)m=0より、α≦αmax=-(1)m*ton/ln((1-Von/Vo)/A(1)m)となる。さらに、αｒ≦αmaxである。（数２８）は動作開始および停止条件を満たす駆動の関係式を示す。Romaxは駆動回路の最大出力抵抗およびαmaxは電気信号線路の最大時定数である。
【０５１５】
【数２８】
2006244523.tif 000048
【０５１６】
なお、ほぼ同じ特性の駆動回路と電気信号線路の組が複数個ある場合、（数２８）のＲ、ＣおよびRoはその最大値とすることが必要であることを加えておく。
【０５１７】
次にＭ型デバイスと電気信号線路の関係およびＭ型デバイスの駆動方法を説明する。図５６はＭ型デバイスの概略構成図である。図５６（Ａ）はアクティブ型および図５６（Ｂ）は受動型Ｍ型デバイスの一例である。
【０５１８】
図５６は図４２と同様の構成図である。１２および２２は信号線、１３および２３は走査線である。２８は走査線および信号線の駆動端である。１４および２４は構成要素である。１５および２５は信号線駆動回路である。１６および２６は走査線駆動回路である。１７は受動Ｍ型デバイスである。図４２の液晶パネル１７は図５６の受動Ｍ型デバイス１７の一例である。
【０５１９】
３０は駆動回路１５、１６、２５および２６に駆動電圧を出力する駆動電源回路である。３１は駆動回路１５、１６、２５および２６ににデータあるいは制御信号を送る制御回路である。２９は共通端子で、Ｍ型デバイスの動作点を定める基準電圧が加えられる。
【０５２０】
２９は１７に備えられていない。なお、図５６（Ａ）および図５６（Ｂ）の走査線および信号線の本数はそれぞれＭ本およびＮ本である。２４は機能素子である。
【０５２１】
図５７は走査線と共通線の模式図である。２９は図示していないがＭ型デバイス２７の内部に配線されている共通線に接続されている。共通線は導体である。図５７の３２は共通線である。COM(0,0)は２９である。共通線は共通配線あるいはcom等と呼ばれる。
【０５２２】
図５７に示すように３２は平面で表される形状で線というより板である。従って、３２は共通配線板ともいう。特に液晶パネルのような外形寸法が大きいＭ型デバイスの共通線は平面の形状である。
【０５２３】
２３は絶縁体を挟んで３２の上に配線される。２２も同様の構成をとる。２３と２２の交点に２４が形成されている。２４は２３あるいは２２と３２間のキャパシタンスで表すことができる。
【０５２４】
２３と３２間のキャパシタンスcxと２２と３２間のキャパシタンスcyは異なる。すなわち、３２に対する２４のキャパシタンスはcxおよびcyがある。２３の機能素子あたりの抵抗をReiおよびcx=Ceとすると、図５７で走査線を表すことができる。図５７のX(1)、X(i)およびX(M)は走査線２３である。
【０５２５】
図５７のDTおよびETはそれぞれ２３の駆動端および終端である。３２は共通配線板の形状をとるので、３２の配線抵抗は２３の配線抵抗よりかなり小さく、ほぼ０と見なせる。ゆえに、２３は図５８に示す等価回路で表すことができる。２２も同様に等価回路で表せる。
【０５２６】
図５８は要素ＲがReおよび要素ＣがCeのM組電気線路を示す図である。図５８のM組電気線路は図５７のX(1)、X(i)およびX(M)をRe=Reiとしたものである。図５８に示すM組電気線路は図１等に示す１０および図４３の２０に適用できることはいうまでもない。すなわち、図１、図２および図４３に示す電気信号線路である。
【０５２７】
図５９は１６の出力回路の構成の一例を示す図である。３３は電圧切替器である。アナログスィッチ等が３３に使用される。３４は駆動回路の出力回路である。１６はVo1およびVo2の２値の電圧から一つを選択して１３に出力する。１６は、時間ｔで１本ないし数本の１３を選択してVo1を１３に加える。選択されない１３には１６はVo1を出力する。
【０５２８】
図５６（Ｂ）のＭ型デバイスの走査線駆動は図５４で表すことができる。図６０は時間ｔでの１３の駆動を示す模式図である。Roは１６の出力抵抗である。図６０に示す１６は走査線駆動回路を出力抵抗Roに置き換えたものである。
【０５２９】
図６０は時間tで１６が１本の１３にVo1およびその他の１３にVo2を加えた図である。１３の本数はＮ本である。１３はRoを介して並列に接続される。RoとRoに直列接続した１３を並列線とする。１３と１２の交点には１４が形成される。絶縁体を挟んで１３と１２は形成されるので、１４はキャパシタンスcp表され、cpは１３と１２の交点間に形成される。
【０５３０】
N-1本の１３はRoを介して並列に接続される。選択された１３のと(N-1)本の走査線はcpを介して結合するから、選択された１３の機能素子あたりのキャパシタンスはN*cp/(N-1)≒cpになる。１３の抵抗をＲとすると、並列線の抵抗は(R+Ro)/Nである。
【０５３１】
並列線の電圧はVo2でVo2は基準電圧である。１３および１４は並列線を共通線としたはしご形回路になる。１７の並列線は、図５７の３２に相当する。Nは数百以上あるので、並列線の抵抗は(R+Ro)と対してほぼ０と見なせる。よって、１３および１２も図５２のはしご形回路で表せる。
【０５３２】
２３および２２のキャパシタンスは３２に対するキャパシタンスである。２３および２２のキャパシタンスをそれぞれCxおよびCyとする。２３および２２のそれぞれの本数をＮおよびＭとすると、２３および２２の要素Ｃをそれぞれはcx/MおよびCy/Nである。
【０５３３】
１３および１２についても、並列線を共通線とすれば２３および２２と同様である。並列線はRoと選択されない１３からなるが、１３の抵抗よりRoはかなり小さく、並列線は並列接続した選択されない１３と見なせる。すなわち、共通線を備えないＭ型デバイスは並列接続した選択されない３２の役割を果たす。並列接続した選択されない走査線は共通線に相当する。
【０５３４】
図６１は図５７を回路図で表した図である。参考のために示す。同じ符号の説明は省略する。TFTは薄膜トランジスタである。３５は２６の出力回路である。図６１は２６が走査線XNを選択してVo1を出力し、他の走査線XN-1およびXN-2にはVO2を出力する状態を表す。cdは２４（機能素子）を構成するキャパシタンスである。
【０５３５】
共通線の抵抗（配線抵抗ともいう）が無視できない場合、走査線あるいは信号線を図５２のはしご形回路で記述するより、図６２のはしご形回路で記述するのが望ましい。図６２は共通線の抵抗を含めた走査線あるいは信号線を表す等価回路図である。
【０５３６】
Ruは共通線の抵抗を表し、Reが走査線あるいは信号線の抵抗を表す。図５２のReをRe+Ruとおくと、（数１３）〜（数１６）等でこれまで説明した計算式から、COM1（DTとCOM1間に駆動パルスを加える場合）に対する位置電圧あるいは終端電圧が計算可能なことを付け加えておく。
【０５３７】
図６２の等価回路は、Re、RuおよびCeを一組としてＭ組からなる電気信号線路を表す図である。ReをRe+RuとおくとRu=0の場合と変わりはない。図６２も抵抗とキャパシタンスを組とするはしご形回路である。
【０５３８】
（数２９）は図５６で示したＭ型デバイスの電気信号線路を定める式である。Ｍ型デバイスの走査線あるいは信号線は数百から数千あるので、Ｍ型デバイスの電気信号線路の時間係数をＴおよび振幅係数をＡと表記する。勿論、本数が２０〜３０本以下程度のＭ型デバイスの場合には（表５）の時間係数および振幅係数を使用しなければならない。
【０５３９】
（数２９）を満たすＭ型デバイスは積分型の電気信号線路の計算式である。走査線と共通線は一つの電気信号線路でありＸ電気線路と略する。信号線と共通線は一つの電気線路でありＹ電気線路と略する。
【０５４０】
（数２９）（Ａ）はＸおよびＹ電気線路の定義である。（数２９）（Ｂ）および（Ｃ）はＭ型デバイスの基本的駆動方法を示す式である。ＸおよびＹ電気線路は（数１３）〜（数１９）、（数２２）〜（数２９）および後述する計算式を適用できる。
【０５４１】
図５６〜図６２によりＭ型デバイスの電気信号線路が図１および図４３等の電気信号線路に相当することを説明したが、図３９および図４０でそれが実証されることを付け加えておく。
【０５４２】
【数２９】
2006244523.tif 000049
2006244523.tif 000050
【０５４３】
（数２９）は、ＺをＸあるいはＹの変数として、駆動端を仮想してこれを仮想駆動端Ｚとし、RoZの片方の端子と仮想駆動端ＺおよびRoZの他方の端子とＺの一方の端子を接続した導線を仮想して仮想Ｚとし、Ｚが両端の端子から駆動されるとき、前記Ｚ上の電圧が最小となる電圧の位置を仮想終端Ｚとして仮想終端Ｚは前記Ｚの片方の端子からの前記交点数で表して、駆動回路による仮想Ｚの駆動を、RoZと時間係数および振幅係数により時間t=0で前記仮想駆動端Ｚと共通端子間に電圧を加える駆動とするＭ型デバイスの駆動方法を示すもので、（数２９）（Ｂ）および（Ｃ）はＭ型デバイスの駆動方法の基本である。後述の両端駆動も（数２９）が基本になる。
【０５４４】
上記した駆動法はM型デバイスをX電気線路およびY電気線路の二つの電気信号線路に置き換えて、ＸおよびＹ電気線路の振幅係数、時間係数および駆動回路の出力抵抗から適正駆動を定めることができる。Ｍ型デバイス装置には複数の信号線および走査線からなるので、RZ、CZおよびRoZは最大値を用いることが必要である。
【０５４５】
上記したＭ型デバイスの駆動方法は、（数１３）〜（数１９）、（数２２）〜（数２９）および後述の計算式を用いると容易に実現できる。なお、両端駆動ついては後述する。
【０５４６】
また、図５７および図６２の電気信号線路モデルにおいて、機能素子が液晶で駆動電圧によりキャパシタンスが変化するとき、駆動電圧を複数に分けて、分けた駆動電圧毎にキャパシタンスを定め、機能素子がＥＬあるいは放電用ガスの発光物質で、発光時に抵抗性を示すときも、駆動電圧を発光前と発光後に分けて、要素抵抗および要素キャパシタンスを定め、あるいは、要素Ｒおよび要素Ｃに新たな抵抗成分を定めると、機能素子の構成材料が変化する影響を波形計算から計算可能になる。
【０５４７】
走査線あるいは信号線と共通線を電気信号線路として扱う場合、図４３に示す２０のａｃ間を信号線あるいは走査線、Bd間を共通線に置換すればよい。すなわち、走査線あるいは信号線は専用線に該当し、共用線は共通線に該当する。
【０５４８】
以上説明した駆動方法は、駆動回路による電気信号線路の適正駆動を容易に実現できること、適正駆動を数値化できることおよび適正な駆動回路を実現できること等の効果がある。はしご形回路からなる電気信号線路のみならずＭ型デバイスあるいはそれらを用いた電子デバイス装置等の電子機器のコストパフォーマンスを高くすることができる。
【実施例１４】
【０５４９】
本発明の実施例１４の電気信号線路の波形計算法およびマトリクス殻デバイスの駆動方法について以下に説明する。すでに説明した符号および用語等の説明は省略する。
【０５５０】
（数３０）は実施例１４を説明する式である。（数３０）はVo=Vcs*tにより電気信号線路を駆動するとき、電気信号線路の終端電圧および駆動電流の計算式とVo=Vcs*tによる駆動法を示す式である。V(t)mは電気信号線路の終端電圧およびI(t)mは駆動電流である。
【０５５１】
計算式（数３０）（１）は電気信号線路の波形計算式および（数３０）（２）は駆動方法を示す式である。Vcsは電圧時間係数である。電気信号線路はｍ組電気線路あるいは連続電気線路のいずれでもよい。勿論、Ｍ型デバイスの走査線あるいは信号線と共通線からなる電気信号線路でもよいことはいうまでもない。
【０５５２】
【数３０】
2006244523.tif 000051
【０５５３】
ＣおよびＲは電気信号線路の抵抗およびキャパシタンスである。T(1)mおよびA(1)mは電気信号線路の時間係数および振幅係数である。t1は（数１３）における分割１の境界時間である。t=0からの定電流駆動は理想の定電流駆動である。（数３０）ではt≧{2.5/T(1)m}*αにおいて定電流駆動を計算する。
【０５５４】
図６３はVo=Vcs*tによる電気信号線路の駆動を示す図である。３６はVcs*tを発生する電源である。Vcsは電圧時間係数である。２０は電気信号線路でＭ組電気線路である。V(t)mおよびI(t)mは２０の終端電圧と駆動電流である。
【０５５５】
（数３０）（１）から定電流Icsで電気信号線路を駆動するとき、V(t)mおよびI(t)mは計算可能で、(ton,Von)を定めれば（数３０）（２）から定電流駆動が定まる。
【０５５６】
増幅器の出力特性を表すパラメータにスルーレートがある。SRをスルーレートとする。SRは1マイクロ秒当たりの出力電圧の変化である。VcsはSRに該当する。SR=Vcs*10^-6である。SRの駆動に関しては、（数３０）（２）でVcs=SR*10^6よりIcs/C=SR*10^6とすれば適用できる。
【０５５７】
（ 
数１３）からt1=α/(q1*T(1)m)である。（表５）に示すようにq1=1.55〜1.8であるので、（数３０）ではq1=1.5としてt1=α/(1.5*T(1)m)とした。（数１１）および図４４等で示す疑似回路は、定電流駆動およびスルーレートによる駆動についても同様に適用できることを付け加えておく。
【０５５８】
図６４は（数３０）による計算結果の一例を示す図である。図６４では１組:Iのおよびは連続:IそれぞれVo=Vcs*tによる１組電気線路の終端電圧および連続電気線路の終端電圧を表す。図６４（Ａ）は対数グラフおよび図６４（Ｂ）は十進グラフである。
【０５５９】
図６４示す１組:Vおよび連続:Vはそれぞれパルス駆動時の１組電気線路の終端電圧および連続電気線路の終端電圧を表す。Vcs=5*10^6sec、Vo≦5Vで計算した。
【０５６０】
図６４（Ｂ）に示すように、１組:Vおよび連続:Vは時間にほぼ比例し、ｔが大になると、ほぼ定電流駆動になる。Vo=Vcs*tによる電気信号線路の終端電圧は、パルス駆動と同様に、１組電気線路と連続電気線路の終端電圧の間にある。
【０５６１】
（数３０）の導出について簡単な説明をしておく。図６３に示すように、t=0で電気信号線路の駆動端に電圧Vcs*tを印加するとき、I(t)m≒C*Vcs*{1-A(1)m*exp(-T(1)m*t/α)}およびV(t)m≒Vcs*t-C*Vcs*(R/T(1)m)*(1-A(1)m*exp(-T(1)m*t/α))である。t1は分割１の境界時間である。αはα=R*Cである。I(t)mおよびV(t)mは（数１３）から導出されるが詳細な説明は略する。
【０５６２】
時間ｔが大になると指数項は0に収束してI(t)m≒C*Vcsになる。すなわち、電気信号線路は定電流Ics=C*Vcsにより駆動される。定電流駆動とみなせるのは、t≧2.5〜3*α/T(1)mである。T(1)mは電気信号線路の時間係数である。ｍが大である電気信号線路ではt≧αおよび１組電気線路ではt≧2.5*αを満たす時間である。
【０５６３】
（数３１）はVo=Vcs*tで電気信号線路を駆動するときのV(t)mおよびI(t)mの計算式である。電気信号線路の抵抗はＲとキャパシタンスはＣである。t1は分割１の境界時間である。（数３１）から（数３０）を導出した。（数３１）の詳細な説明は略する。
【０５６４】
【数３１】
2006244523.tif 000052
【０５６５】
動作開始条件を(20μsec,8V)として、（数３０）からIcs 
あるいはSRを求める一例を示す。Ｍ型表示パネルの信号線の抵抗 4kΩ および 50pF とする。共通線の抵抗はほぼ０である。（数３０）から、 
50*10^-12*8/(20*10^-6)=20*10^-6A≦Icsである。また、SRはSR=Vcs*10^-6より0.4[V/ 
μsec]≦SRである。このように、動作開始条件を定めれば、（数３０）により定電流あるいはスルーレートの最小値を計算できる。μ=10^-6である。
【０５６６】
Ics=C*VcsあるいはSRの増幅器による駆動は、動作開始条件を(ton,Von)とすれば、Von≦V(ton)mより、ton≧{2.5/T(1)m}*αでVon≦Vcs*tonであると表すことができる。Icsを使うと、Von≦(Ics/C)*tonである。SRを使うと、Von≦SR*10^6*tonである。
【０５６７】
電気信号線路の時間定数と振幅定数により、定電流駆動およびスルーレート駆動を比較的簡易な（数３０）で表すことが可能で、動作開始条件を満たす定電流駆動およびスルーレートの適正駆動を容易に実現できる。Ｍ型表示パネルの信号線と共通線間に定電流駆動あるいはスルーレート駆動が用いられる。（数３０）および（数３１）より、Ｍ型デバイスの適正駆動を実現可能である。Ｍ型デバイスあるいはＭ型デバイスを用いた電子機器の設計および開発に有効活用可能である。
【実施例１５】
【０５６８】
本発明の実施例１５の電気信号線路の波形計算法について以下に説明する。すでに説明した符号および用語等の説明は省略する。図６５は本発明の実施例１５を説明する図である。
【０５６９】
図６５は電気信号線路の両端駆動を説明する図である。18aおよび18bは制御信号により２値の電圧を切り替えて駆動端に出力する駆動回路で、図４３の電圧切替器１８と同じである。Voおよび0V(GNDと図示)は２値の電圧である。
【０５７０】
２０は電気信号線路で専用線と共用線からなる。端子ａと端子ｃは専用線の端子および端子ｂと端子ｄは共用線の端子である。18aを駆動回路１および18bを駆動回路２とする。駆動回路１および２の出力抵抗をそれぞれRo1およびRo2とする。
【０５７１】
18aは専用線の端子ａおよび18bは専用線の端子cにほぼ同じ時間でほぼ電圧Voあるいは0Vに加える。共用線の両端子は接地されている。専用線の両端からほぼ同じ時間でほぼ同じ電圧を加えることを専用線の両端駆動あるいは電気信号線路の両端駆動と定める。共用線の抵抗はほぼ０とする。
【０５７２】
専用線の両端から駆動するとき、位置電圧が最小となる位置が存在する。位置電圧が最小となる位置を仮想終端と定める。仮想終端は実在する終端ではないが、
位置電圧が最小となる位置は実在するから、この点で仮想駆動端と仮想終端は異なる。端子ａを基点として仮想終端の位置変数をxdvおよび仮想終端の電圧をV(xdv)と定める。
【０５７３】
（数１４）、（数１５）あるは（数１６）に用いるxdとxdvは異なることに注意する必要がある。xdは仮想駆動端から終端までを表す変数で、xdvは駆動端（端子ａ）を基点した端子ａから端子ｃ（もう一方の駆動端）までの変数である。
【０５７４】
xdvは（数１４）、（数１５）あるは（数１６）の位置変数として使用できないことおよびV(xdv)は（数１４）、（数１５）あるは（数１６）の起算式を表す式ではないことをを付け加えておく。
【０５７５】
２０がＭ組電気線路であるとき、端子ａから仮想終端までの組数はxdv*Mの整数値である。２０が長さＬの連続電気線路のとき端子ａから仮想終端までの長さはxdv*Lである。
【０５７６】
図６６は図６５の両端駆動を表す等価回路図である。２０をＭ組電気線路とする。図６６はＭ組電気線路の両端駆動を示す図である。３７はスィッチSW1と出力抵抗Ro1からなる駆動回路１である。
【０５７７】
３８はスィッチSW2と出力抵抗Ro2からなる駆動回路２である。駆動回路１および２はそれぞれ図６４の18aおよび18bである。SW1およびSW2は連動スィッチである。２０の抵抗およびキャパシタンスはそれぞれRwおよびCwである。
【０５７８】
EVは端子ａから仮想終端までの組数である。EVはxdv*Mの整数値である。Mが小さい場合にはxdv*Mの整数値をとることは重要である。Mが百以上ある場合には計算するうえでxdv*Mとxdv*Mの整数値との誤差は無視できる。勿論、組の数は整数でなければならない。
【０５７９】
端子ａからEV組目の要素キャパシタンスCeの電圧がほぼ仮想終端電圧V(xdv)である。Iow1およびIow2はそれぞれ駆動回路１および２の駆動電流である。V(xdv)は仮想終端の電圧である。
【０５８０】
V(xdv)は２０の位置電圧（各要素キャパシタンスCeの電圧）の最小電圧である。従って、仮想終端を境界にして、Iow1はEV+1組以上に流れなくIow2はEV-1組以下に流れないから、ｘ組で電気信号線路を分離可能である。分離した電気信号線路の終端電圧はほぼV(xdv)である。
【０５８１】
（数３２）は仮想終端の位置変数xdvおよびV(xdv)の計算式である。（数３２）のδｒは出力抵抗Ro1とRo2の比を表す。（数３２）のδｒおよびkwをそれぞれ出力抵抗偏差および出力抵抗係数と定める。
【０５８２】
【数３２】
2006244523.tif 000053
【０５８３】
（数３２）は電気信号線路が仮想終端で分離しても分離した電気信号線路の時間係数と振幅係数がほぼ変化しない程度の組数の電気信号線路を対象とする。  （数３２）（ａ）xdvおよびV(xdv)の計算式、（数３２）（ｂ）は電気信号線路の両端駆動方法および（数３２）の（ｃ）は両端駆動の波形をxdvより求める波形計算式である。
【０５８４】
（数３２）を以下に説明する。図６７は仮想終端の位置で分離して駆動される電気信号線路を示す図である。20aおよび20bは仮想終端で２０を分離した電気信号線路である。20aおよび20bはそれぞれ駆動回路１および駆動回路２で駆動される。
【０５８５】
20aの抵抗およびキャパシタンスをそれぞれR1およびC1とする。20bの抵抗およびキャパシタンスをそれぞれR2およびC2とする。xdvより、R1=xdv*Rw、R2=(1-xdv)*Rw、C1=xdv*CwおよびC2=(1-xdv)*Cwである。EVはxdv*Mの整数値である。
【０５８６】
20aおよび20bのように端子ａあるいは端子ｃのいずれか一方から駆動される状態を専用線の片端駆動あるいは電気信号線路の片端駆動と定める。図１等でこれまで説明した駆動は片端駆動である。
【０５８７】
（数１）〜（数２８）までの計算式はすべて片端駆動において成り立つ。R1、C1、R2およびC2が定まると両端駆動の波形計算は（数１）〜（数２８）から計算可能である。R1、C1、R2およびC2を計算するにはxdvを決定する必要がある。
【０５８８】
図６８は連続電気線路の両端駆動を説明する図である。２０を長さＬの連続電気線路とする。図６６と同様に仮想終端で位置電圧が最小となる。
【０５８９】
端子ａからｌの長さの位置が２０の仮想終端である。l=xdv*Lである。２０の要素Ｒおよび要素Ｃそれぞれｒおよびｃとすると、Rw=L*rおよびCw=L*cである。その他は図６６と同様である。
【０５９０】
図６９は長さＬの電気信号線路を仮想終端で分離して駆動される電気信号線路を示す図である。図６７とほぼ同様で説明を略す。両端駆動を扱うにはxdvを求めることが必要である。
【０５９１】
（数１３）から仮想終端の位置変数を求めることが可能である。２０を分離した18aおよび18bの振幅係数と時間係数をそれぞれA(1)o、A(1)p、T(1)oおよびT(1)pとする。すなわち、18aはｏ組電気線路および18bはｐ組電気線路である。M=o+pである。
【０５９２】
（数１３）よりV(xdv)=Vo*{1-A(1)o*exp(-T(1)o*t/αro)}およびV(xdv)=Vo*{1-A(1)p*exp(-T(1)p*t/αrp)}である。αro={xdv*Rw+T(1)o*Ro1}*xdv*Cwおよびαrp={(1-xdv)*Rw+T(1)p*Ro1}*(1-xdv)*Cwである。
【０５９３】
Vo*{1-A(1)o*exp(-T(1)o*t/αro)}=Vo*{1-A(1)p*exp(-T(1)p*t/αrp)}より、A(1)o*exp(-T(1)o*t/αro)=A(1)p*exp(-T(1)p*t/αrp)である。αro={ln(A(1)p/A(1)o)}*{T(1)p/T(1)o}*αrpからxdvを求めることができる。
【０５９４】
分離した電気信号線路が異なる振幅係数と時間係数を有するために複雑になる。両端駆動に用いられるｍ組電気線路は数百から数千あり、分離した電気信号線路の振幅係数と時間係数は互いに同じ値をとると見なすことができる。すなわち、A(1)o=A(1)pおよびT(1)o=T(1)pである。
【０５９５】
A(1)o=A(1)pおよびT(1)o=T(1)pが成立するのは、xdvがほぼ0.5の場合を除くと、組数ｘあるいはx-1が20〜30以上あることが望ましい。18aおよび18bの振幅係数と時間係数をそれぞれA(1)、A(1)、T(1)およびT(1)とする。
【０５９６】
（数１３）より{T(1}*(Ro1+Ro2)+2*Rw}*xdv={R+T(1)*Ro2}を得る。Ro1=Ro2のときxdv=0.5は明らかでRo1とRo2の偏差が重要になる。δｒ=(Ro1-Ro2)/Ro1およびkw=Ro1/Rwとおく。δｒを出力抵抗の偏差およびkwを出力抵抗係数とする。
【０５９７】
{T(1}*(Ro1+Ro2)+2*Rw}*xdv={R+T(1)*Ro2}より、xdv={(1-δr)*kw*T(1)+1}/{(2-δr)*kw*T(1)+2}である。（数１３）からxdvが導出され、xdvからR1、C1、R2およびC2が定まり、２０の波形がV(xdv)から計算可能になる。xdvは（数３２）は（数１３）から得られる。
【０５９８】
従来の波形計算法１および２からxdvを計算可能だが、xdv=0.5においてさえV(xdv)の誤差が大きく実用的でない。（数３２）基づくと電気信号線路両端駆動の波形計算あるいは両端駆動を容易に実施できる。
【０５９９】
さらに、仮想終端電圧、両端駆動時の位置電圧、駆動電流、仮想駆動端電圧あるいは駆動回路の周波数特性等が比較的容易に決定できる。特に仮想終端電圧が正確に計算できるので仮想終端で電気信号線路を二つに分離し、両端駆動の電気信号線路を片端駆動として扱う波形計算ができる。
【０６００】
【数３３】
2006244523.tif 000054
【０６０１】
電気信号線路がM型デバイスの中に組み込まれて電気信号線路の両端の端子以外の波形がほぼ測定不可能な場合に（数３２）は有効である。M型デバイスでは仮想終端の波形はほぼ測定不可能である。
【０６０２】
（数３３）は両端駆動時の電気信号線路の時定数と駆動電流の近似計算式である。（数３３）に示す符号はすでに説明したの説明は省略する。
【０６０３】
図７０は電気信号線路の片端および両端駆動特性を示す図である。図７０では抵抗が2kΩおよびキャパシタンスが400pFの電気信号線路について計算した。図７０（Ａ）は遅延時間td=3μsecでの位置に対する電圧特性および図７０（Ｂ）はV?Vo=0.8での位置に対する遅延時間特性を示す。
【０６０４】
図７０に示す片端および両端はそれぞれ片端駆動および両端駆動である。片端駆動はRo=0の場合、両端駆動はRo1=Ro2=0、Ro1=Ro2=600ΩおよびRo1=Ro2=1.2kΩの特性を示す。駆動回路の切断周波数を無限大とした。図７０ではxd=0を仮想駆動端にしているので、図７０のＷで実駆動端の位置を示す。図７０の計算には（数１６）、（数２４）および（数３２）を用いた。
【０６０５】
図７０の両端駆動はRo1=Ro2で仮想終端の位置変数はxdv=0.5である。両端駆動される電気信号線路の抵抗R1はR1=0.5*2kΩである。Ro1=600ΩではRo1/R1=60%で、（数２４）からxde=0.261である。（数２４）から両端駆動の駆動端の位置変数をxdewとするとxdew=xde*xdv=0.13となる。同様にRo1=1.2kΩはxde=0.327でxdew=0.163である。図７０のＷはxdew=0.13およびxdew=0.163を示す。
【０６０６】
xdeの計算式である（数２４）および（数２５）は片端駆動で成り立つ。両端駆動の電気信号線路を（数２４）に適用する場合に（数２４）の駆動端の位置変数(xde)に（数３２）の仮想終端の位置変数(xdv)をかける必要があることを加えておく。
【０６０７】
図７０から駆動回路１および２の出力抵抗がほぼ同じとき、仮想終端は電気信号線路の中央部に位置することおよびRo=0の片端駆動はRo1=Ro2=1.2kΩの両端駆動にほぼ匹敵し、両端駆動の特性が優れていることが分かる。
【０６０８】
駆動回路１および２の切断周波数をfdcとしてfdc=1.07MHzおよびαｓ=1.5*10^-7secを一例にして（数２５）の両端駆動適用を説明する。抵抗5kΩおよびキャパシタンス700pFの電気信号線路を用いる。駆動回路１および２の出力抵抗はほぼ同じとする。
【０６０９】
駆動回路１および２の出力抵抗が同じであるとき、（数３２）から駆動回路１および２はそれぞれ2.5kΩ*350pFの時定数の電気信号線路を駆動すると見なせる。従って、αfo/α=2.5kΩ*350pF/αｓ=0.171である。（数２５）からαfo/α=0.171の駆動端の位置変数はxde=0.364である。
【０６１０】
図７１は両端駆動の位置に対する電圧特性を説明する図である。図７１（Ａ）はxd=0およびxd=1を仮想駆動端の位置にした図および図７１（Ｂ）はxd=0およびxd=1を実際の駆動端の位置にした図である。
【０６１１】
駆動回路１および２の出力抵抗はRo1=Ro2である。駆動回路１および２のfdc=1.07MHzである。（数２６）からfdc=1.07MHzのRfo=54Ωおよび（数２５）からxdew=0.181である。
【０６１２】
図７１のａはfdcが無限大でRo1=Ro2=0の条件、ｂはfdc=1.07MHzd(Rof=54Ω)でRo1=Ro2=0の条件およびｃはfdc=1.07MHzd(Rof=54Ω)でRo1=Ro2=(500+54)Ωの条件である。ｃはRo=500Ωでfdc=1.07MHzdの駆動回路により両端駆動した特性である。
【０６１３】
Ro1=Ro2=500Ωによる駆動端の位置変数はRo1/R1=20%である。（数２４）からxde=0.191である。従って、xdew=0,191*0.5=0.095でfdc=1.07MHzによるxdew=0.181より小さいから、図７１のｃの駆動端の位置変数は0.181である。
【０６１４】
図７２は電気信号線路と仮想終端および仮想駆動端との関係を説明する図である。図７２（Ａ）は電気信号線路の位置に対する電圧特性を示す図である。図７２（Ｂ）はＭ型デバイスの仮想終端および仮想駆動端の位置を示す図である。
【０６１５】
図７２ではxd=0とxd＝１が仮想駆動端置である。Ｗは両端駆動での駆動端位置を示す。40は走査線で両端駆動される。39は信号線で片端駆動される。41は信号線の駆動端および42は走査線の駆動端である。
【０６１６】
なお、図７２（Ａ）の両端駆動はRo1=Ro2=1kΩおよび片端駆動はRo=0で計算した。xdvは駆動端を原点にすることに注意する必要がある。
【０６１７】
図７２（Ａ）で片端駆動が39および両端駆動が40に対応させると、39はRo=0の駆動回路で片端駆動されるので仮想駆動端の位置変数xd=oが41の位置で、xdは実駆動端を原点になり、40はRo1=Ro2=1kΩの駆動回路で両端駆動されるので42の位置とxd=0およびxd=1とが一致しない。このように電気信号線路と位置変数の関係は出力抵抗により変化する。
【０６１８】
図７０、図７１および図７２により（数３２）、（数２４）、（数２５）および（数２６）の適用を説明した。両端駆動の波形計算は駆動回路が２あるので計算が複雑であるが、パーソナルコンピュータを用いれば容易にできる。
【０６１９】
（数３２）および（数３３）に基づくとＭ型デバイスの適正な両端駆動を実現可能できる。駆動回路の仕様書等に記載されている出力抵抗は、ほぼ直流抵抗であり駆動回路の周波数特性が含まれない。（数２６）より駆動回路の周波数特性を抵抗に換算すると、周波数特性を含む両端駆動時の波形計算が可能である。
【０６２０】
本発明の電気信号線路の波形計算によれば、仮想終端の位置を容易に計算可能で仮想終端の位置変数から両端駆動を片端駆動に変換して両端駆動の波形計算ができる等の効果がある。仮想終端の波形は測定不可能な場合が多い。Ｍ型デバイスの駆動に適用すると適正な両端駆動時を実現できること等の効果がある。M型デバイスを用いた装置にも同様の効果がある。
【実施例１６】
【０６２１】
本発明の実施例１６の電気信号線路の波形計算方法およびＭ型デバイスの駆動方法について以下に説明する。すでに説明した符号および用語等の説明は省略する。実施例１６は図６５〜図６９に基づき説明する。
【０６２２】
（数３４）は動作開始条件V(ton,Von)での図６５の両端駆動時の駆動回路１および２の最大出力抵抗と電気信号線路の最大時定数を求める計算式である。駆動回路１および２の最大出力抵抗はそれぞれRo1MおよびRo2Mである。
【０６２３】
【数３４】
2006244523.tif 000055
【０６２４】
（数３４）を以下に説明する。（数３２）においてRo1=Ro1M、Ro2=Ro2M、kw=kwMおよびδｒ=δrMとおくと、（数３４）（１）のxdvが得られる。適正駆動を実現するには、V(xdv)は動作開始条件V(ton,Von)を満たさなければならないので、Von≦Vo*{1-A(1)*exp(-T(1)*T/{(xdv*Rw+T(1)*Ro1M)*xdv*Cw}およびVon≦Vo*{1-A(1)*exp(-T(1)*T/{((1-xdv)*Rw+T(1)*Ro2M)*(1-xdv)*Cw}である。
【０６２５】
V(ton,Von)の動作開始条件より（数２８）あるいは（数３４）（２）のRo1MおよびRo2Mが得られる。（数２８）および（数３４）のRomax、Ro1MおよびRo2Mに駆動回路の周波数成分Rfoを含めてもよいことを加えておく。
【０６２６】
出力抵抗が０の駆動回路は存在しないので、Ro1MおよびRo2Mが０となる電気信号線路の時定数では駆動回路は動作開始条件を満たすことができない。Ro1M=0のときの電気信号線路の時定数αw1およびRo2M=0のときの電気信号線路の時定数はαw2である。
【０６２７】
両端駆動では電気信号線路が分離できるので、両端駆動での電気信号線路の最大時定数αwMはαw1とαw2のなかの小さい値である。（数３４）（５）は（数２８）（４）に対応する関係式である。
【０６２８】
図７３はgA/ton、(xdv)^-2および(1-xdv)^-2 
の計算値を示す図である。（数３４）にgAを示す。図７３のgAは動作開始条件(ton,Von)のパラメータが含まれる。動作開始条件は電気信号線路によってほぼ一定の値をとり大きく変化するパラメータではない。
【０６２９】
図７３（Ａ）にgA/tonとgA/tonの近似式および図７３（Ｂ）は(xdv)^-2および(1-xdv)^-2の計算値を示す。gA/tonはでほぼV/Vo=0.5以上について近似式gA/ton≒4.62-4.08*(V/Vo)でg2-g3*(V/Vo)の一次式で近似可能である。V/Vo=0.5以上では近似式を使うと便利で0.9≧V/Vo≧0.5のV/Voがよく使われる。0.9≧V/Vo≧0.5でgA/tonは0.97から2.13の範囲で変化は小さい。
【０６３０】
図７３（B）に示すPは(xdv)^-2および(1-xdv)^-2の交点である。(xdv)^-2=(1-xdv)^-2よりxdv=0.5である。駆動回路１および２の最大出力抵抗は独立して決定可能である。
【０６３１】
電気信号線路は１本であるから、電気信号線路の時定数はxdv=0.5の位置で最大値になる。すなわち、両端駆動される電気信号線路の最大時定数は4*gA*T(1)である。（数２８）より片端駆動される電気信号線路の最大時定数はgA*T(1)である。ここで、ga=-ton/ln((1-Von/Vo)/A(1))=-ton/{ln(1-Von/Vo)-ln(A(1))}である。
【０６３２】
αmaxを片端駆動の限界時定数および4*αmaxを両端駆動の限界時定数と定める。αmax=gA*T(1)である。限界時定数を越えた電気信号線路は適正駆動が不可能になる。限界時定数は出力抵抗を０の条件から得られるが、出力抵抗が０の駆動回路は存在しない。
【０６３３】
片端駆動の最大出力抵抗をRosMおよび両端駆動の最大出力抵抗をRowMとする。RowMは駆動回路１および２の最大出力抵抗である。製造する電気信号線路の抵抗をRpdおよびキャパシタンスをCpdとして、電気信号線路と駆動回路とによる時定数をαｒとする。両端駆動のαｒをαwとする。αｒ={Rpd+RosM*T(1)}*Cpdおよびαw={Rpd/2+RowM*T(1)}*Cpd/2とする。
【０６３４】
αｒがαmax未満の条件で製造すれば、片端駆動において(ton,Von)を満たす電気信号線路が製造できる。αwがαmax未満の条件で製造すれば、両端駆動において(ton,Von)を満たす電気信号線路が製造できる。
【０６３５】
Ｍ型デバイスの走査線と共通線からなる電気信号線路をＸ電気線路およびＭ型デバイスの信号線と共通線からなる電気信号線路をＹ電気線路と略して表記する。
【０６３６】
Ｘ電気線路と駆動回路の時定数をαrxとしてＸ電気線路両端駆動のαrxをαwxとする。αrx={RX+RoxM*T(1)}*CXおよびαwx={RY/2+RoxwM*T(1)}*CX/2である。
RoxMは走査線駆動回路の最大出力抵抗およびRoxwMは両端駆動する走査線駆動回路の最大出力抵抗である。RXはX電気線路の抵抗およびCXはX電気線路のキャパシタンスである。
【０６３７】
片端駆動時にはαrxをαmax未満あるいは両端駆動時にはαwxをαmax未満を満たすM型デバイスを製造すれば動作開始条件を満たすＭ型デバイスを製造できる。一般的に、Ｙ電気線路はＸ電気線路より時定数が小さいので、Ｘ電気線路の優先して扱えばよい。
【０６３８】
同じ仕様の電気信号線路あるいはＭ型デバイスにおいて動作開始条件および出力抵抗の最大値はほぼ同じであるから、上記製造方法によれば安定した品質および性能を確保した電気信号線路あるいはＭ型デバイスを製造できる。
【０６３９】
駆動回路１および２が同じほぼ同じ電気的特性を有する場合、すなわち、同一の規格で製造され駆動回路の仕様が同じ駆動回路からなる場合、駆動回路１および２の最大出力抵抗はRo1M=Ro2M 
で一つになる。
【０６４０】
ほぼ同じ電気的特性を有する駆動回路１および２の最大出力抵抗をRowMと定める。両端駆動時の最小位置電圧（最小の仮想終端電圧）はRo1=Ro2=RowMの駆動回路で駆動する場合で（数３４）よりxdv=0.5になる。この条件で（数３４）は非常に簡易な式（数３５）になる。
【０６４１】
（数３５）はほぼ同じ電気的特性を有する駆動回路１および２による両端駆動時の最大出力抵抗と最大時定数に関する計算式である。（数３５）は異なる電気的特性を有する駆動回路１および２による両端駆動時の計算式である。
【０６４２】
【数３５】
2006244523.tif 000056
【０６４３】
（数３６）は（数３５）のgA/tonをg2-g3*(V/Vo)とした計算式である。（数３５）は（数３４）より実用的である。V/Vo=0.9ではRowMはほぼ0.78*(td/Cw)-0.2*RwでαwMはほぼ3.88*td以下である。
【０６４４】
【数３６】
2006244523.tif 000057
【０６４５】
（数３４）より駆動回路１および２が最大出力抵抗のとき、仮想終端電圧が最小になることが分かる。図７４は駆動回路の出力抵抗による仮想終端電圧の変化を説明する図である。
【０６４６】
図７４のV(xdv)は駆動回路１および２が最大出力抵抗のときの仮想終端電圧である、図７４に示すＡおよびＢは出力抵抗(RowM,ROwM/2)および(RowM,RowM/4)の組み合わせたときの仮想終端電圧である。
【０６４７】
数百から数千以上の電気信号線路を有するＭ型デバイスでは駆動回路の出力抵抗をほぼ同じ値に揃えることは困難である。駆動回路の出力抵抗の値はばらつく。（数３４）の基づいて動作開始条件を定めると、駆動回路の最大出力抵抗を決定するだけで両端駆動の適正駆動が可能である。駆動回路の出力抵抗のバラツキを考慮する必要がなく、効率よく駆動回路の仕様を定めることができる。
【０６４８】
駆動回路１および２にＬＳＩを使用したとき出力抵抗のバラツキは最大出力抵抗を上限にして１０倍程度のバラツキがあり得る。Ro1=RowM、kw=2..5およびδｒ=0.1のときxdv=0.356、Ro2=Rowでkw=25およびδｒ=10のときxdv=0.644である。
【０６４９】
kwを大きくすると出力抵抗のバラツキに対するxdvの変化は小さくなるが、kwを大きくできるのが両端駆動の特徴である。出力抵抗のバラツキに対してxdvが変化するのはやむを得ない。
【０６５０】
駆動端から信号を送り終端で受信する一般的な電気信号線路の使用法において両端駆動があまり用いる必要がない。電気信号線路の両端から信号を送る両端駆動はＭ型デバイスに用いられる特有の駆動である。
【０６５１】
両端駆動はＭ型デバイスでも外形寸法が大きく電気信号線路の長さが長くなる表示装置に使用されているので、Ｍ型表示装置特の駆動法ともいえる。両端駆動は片端駆動に比べて駆動回路が倍になるのでコストアップになる。
【０６５２】
コスト的に両端駆動より片端駆動が望ましいことはいうまでもない。両端駆動の採用は高速駆動を要求され高品位の画像を表示する等の特別な場合を除いて、片端駆動で十分な性能を発揮できない場合に限られる。
【０６５３】
電気信号線路を片端駆動する駆動回路の出力抵抗をRosとする。αrs={Rw+T(1)*Ros}*Cw、αw1={xdv*Rw+T(1)*Ro1}*xdv*Cwおよびαw1={(1-xdv)*Rw+T(1)*Ro1}*(1-xdv)*Cwである。
【０６５４】
電気信号線路は片端駆動の限界に近い時定数を有するとする。(数１３)および（数３２）よりVo*{1-A(1}*exp(-T(1)*t/αw1)}≦Vo*{1-A(1}*exp(-T(1)*t/αrs)}およびVo*{1-A(1}*exp(-T(1)*t/αw2)}≦Vo*{1-A(1}*exp(-T(1)*t/αrs)}を満たすことが必要である。満たさなければ両端駆動を用いる意味が失われる。
【０６５５】
【数３７】
2006244523.tif 000058
【０６５６】
よって、αw1≦αrsおよびαw2≦αrsから（数３７）を得る。（数３７）は片端駆動と両端駆動を比較して両端駆動の出力抵抗Ro1およびRo2を定める計算式である。
【０６５７】
（数３７）の符号は（数３４）の符号を用いる。（数３４）は動作開始条件より両端駆動時の駆動回路の最大出力抵抗を求める。（数３４）が基本的な計算式であるが、片端駆動と比較可能なとき（数３７）は現実的で実用性が高い。
【０６５８】
（数３７）（１）は駆動回路１および２が異なる電気的特性を有する場合の計算式で（数３７）（２）は駆動回路１および２がほぼ同じ電気的特性を有する場合の計算式である。駆動回路１および２がほぼ同じ電気的特性を有する場合、駆動回路１および２の最大出力抵抗はxdv=0.5で決定すればよい。
【０６５９】
電気信号線路は片端駆動の限界に近い時定数を有するからRos/Rは小さく０と見な見なすことができる。1.5/T(1)はほぼ0.608であるから（数３７）（３）を得る。(数３７)（３）は片端駆動では限界に近い電気信号線路を駆動可能な両端駆動の最大出力抵抗を定める計算式である。駆動回路１および２はほぼ同じ電気的特性を有することが条件である。
【０６６０】
片端駆動をされるM型表示パネルをAとする。Aとほぼ同じ電気的特性を有するM型表示パネルをBとする。ＡとＢは同じ製造工程で製造され外形寸法あるいは電気的な仕様がほぼ同じ表示パネルと見なせる第１の場合あるいは製造工程が異なり外形寸法等の物理的な仕様が異なるが電気的な仕様はほぼ同じである第２の場合に区分される。
【０６６１】
ＡとＢ共に片端駆動では適正駆動がほぼ限界に近い表示パネルのとき、（数３７）を第１および第２の場合のＡとＢに適用できる。第１の場合はＡを用いたＭ型表示装置の改良を計る場合に相当する。第２の場合はＡを改良をしたＢを用いたＭ型表示装置の一層の改良を計る場合である。従って、製造工程の変更あるいは外形寸法の変更が生じる場合がある。
【０６６２】
ＡとＢはほぼ同じ電気仕様であるから、Ａの片端駆動の出力抵抗からＢを両端駆動する出力抵抗の最大値が（数３７）で決定される。Ａの片端駆動の出力抵抗が不明確のとき（数３７）のRosを０にすればよい。Ａの片端駆動を基にして両端駆動の可否と両端駆動時の出力抵抗の上限を決定できるので合理的である。
【０６６３】
ＡとＢはほぼ同じ電気仕様とは、両端駆動するＹあるいはＸ電気線路の抵抗とキャパシタンスあるいは時定数がほぼ同じであり、ＡとＢそれぞれの画素について動作開始および停止時間に差がないことを指す。M型表示パネルはＸ電気線路の時定数がＹ電気線路より大でかつＸ電気線路を高速駆動することが必要であるために、Ｘ電気線路を両端駆動する場合が多い。
【０６６４】
（数３４）、（数３５）および（数３７）のtonおよびtoffは（数２８）と同様なので説明を略した。（数３４）〜（数３７）をM型デバイス装置に適用する場合、RwおよびCwは最大値を用いることが必要である、
【０６６５】
第１の場合について波形測定した図３８に示す液晶パネルを例にして、（数２８）、（数３４）および（数３７）（３）の計算結果を示す。図３８の液晶パネルのＸ電気線路の抵抗およびキャパシタンスはそれぞれ5kΩおよび700pFである。動作開始条件を(3.2.μsec,0.85)とする。両端駆動の駆動回路はほぼ同じで電気的特性を有するとする。
【０６６６】
（数２８）からＸ電気線路を片端駆動するときRomax=111Ω、（数３４）からＸ電気線路を両端駆動するときのRowM=3261Ω、および（数３７）（３）からRowM=3000Ωである。（数３８）は（数３４）とほぼ一致する。（数３７）（３）は（数３４）に対して誤差10%以下で小さい値である。
【０６６７】
（数３７）は両端駆動の駆動方法を決定に動作開始条件を考慮する必要がなく、
片端駆動する駆動回路の出力抵抗に基づき両端駆動する駆動回路の最大出力抵抗を決定により両端駆動されるＭ型表示装置の適正駆動を実現できる。そのために
効率よく両端駆動の採用の可否が決定でき、コストパフォーマンスの高いＭ型表示装置を実現できる。
【０６６８】
（数２８）、（数３４）から（数３７）の出力抵抗に周波数成分を表すRfoを含め、出力抵抗の決定にはRfoを求めておくことが望ましい。Rfoを含む出力抵抗を有する駆動回路を用いると両端駆動されるＭ型表示装置の適正駆動を実現できることはいうまでのない。（表１４）は（数２６）から計算される駆動回路の周波数特性をRfoに換算する表である。（表１４）はRfoの一例で、詳細な説明は省略する。
【０６６９】
【表１４】
2006244523.tif 000059
【０６７０】
図３８の液晶パネルのαfo/αは0.042である。の周波数特性は片端駆動と同じとすると、両端駆動でαfo/αは4*0.042である。（表１４）よりV/Vo=0.85のRfo/R≒4.5%であるが、（表１４）のRfo/Rは片端駆動の表である。
【０６７１】
両端駆動ではRfo/Rは9%である。（数３８）からRowM/Rw=60%である。両端駆動時の出力抵抗は許容範囲が大きいので、片端駆動より周波数特性が劣る駆動回路を用いることができる。
【０６７２】
片端駆動より周波数特性を悪くして、αfo/αを0.32にすると（片端駆動の切断周波数の1/2）Rfo/Rwは11.5%である。（数２５）から駆動端の位置変数xde=0.5/2=0.25である。RowM/Rw=60%に対してRfo/Rw=11.5%は実現可能な値である。
【０６７３】
両端駆動の周波数特性を悪くすると、（図７１）（Ｂ）に示すように位置に対する電圧特性を平坦に近づけることができる。仮想終端電圧が動作開始条件を満たす範囲で位置に対する電圧特性を平坦にすることが望ましい。
【０６７４】
両端駆動の出力抵抗許容幅が大きいことを利用して、片端駆動より周波数特性が劣る駆動回路を両端駆動に用いると、位置に対する電圧特性が片端駆動よりかなり平坦になるために各機能素子（画素）に加わる駆動電圧が均一になること、駆動電流の波形が鈍り基準電圧回路あるいは電源回路の動作が安定するうえパルスの高調波から生じる不要輻射を低減することおよび周波数特性の劣る駆動回路は低コストであるため駆動回路のコストダウンが可能なこと等の効果が期待できる。
【０６７５】
両端駆動は高速の駆動である。しかし高速駆動の目的は終端波形の歪みを動作開始条件内に入れることが目的で、駆動端波形を急峻にすることが目的ではない。従って、動作開始条件を満たす範囲で駆動回路の切断周波数を下げることが好ましい。
【０６７６】
さらに、両端駆動を採用する理由として電気信号線路の時定数により動作開始条件を満たせなくなることが多く、駆動回路の切断周波数により動作開始条件が満たされなくなることは希である。勿論、全ての電気信号線路に当てはまることはなく、外形寸法が大きいＭ型表示デバイスにその傾向が強い。
【０６７７】
片端駆動の駆動回路より周波数特性が悪い駆動回路による両端駆動をすると、上記の効果が期待できる。両端駆動の駆動回路の切断周波数は片端駆動の切断周波数の半分以下が望ましいが、勿論、片端駆動の切断周波数が適正であることが条件である。片端駆動の切断周波数はαfo/αを0.1以下とすることがが望ましく、両端駆動の駆動回路の切断周波数はαfo/αを0.4以下とすることがが望ましい。
【０６７８】
さらに、両端駆動する場合、共通端子を駆動回路の両外側に配置して適正な共通線駆動を実現することが好ましい。共通端子の配置と共通線の駆動方法は後述する。
【０６７９】
（数２８）〜（数３７）で最大値の表記について若干の補足説明をしておく。当然であるが、これまでに説明した（数６）〜（数３７）は一本の電気信号線路を対象とする。
【０６８０】
ほぼ同じ電気的特性からなる複数の駆動回路と電気信号線路を対象として、（数６）〜（数３７）から駆動回路あるいは電気信号線路の仕様を決定する場合は駆動回路の出力抵抗、電気信号線路の抵抗およびキャパシタンス等は最大値を用いることが必要である。
【０６８１】
例えば、電気信号線路上に複数個の機能素子がある場合に動作開始時間は複数個の機能素子の最大値であり、M型デバイスの場合にM型デバイスを形成する機能素子の最大値であることは自明であるし、そのような記載をすると簡潔な表記ができないので（数６）〜（数３７）では断りをしていない。
【０６８２】
（数２８）〜（数３７）で最大値の表記をするのは次の場合である。ある電気信号線路に適正な駆動回路を選択する場合、駆動回路の最大値を決定する必要があるので、（数２８）〜（数３７）において最大出力抵抗と表記した。
【０６８３】
また、ある駆動回路が仕様の異なる電気信号線路を駆動する場合、電気信号線路の時定数の最大値を決定する必要があるので、（数２８）〜（数３７）において最大時定数と表記した。上記以外の場合には、（数６）〜（数３７）から最大値を求めることが必要である。
【０６８４】
本発明の電気信号線路の波形計算法およびM型デバイス装置の駆動方法等は
以上に説明したように、ほぼ同じ電気信号線路あるいはほぼ同じM型デバイスの片端駆動を基にして両端駆動の採用を決定する場合に大きな効果がある。特に、外形寸法が大きいＭ型表示パネルあるいはＭ型表示装置に適する。
【実施例１７】
【０６８５】
本発明の実施例１７の電気信号線路の波形計算法およびＭ型デバイスの駆動方法について以下に説明する。すでに説明した符号および用語等の説明は省略する。図７５は実施例１７の電気信号線路の波形計算法およびＭ型デバイスの駆動方法を説明する図である。
【０６８６】
図７５は電気信号線路両端の定電流駆動を説明する図である。図７５の４３および４４は駆動回路である。４３は駆動回路１および４４は駆動回路２である
２０は電気信号線路である。端子ａおよびｃ間をＭ型デバイスの信号線とする。端子ｂおよびｄ間をＭ型デバイスの共通線とする。
【０６８７】
Ics1およびIcs2はそれぞれ駆動回路１および２の駆動電流で定電流である。ほぼ同時に４３はIcs1で端子ａおよび４４はIcs2で端子ｃを駆動する。（数３０）より駆動開始後、時間ｔ≧{2.5/T(1)}*Rw*Cwで４３および４４はそれぞれ定電流動作をする。
【０６８８】
（数３８）は両端定電流駆動の仮想終端電圧と仮想終端の位置変数の計算式である。（数３８）（１）は両端定電流駆動および（数３８）（２）は両端スルーレート駆動での仮想終端の位置変数および仮想終端電圧を示す。
【０６８９】
（数３８）を以下に説明する。定電流両端駆動も、図６５等に図示したパルス駆動と同様に電気信号線路上に仮想終端が生じる。駆動回路１がIcs1、駆動回路２がIcs2の定電流でほぼ同時間で両端駆動をする場合、（数３０）より仮想終端電圧はV(xdvt)={IcsI/(xdv*Cw)}*t={Ics2/((1-xdv)*Cw))}*tで仮想終端の位置変数はxdv=Ics1/(Ics1+Ics2)あるいはxdv=1-Ics2/(Ics1+Ics2)である。
【０６９０】
駆動回路１および２のスルーレートをそれぞれSR1およびSR2として、 
SR1およびSR2で電気信号線路を両端駆動する場合、スルーレートは１μsec(10^-6sec)当たりの電圧の変化であるからIcs1*t/(x*Cw)={SR1/(10^-6)}*tおよびIcs2*t/((1-xdv)*Cw)={SR2/(10^-6)}*tである。ゆえに、Ics1=(x*Cw)*SR1*10^6およびIcs2=(1-xdv)*Cw*SR2*10^6である。
【０６９１】
【数３８】
2006244523.tif 000060
【０６９２】
Ics1=(xdv*Cw)*SR1*10^6およびIcs2=(1-xdv)*Cw*SR2*10^6を（数３８）（１）に代入すると（数３８）（２）になる。なお、（数３０）および（数３１）記載のVcsを用いるとVcs=SR*10^6である。SRによる片端駆動はVcs=SR*10^6を（数３０）および（数３１）に代入すると求めることができる。
【０６９３】
パルス駆動は駆動端波形の立ち上がり（あるいは立ち下がり）時間の大小によって分類できる。駆動パルスの立ち上がり時間が小さいときパルス駆動として、（数３０）、（数３１）あるいは（数３８）から駆動パルスの立ち上がり時間が大きい場合は定電流駆動あるいはスルーレート駆動として電気信号線路の駆動を扱うことが可能になる。
【０６９４】
映像信号等を扱うアナログ回路とデジタル回路が混在するＭ型デバイスの駆動回路では、駆動パルスの振幅がアナログ量であることが多い。そのため駆動回路にアナログスィッチあるいは演算増幅器等のアナログ回路が用いられる。演算増幅器等のアナログ回路の出力特性はスルーレートで表される。このようなとき、定電流をスルーレートに置き換えて波形計算に用いた方が便利である。
【０６９５】
本発明の電気信号線路の波形計算法によれば、定電流あるいはスルーレートによる両端駆動の波形計算が可能になる。定電流両端駆動の電気信号線路の駆動、特にＭ型表示装置に有効である。
【実施例１８】
【０６９６】
本発明の実施例１８のマトリクス型表示装置について以下に説明する。すでに説明した符号および用語等の説明は省略する。図７６は本発明の実施例１８を説明する図である。
【０６９７】
COM(0,0)、CM(0,N)およびCOM(M,0)は共通端子２９である。３２は共通線で面状の形である。Vroは電源である。Vr、Vr1およびVr2は基準電圧である。３２は共通線で面状の形である。図７６の３２は模式図である。マトリクス型表示装置をＭ型表示装置と略する。
【０６９８】
図７６は共通端子２９それぞれに３種類の基準電圧Vr、Vr1およびVr2を加えて共通線２９を駆動する方法を示す図である。Vr1=Vr+VrMおよびVr2=Vr+VrNである。４５は演算増幅器である。R1、R2、R3、R4は抵抗器およびC1、C2およびC3はキャパシタである。基準電圧回路は４５とキャパシタから構成される。
【０６９９】
図７７は共通線と共通端子の配置を示す模式図である。 
図７７（Ａ）は共通端子の配置および図７７（Ｂ）は共通線の模式図と共通線の符号を示す。  H1、H2、H3およびH4はそれぞれ３２の辺を示す。辺H1よびH2それぞれ２６および２５が配置され、H1の両端に共通端子29bおよび29が形成され、H2の両端に29および29cが形成される。
【０７００】
図７６および図７７の３２は一枚の導体の板であるが、H1、H2、H3およびH4で囲まれた面内に縦横に配線が走って網の目にような構成でもよい。３２がＭ型表示装置の２４に基準電圧が適正に加えることができる構造であればよい。２４は画素である。
【０７０１】
３２上の位置を(x,y)で表す。COM(0,0)、COM(M,0)およびCOM(0,N)はそれぞれ(0,0)、(M,0)および(0,N)に形成された共通端子を示す。29、29bおよび29cはそれぞれCOM(0,0)、COM(M,0)およびCOM(0,N)に対応する。
【０７０２】
RyはCOM(0,0)とCOM(0,N)間の電気抵抗およびRxはCOM(0,0)とCOM(M,0)間の電気抵抗を示す。V(M,N)は(0,0)と(M,N)との電圧差を示す。図７６は２２および２３が片端駆動される場合、２５が配置する３２のH2の両端に29および29cをおよび２６が配置する３２のH1の両端に共通端子29および29ｂを形成して、共通端子29、29bおよび29cに異なる基準電圧を加えるＭ型表示装置を示す図である。
【０７０３】
Vrを29、Vr1を29bおよびVr2を29cに加え、Vrを基準にしてVr1およびVr2を変化させ、３２の(M,N))近辺の電圧V(M,N)がVrにほぼ一致するようにする。V(M,N)がVrにほぼ一致するようにVr1およびVr2設定すると、２４に適正な駆動電圧が加わりＭ型表示装置の画質が向上する。
【０７０４】
29、29bおよび29cに異なる基準電圧を加える共通線の駆動方法を以下に説明する。図７８は共通線に抵抗がある電気信号線路の片端駆動を説明する図である。４６、４７および４８はそれぞれ電気信号線路、駆動回路および基準電圧回路である。VrおよびVoはそれぞれ基準電圧および駆動電圧である。
【０７０５】
Ro、RrはIo1はそれぞれ４７の出力抵抗、４８の出力抵抗および４７と４８の駆動電流である。４６はM組電気線路であり、端子ａと端子ｃ間を走査線２３および端子ｂと端子ｄ間を共通線３２とする電気信号線路の等価回路である。４６をＸ電気線路と呼ぶ。
【０７０６】
また、端子ａと端子ｃ間を２２および端子ｂと端子ｄ間を３２とするとき４６をＹ電気線路と呼ぶ。Reは２３あるいは２２の配線抵抗およびRuは３２の配線抵抗に相当する。４６の要素ＲはRe+Ruおよび要素ＣはCeである。４６の抵抗は(M+1)*(Re+Ru)およびキャパシタンスはM*Ceであるが、Ｍが数百以上あれば４６の抵抗をM*(Re+Ru)と見なすことができる。
【０７０７】
ＸおよびＹ電気線路の等価回路の構成は同じなので、端子ａと端子ｃ間を専用線および端子ｂと端子ｄ間を共用線とし、必要に応じて専用線を走査線あるいは信号線に置換することにする。共用線も同様である。図７８は走査線あるいは信号線および共通線の片端駆動を示す図である。
【０７０８】
図７８に示すように共通線３２に基準電圧Vrを加える場合、４６の駆動は４７と４８によって行われる。電気信号線路の波形は４７のみならず４８の影響を受ける。
【０７０９】
図７９は専用線片端駆動における共用線の駆動を説明する図である。図７９（Ａ）は一つの駆動回路による共用線両端駆動を説明する図および図７９（Ｂ）は二つの駆動回路による共用線両端駆動を説明する図である。
【０７１０】
４９および５０は基準電圧回路で４８とほぼ同様である。共用線両端駆動は、図６５あるいは図６６に示す専用線の両端駆動と同様に扱うことができる。図７９（Ａ）と図７９（Ｂ）の違いは４８が４９と５０を合わせた駆動能力を必要とすることである。
【０７１１】
図８０は電気信号線路の専用線および共用線の両端を駆動する図である。５１およびは専用線の駆動回路である。Rowは５１および５２の出力抵抗である。図８０は図７９の専用線を５１および５２でほぼ同じ時間で両端駆動する図である。専用線および共用線の両方の両端を駆動する方法は、図面は省略するが、図８０以外に図７９（Ａ）（１）の専用線を両端駆動する場合等がある。
【０７１２】
図７８、図７９および図８０に示す端子ａあるいは1,2,…M-1の位置と端子ｂと端子ｄ間の電圧は、R=M*(Re+Ru)およびC=M*ceとおくと（数１３）〜（数１６）から計算可能である。図７８に示すようにIo1とRuにより端子ｂと端子ｄ間に電位差(Vcd-Vce)が生じる。Rrが小さい場合にはVrはほぼVcdである。
【０７１３】
駆動電流とRuによる電圧降下を歪み電圧と呼ぶ。Ceの端子間電圧にこの歪み電圧が重畳する。歪み電圧が４６の波形に与える影響を知るには歪み電圧を計算する必要がある。歪み電圧の計算から図７８、図７９および図８０に示す相違を分かる。
【０７１４】
歪み電圧は（数２３）のIdvkから計算可能である。Idvkはxdで表される電気信号線路に流れる電流である。専用線および共用線の出力抵抗がほぼ０のとき、仮想駆動端は専用線および共用線の駆動端に位置する。
【０７１５】
δIxを要素電流としてCeに流れる電流をδIxと定める。専用線および共用線の出力抵抗を０とすれば、δIxは専用線の駆動端からｘ組あるいは長さｘの位置にあるCeに流れる電流になる。
【０７１６】
Ｍ組電気線路の駆動端からx+1組目の位置変数をxd(x+1)と表す。xd(x-1)のReに流れる電流をI(x+1)dvkと表す。δIxはI(x)dvk-I(x+1)dvkである。RuとδIxによる電圧降下をδVuとする。δVu=Ru*δIxである。δVuが歪み電圧である。
【０７１７】
図８１はRuによる歪み電圧を説明する図である。図８１は要素電流δIjとRuによるδVuを示す。端子ｂと端子ｄ間に生じる歪み電圧をVuとする。図７８のVuをVu1とするとVu1=Ru*Σ(j=1,M)δIjである。
【０７１８】
専用線と同様に共用線両端駆動の歪み電圧は共通線の仮想終端で最大になる。図７９（Ａ）において端子ｂおよび端子ｄを基準とする歪み電圧をVu2とする。図７９（Ｂ）および図８０において子ｂおよび端子ｄを基準とする歪み電圧をVu3とする。図８２は歪み電圧の計算を説明する図である。図８２（Ａ）はVu1および図８２（Ｂ）はVu2とVu3の計算を示す図である。
【０７１９】
【数３９】
2006244523.tif 000061
2006244523.tif 000062
【０７２０】
（数３９）は要素電流および歪み電圧の計算式である。（数３９）にVu1、Vu2およびVu3の計算式を示す。Vu1、Vu2およびVu3の詳細な説明は省略する。（数３９）は駆動回路および基準電圧回路の出力抵抗を０とした場合である。      
【０７２１】
（数３９）は出力抵抗が極端に大きくなければ出力抵抗が存在しても適用可能である。なお、Ruを共用線の要素Ｒとする。同様に専用線の要素ＲをReとする。
【０７２２】
図８３は共用線の歪み電圧の一例を示す図である。図８３（Ａ）は遅延時間td=0.8μsecおよび図８３（Ｂ）はtd=2μsecの場合の歪み電圧である。図８３の計算には（数３９）を用いた。計算では４６の抵抗、キャパシタンス、要素Ｒおよび組数をそれぞれR=5kΩ、C=700pF、Ru=5Ωおよび200とした。
【０７２３】
図８３の片端はVu1、Ｓ両端はVu2およびＷ両端はVu3である。図８３から示されるようにVu1>Vu2>Vu3で電気信号線路の専用線および共用線を共に両端駆動する場合に歪み電圧が格段に小さくなる。
【０７２４】
（数３４）〜（数３７）で説明したように専用線の両端駆動は片端駆動で十分な性能を発揮できないときにほぼ限定される。Ｍ型デバイスでは、共通線両端駆動と片端駆動とのコスト差が少なく、共通線の両端に共通端子を形成可能な場合に共通線両端駆動が採用される。図８３から専用線片端駆動の場合でも共用線両端駆動の効果は明らかである。
【０７２５】
（数３９）式よりM型デバイスの共通線３２の歪み電圧分布の概略を把握可能である。図８４は共通端子が一つである共通線の歪み電圧分布の一例を示す模式図である。図８４は図７６の共通端子をCOM(0,0)一つにした場合の歪み電圧分布の一例を示す図である。図８４は図７６のＸ電気線路駆動において共通線に生じる歪み電圧の分布の概略値である。
【０７２６】
図８４（Ａ）はH1およびH2の概略歪み電圧分布および図８４（Ｂ）は共通線３２の概略歪み電圧を示す図である。図８４では３２を基準にした歪み電圧分布である。
【０７２７】
29bがCOM(0,0)のみの場合に共通線３２の駆動は片端駆動になるために、H1およびH2の歪み電圧分布は図８３の  Vu1（片端と図示）に類似した曲線になると推測できる。f1(+)およびF2(+)はそれぞれH1およびH2に生じる歪み電圧の分布曲線である。
【０７２８】
H3およびH4の歪み電圧分布はf1(+)およびF2(+)に相似した曲線となることが推測されるの、Ve(0,N)とVe(M,0)を加算すると、図８４（Ｂ）に示す歪み電圧分布が推測される。(M,N)で歪み電圧が最大となることは（数３９）を用いなくとも明らかであるが、３２の歪み電圧分布を把握するには（数３９）が必要である。
【０７２９】
３２の共通端子が２以上の場合も図８４と同様にして推測歪み電圧分布を求めることができる。図８５は29、29aおよび29bの共通端子に同じ基準電圧を加えたときの概略の歪み電圧分布を示す模式図である。図８４と同様に図８５は２３により共通線に生じる歪み電圧の分布である。
【０７３０】
e1、e2、e3およびe4はH1、H2、H3およびH4の概略の歪み電圧曲線である。E(0,N/2)、E(M/2,0)およびE(M,N)は(0,N/2)、(M/2,0)および(M,N)の歪み電圧である。
【０７３１】
Vrは基準電圧である。電圧は３２を基準とする。V(+)sおよびV(-)sは図８５の平面がそれぞれV(+)sおよびV(-)sの電圧であることを示し平面は共通線３２に対して平行である。
【０７３２】
COM(0,0)とCOM(0,N)により辺H1の歪み電圧分布はVu2に相似した曲線およびCOM(0,0)とCOM(M,0)により辺H2の歪み電圧分布はVu2に相似した曲線になると推測される。
【０７３３】
一方、座標(M,N)には共通端子がないので片端駆動に近い駆動になり、H3およびH4の歪み電圧分布はVu3に相似した曲線になると。従って、(M,N)の歪み電圧E(M,N)が歪み電圧の最大値である。
【０７３４】
共通線に歪み電圧が生じると、２４の基準電圧が異なる。２４はVrを基準にして動作するのでM型デバイスが適正に駆動しなくなる。液晶表示装置では表示のムラ、画像のちらつきおよびクロストーク等の不具合が生じ画像品位が低下する。
【０７３５】
図８６は歪み電圧および歪み電圧と信号電圧との関係を説明する模式図である。図８６（Ａ）は駆動パルスと歪み電圧との関係を示す模式図および図８６（Ｂ）は信号電圧と歪み電圧との関係を示す模式図である。
【０７３６】
図８６（Ａ）に示すように駆動パルの立ち上がりと立ち下がりの時間で極性が反転した歪み電圧が発生する。ＴＨは駆動パルスの幅でほぼ１水平走査期間である。Ｍ型デバイスの走査線２３の駆動による歪み電圧は走査ごとに発生し時間と共に減衰すると共に共通線と走査線２３との位置により変わるが、歪み電圧の平均値を求めると大凡図８４あるいは図８５の歪み電圧になると推測できる。
【０７３７】
図８６（Ｂ）のE(M,N)およびE(x,y)は(M,N)および(x,y)の平均歪み電圧を表す。信号パルス（信号線駆動電圧を指す）は基準電圧を基準として２２から２４に加えられる。TＶは信号パルすの幅で１垂直走査時間に相当する。図８６（Ｂ）に示すように各２４に加えられる信号電圧は歪み電圧により変化する。よって、表示のムラ、画像のちらつきおよびクロストーク等の不具合が生じるのである。
【０７３８】
図８５に示すようにCOM(0,0)、COM(M,0)およびCOM(0,N)の同じ基準電圧を加えるとE(M,N)が歪み電圧の最大値になり、配線抵抗の増大により歪み電圧が大きくなるにつれて座標(M,N)近傍の構成要素が適正に動作しなくなる。
【０７３９】
すなわち、COM(0,0)、COM(M,0)およびCOM(0,N)に同じ基準電圧を加える共通線駆動法は(M,N)近傍の歪み電圧許容範囲が(0,0)、(M,0)あるいは(0,N)に比べて狭くなる。配線抵抗が大きくなるほど、すなわち、Ｍ型デバイスの外形寸法が大きくなるほど歪み電圧許容範囲が小さくなる。
【０７４０】
COM(M,0)にVr+VrMをCOM(0,N)にVr+VrNを加えるとE(M,N)を小さくなる。VrN>0>VrMである。図８７はCOM(0,0)、COM(M,0)およびCOM(0,N)に異なる電圧を加えたときの歪み電圧分布を示す図である。
【０７４１】
Er(M,N)はCOM(M,0)にVr+VrMをCOM(0,N)にVr+VrNを加えたときの(M,N)の歪み電圧である。COM(M,0)にVr+VrMおよびCOM(0,N)にVr+VrNを加えるために(M,0)および(0,N)近傍の２４はVrに対してそれぞれVrMおよびVrNの偏差が生じる。
【０７４２】
COM(0,0)、COM(M,0)およびCOM(0,N)にそれぞれに0V、VrMおよびVrNを加えたとき、(M,N)のV(M,N)はRxとRyで分割され、ほぼ(VrN-VrM)*Rx/(Rx+Ry)+VrMになる。
【０７４３】
VrMおよびVrNによりV(M,N)をほぼ0Vにすると、H3およびH4の歪み電圧分布は、共通線両端駆動の歪み電圧Vu2と類似した曲線になり(M,N)の歪み電圧Er(M,N)は図８５に示すE(M,N)より格段に小さくなる。
【０７４４】
V(M,N)がVrN>V(M,N)>VrMを満たすためにはVrN>Er(M,N)>VrMとする必要がある。図８５に示すようにEr(M,N)はE(M,N)より格段に小さいから、|VrN|あるいは|VrM|をE(M,N)より小さくなる。
【０７４５】
VrMおよびVrNはE(M,N)よりかなり小さい。図８３（A）からVu2/Vu1は約0.22である。このようにCOM(0,0)、COM(M,0)およびCOM(0,N)に異なる基準電圧を加える共通線の駆動は、COM(0,0)、COM(M,0)およびCOM(0,N)に同じ基準電圧を加える共通線の駆動に比べ、歪み電圧をかなり小さくすることが可能である
【０７４６】
すなわち、２９、２９ｂおよび２９ｃそれぞれにVr、Vr1およびVr2を加えて
Vrを基準としてVr1およびVr2を変化させ、共通線の駆動を両端駆動に近づけて歪み電圧を小さくすることができ、Ｍ型表示装置の画像の品位を高めることができるのである。
【０７４７】
図７６、図７７、図８４、図８５および図８７に示す図は共通端子の配置の模式図で実際には共通端子は２５および２６の駆動回路の両外側に配置される場合が多い。必ずCOM(0,0)、COM(M,0)およびCOM(0,N)に共通端子を配置しなくてもよい。
【０７４８】
図７６、図７７、図８４、図８５および図８７は駆動回路の両外側に配置される共通端子の一例である。共通端子が駆動回路の両外側に配置される場合にCOM(0,0)、COM(M,0)およびCOM(0,N)の近くになり、その効果はCOM(0,0)、COM(M,0)およびCOM(0,N)の配置した場合とほぼ同様である。
【０７４９】
２５および２６の駆動回路と２７ｂとの接続方法や駆動回路の構造によって２７、２７ｂおよび２７ｃの共通端子の配置を変えてもよいが、駆動回路の両外側の近辺に２７、２７ｂおよび２７ｃを配置する必要がある。
【０７５０】
図８８は走査線および信号線駆動を分類して示すＭ型デバイスの概略構成図である。図８８（A)および（B）に示すような両端駆動では駆動回路の両外側に共通端子を形成して共通線の両端駆動ができるために歪み電圧は小さくなる。
【０７５１】
16a、16b、26aおよび26bは走査線駆動回路で15a、15b、25aおよび25bは信号線駆動回路である。CTは共通端子と見なされる端子である。
【０７５２】
しかしながら、片端駆動の限界付近のM型デバイスでは、両端駆動を用いるより、歪み電圧を小さくして確実に適正動作する片端駆動を実現することが望ましい。そのような場合に、図７６に示す共通線の駆動方法は適する。
【０７５３】
図７６および図７７に基づくと、少なくとも３の共通端子を配置してそれぞれの共通端子に異なる電圧を加えることにより片端駆動の限界を高めて、コストパフォーマンスの高い歪み電圧が小さく適正動作する片端駆動のＭ型表示装置を実現できる。
【０７５４】
走査線あるいは信号線を両端駆動する場合に共通線の両端が駆動可能になる共通端子をM型デバイスに形成可能である。図８８（A）は信号線片端と走査線両端駆動、（B)）は信号線と走査線それぞれ両端駆動、（C)は走査線片端と信号線両端駆動のアクティブM型デバイスおよび（D）は信号線と走査線それぞれ両端駆動の受動Ｍ型デバイスの概略構成図を示す。
【０７５５】
Ｍ型表示デバイスは一般的に、走査線より信号線が短いのでＹ電気線路の時定数がＸ電気線路より小さいうえ走査線のような高速駆動を要求されないので、図８８（Ａ）が最も一般的なＭ型表示デバイスの両端駆動の構成である。
【０７５６】
受動Ｍ型デバイスには共通端子がない代わり、図６０に示すように走査線駆動回路の基準電圧を加える端子（基準電圧端子とする）が共通端子の役割を果たす。図８８（D）のCTは走査線駆動回路の基準電圧端子である。
【０７５７】
図８３に示すように、駆動回路の両外側に少なくとも共通端子を設けるのが歪み電圧を小さくする共通線の駆動法である。
【０７５８】
図８９は走査線あるいは信号線両端駆動時の歪み電圧分布の一例を示す図である。図８９（Ａ）は駆動回路が配置される辺の両端に共通端子を設けた場合の推測歪み電圧分布、図８９（Ｂ）は駆動回路が配置される辺の両端と走査線駆動回路が配置される辺のほぼ中央部に共通端子を設けたときの歪み電圧分布を示す図である。
【０７５９】
図８９は駆動回路が配置される辺の両端に共通端子が配置される模式図で、駆動回路の両外側に共通端子を配置する一例を示す図である。必ずしも、駆動回路が配置される辺の両端に共通端子を形成しなくとも、駆動回路の両外側の近辺に共通端子が形成されればよい。
【０７６０】
図８９（Ｃ）は駆動回路が配置される辺の両端と片端駆動の信号線駆動回路が配置される辺のほぼ中央部に共通端子を設けたときの推測歪み電圧分布および図８９（Ｄ）は共通線の４辺の両端とほぼ中央部に共通端子を設けたときの推測歪み電圧分布を示す図である。
【０７６１】
図８９に示すように歪み電圧を小さくする共通端子の配置は、駆動回路の両外側に共通端子を設け、その設けた共通端子のほぼ中央部に新たな共通端子を設け、さらに共通端子を設ける場合、新たな共通端子と共通端子間のほぼ中央部に共通端子を設けることである。
【０７６２】
駆動回路の両外側に共通端子を設けた後、その辺の共通端子間の中央部に共通端子が配置するように、必要に応じて順次共通端子を増やしていく方法が望ましい。
【０７６３】
両端駆動は片端駆動より高速で駆動電流のピークが片端駆動より大きくなる。高速駆動を行うのは仮想終端あるいは終端の波形歪みを小さくするためである。駆動端の波形歪みは仮想終端あるいは終端より小さいので、駆動電流のピークを小さくして、電子回路が安定動作するように必要最小限の速度で駆動をするのが望まれる。両端駆動では特に駆動電流のピークが大きくなる。
【０７６４】
図９０は駆動電流の一例を示す図である。IowおよびIoはそれぞれ（数２３）から計算される両端駆動および片端駆動の駆動電流である。IkおよびIkwはそれぞれ（数２７）から計算される両端駆動および片端駆動の駆動電流である。
【０７６５】
図９０（Ｂ）は 
図９０（Ａ）のCPで示す部分を拡大した図である。図９０から両端駆動時の駆動電流のピークが大きいことは明らかで、走査線あるいは信号線両端駆動をする場合に共通線駆動回路の応答特性を片端駆動より良くする必要があることが分かる。
【０７６６】
（数２３）は時間が小さくなるに従い発散し誤差が大になることおよび実際の駆動回路の応答時間がIowあるいはIoが大になる時間内に入ることは少ないこと等からIkおよびIkwが実用的である。
【０７６７】
図７６に示すように基準電圧回路は演算増幅器４５から構成される場合が多い。４５の周波数特性は駆動回路の周波数特性よりかなり悪いのが一般的である。両端駆動では演算増幅器４５に高速でピークの鋭い駆動電流が流れ込むために４５が不安定な動作をして適正な動作をしない不具合が生じる。
【０７６８】
図９１は演算増幅器の出力にピーク電流パス回路を挿入した図である。D1およびD2はダイオードである。図９１に示すように基準電圧回路（図９１では45で示す）の出力部にD1およびD2とキャパシタC4、C5およびC6からなる電流パス回路を加える。VD1およびVD2は電源である。
【０７６９】
出力端子に駆動電流によるスパイク状の電圧が生じた場合にD1からVD1あるいはVD2からD2に駆動電流がバイパスする。電気信号線路からピーク値が大きい高速の駆動電流が流れ込む場合にも、駆動電流のピーク値がVD1あるいはVD2にバイパスされ演算増幅器45は安定に動作しＭ型表示装置の性能を向上させる。
【０７７０】
さらに演算増幅器の出力と共通端子間にRstを挿入すると電気信号線路の駆動電流とRstとによる電圧降下が発生してVD1あるいはVD2にバイパスされ電流Ip+およびIp-が多くなる。D1およびD2により歪み電圧のピーク値はカットされるので歪み電圧は小さくなり基準電圧回路は安定に動作する。従って、45はより安定に動作してＭ型表示装置の画像品位を向上させる。
【０７７１】
図９１のピーク電流パス回路にはRstを挿入するのが好ましい。D1およびD2はショットキーバリヤーダイオード等の高速動作が可能なダイオードが好ましい。C4、C5およびC6に周波数特性の優れたキャパシタが望ましい。図９１は図７６および図７７のＭ型表示装置に限られることはなく、Ｍ型デバイスの基準電圧回路に適用可能である。
【０７７２】
Rstをピーク電流制限抵抗とする。VfdをD1およびD2の順方向電圧とする。
Vr、Vr1およびVr2の最大値をVr(mxax) 
および最小値をVr(rmin)とする。VD1はVr(mxax)＋Vfdより大にVD2はVr(rmin)-Vfdより小に設定する必要がある。
【０７７３】
Rstにより基準電圧回路に流れる駆動電流が制限され基準電圧回路は安定に動作して、Rstにより制限される駆動電流はD1およびD2によりバイバスされる。Rstを余り大きな値にすると波形歪みが大きくなるので、動作開始条件を満たす範囲において電気信号線路の抵抗の5%以下に設定することが望ましい。
【０７７４】
片端駆動では 
Rstに大きな値を設定できないが、（数３７）に示すように両端駆動では出力抵抗の設定範囲が大きいのでRstを電気信号線路の抵抗の10%程度まで設定可能である。図９１のピーク電流パス回路は片端駆動および両端駆動で効果が期待できる。ピーク電流パス回路はＭ型表示装置のみならずＭ型表示装置以外の電気信号線路の駆動に応用可能である。
【０７７５】
図９１の回路は片端駆動および両端駆動で効果が期待できる。専用線両端駆動では図７９（Ｂ）の共用線両端駆動が好ましい。図８０において共用線両端駆動をする場合に二つの基準電圧回路に流れるそれぞれ電流は一つの基準電圧回路で共用線両端駆動するときの半分である。
【０７７６】
図７９（Ｂ）の共用線両端駆動はそれぞれの基準電圧回路に流れる駆動電流が半減するので歪み電圧が小さくなりより安定に動作する。専用線駆動回路の両端駆動では共用線の両端子それぞれにほぼ同じ基準電圧回路を設けて共用線を両端駆動することが好ましい。M型表示装置を例にすれば一層高画質の画像が表示可能になる。
【０７７７】
両端駆動されるＭ型デバイスでは両端駆動回路の両外側に共通端子を配置し、一方の駆動回路の両外側の共通端子に基準電圧回路１の基準電圧を加え他方のの駆動回路の両外側の共通端子に基準電圧回路２の基準電圧を加えることが基準電圧回路１および２はほぼ同じ特性とすることが好ましい。基準電圧回路１および２の基準電圧はほぼ同じ値であることはいうまでもない。
【０７７８】
図８９（Ｂ）を例にすればCOM(0,0)、COMaおよびCOM(0,N)に基準電圧回路１の基準電圧をCOM(0M,0)、COMbおよびCOM(M,N)の基準電圧回路２の基準電圧を加えればよい。
【０７７９】
なお、走査線および信号線が共に両端駆動される場合、走査線の両端駆動を優先した共通配線の両端駆動が好ましい。図８９（Ｄ）は走査線および信号線が共に両端駆動される場合である。
【０７８０】
図８９（Ｄ）ではCOM(0,0)、COMaおよびCOM(0,N)に基準電圧回路１の基準電圧をCOM(0M,0)、COMbおよびCOM(M,N)の基準電圧回路２の基準電圧を加えて、COMcおよびCOMdは基準電圧回路１および２の少なくともいずれか一方の基準電圧を加えればよい。
【０７８１】
本発明のＭ型表示装置は、共通線を両端駆動に近い状態で駆動するために、走査線および信号線片端駆動の駆動を歪み電圧が小さくできることおよび走査線あるいは信号線の片端駆動可能なＭ型デバイスの外形寸法を大きくできることこと等の効果がある。
【０７８２】
電気信号線路の波形計算に基づく共通端子の配置決定法および共通端子の駆動方法は、Ｍ型表示デバイスのみならず電気信号線路に応用可能であり、電気信号線路の波形歪みを低減する効果が期待できる。並びに、電流パス回路はＭ型表示装置の性能を向上させる等の効果があるほか、Ｍ型表示装置以外の電気信号線路の駆動にも適用可能で同様の効果を期待できる。
【実施例１９】
【０７８３】
本発明の実施例１９の電気信号線路の測定方法について図面に基づいて以下に説明する。すでに説明した符号および用語等の説明は省略する。図９２は本発明の実施例１９を説明する図である。
【０７８４】
図９２は電気信号線路の切断周波数の測定を示す図である。10bは電気信号線路である。RxおよびCxはそれぞれ10bの抵抗およびキャパシタンスである。５３は周波数fおよび正弦波発振器でVs(f)=Vs*sin(ω*t)ある。f=2*π*ωでωは角周波数である。
【０７８５】
５４および５５は交流電圧計である。Vi(f)は５４の測定値およびVo(f)は交流電圧計５５の測定値である。正弦波発振器の出力抵抗はほぼ０とする。DC1は直流電圧で10bの動作を疑似する電圧で、例えばMデバイス走査線に直流電圧が加えられるような場合に、その直流電圧をDC1にすればよい。DC1はこのような所定の電圧であるが、必要なければ用いなくともよい。
【０７８６】
ａとｃは10bの専用線両端の端子およびｂとｃは10bの共用線の両端の端子。５４のfを変化させ、５４および５５で端子ａと端子ｂ間の電圧および端子ｃと端子ｄ間の電圧を測定するとVo(f)/Vi(f)を求めることができる。
【０７８７】
Vo(f)/Vi(f)がほぼ0.707になる５３の周波数を測定する。Vo(f)/Vi(f)がほぼ0.707になる周波数をfcxとする。fcxは10bの切断周波数である。（数１９）および（数２２）（１）からfcx=T(1)m/{2*π*αrx}およびαrx={Rx+T(1)*Ro}*Cxである。Roはほぼ０であるから、fcx=T(1)m/{2*π*α}でαｘ=Rx*Cxである。αｘは10bの時定数である。図９２に示す測定から10bの時定数が測定できる。T(1)mは（表５）の値を用いればよい。
【０７８８】
計測に用いられる正弦波発振器の出力抵抗は小さく通常数Ω以下である。従って、Ro≒0は容易に実現できる。測定した切断周波数fcxから電気信号線路の時定数を決定できる。
【０７８９】
専用線の抵抗をRacおよび共用線の抵抗をRbdとする。Racは端子ａと端子ｃ間の電気抵抗およびRbdは端子ｂと端子ｄ間の電気抵抗である。RacおよびRbdより電気信号線路の抵抗Rx=Rac+Rbdは求められる。従って、Rxおよびαｘから10bのキャパシタンスCx=αｘ/Rxが得られる。勿論、キャパシタンスCxが既知であるとき電気信号線路10bの抵抗Rx=αｘ/Cxが得られる。
【０７９０】
図９２の測定方法はＭ型デバイスの走査線あるいは信号線の切断周波数測定に応用可能である。図９３はＭ型デバイスの電気信号線路の切断周波数測定を説明する図である。
【０７９１】
１７は図５６（Ａ）に示すＭ型デバイスと同様で受動Ｍ型デバイスである。直流電圧源DCX2はDCX2を出力する。図９３はX番目のX電気線路の切断周波数の測定を示す図である。
【０７９２】
X電気線路は２３を専用線および５７を共用線とする電気信号線路である。５７は全ての１２の２８およびＸ番目の１３を除く２３の２８を接続する導線である。５７は共通線あるいは共通配線に相当する。図９３はＸ番目の１３と５７からなるX電気線路の切断周波数を測定する図である。
【０７９３】
５７を接地する。Ｘ番目の１３の２８と５７間に５４とDCX2と５３を直列接続して挿入する。Ｘ番目の１３の終端と共通線２８間に５５を挿入する。DCX2はM型デバイスの駆動を疑似するために使用される。DCX2は走査線１３の駆動電圧に相当する。M型デバイスの仕様に基づいてDCX2を定めることが望ましい。DCX2は必要なければ用いなくともよい。
【０７９４】
図９２と同様にして５３の周波数を変えてＸ電気線路の切断周波数を測定する。fcxはＸ電気線路の切断周波数である。fcxからＸ電気線路の時定数を求めることができる。
【０７９５】
Ｘ電気線路の共用線の抵抗は専用線、すなわち１３の抵抗に比べるとほぼ無視できるのでＸ電気線路の抵抗はほぼ走査線の抵抗と見なせる。Rx、Cxおよびαｘをそれぞれ走査線の抵抗、キャパシタンスおよびＸ電気線路の時定数とすると
Cx=αｘ/Rxである。走査線と共通線のキャパシタンスが求められる。
【０７９６】
図９４はアクティブＭ型デバイスのX電気線路の切断周波数測定を説明する図である。２７は図10b(A)に示すＭ型デバイスと同様で説明を略す。２７は共通電極を具備し、共通電極に加えられる動作基準電圧の基準として動作するので図９３に示す測定法と若干異なる。
【０７９７】
２９は２７に接続されている。全ての２２の２８を２９に接続する。図９４はＸ番目の２３と共通線からなるX電気線路の切断周波数を測定する図である。Ｘ番目の２３の２８と２９間に５４とDCX2と５３を直列接続して挿入する。Ｘ番目の２３の終端と２９間に５５を挿入する。 
【０７９８】
DCX1およびDCX2は、２３実駆動時の電圧以下とする。２３実駆動おいて、DCX1およびDCX2は２３に加えられる非選択電圧および選択線圧を疑似する。図９３と同様に５３の周波数を変えて切断周波数を測定するとX電気線路の時定数を求めることができる。
【０７９９】
図９５はM型デバイスのＹ電気線路の切断周波数測定を説明する図である。図９３および図９４と同様の方法でＹ電気線路の切断周波数測定が可能である。図９５（Ａ）は１７の１２および図９５（Ｂ）は２７の２２の切断周波数測定を説明する図である。
【０８００】
図９５は図９３および図９４とほぼ同様で詳細な説明は略する。図９５のDCY2はＭ型デバイスの信号線駆動で加えられる基準電圧を疑似する電圧でDC1とほぼ同じ値でよい。図９５（Ｂ）では全ての２３の２８にDX1（走査線非選択電圧）を加える。
【０８０１】
１２あるいは１３の抵抗が4kΩおよびキャパシタンスが50pFの場合、T(1)=(π/2)^２から電気信号線路の切断周波数は1.96MHzである。１２あるいは１３の抵抗が2kΩおよびキャパシタンスが400pFの場合、電気信号線路の切断周波数は491kHzである。１２あるいは１３の抵抗およびキャパシタンスが小さいと正弦波発振器の周波数は高くなる。
【０８０２】
図９３および図９５に示す測定法により、Ｍ型デバイスのＸあるいはＹ電気線路線の切断周波数を測定できる。信号線あるいは走査線に直流電圧 
DCX2およびDCY1を加えて測定するので実駆動に近い動作条件の切断周波数が測定可能である。なお、５３の振幅は数ボルトあればよく１４あるいは２４に適した電圧にVs(f)を調整すればさらによい。実駆動に近い動作条件が必要としない場合、直流電源を挿入しなくてもよいことはいうまでもない。
【０８０３】
なお、図面は略するが、測定する走査線あるいは信号線の駆動端と共通端子間に正弦波発振器と潮流電源とを直列に接続し挿入して、駆動端および終端電圧の測定から切断周波数を求める簡易な方法もあることを付け加えておく。その場合、測定対象外の走査線あるいは信号線はオープンにしてよい。この測定法は図９２と同じであるが、誤差が多くなる。
【０８０４】
M型デバイスに信号線および走査線駆動回路を接続した状態で信号線および走査線の切断周波数を測定することも可能である。図９６は駆動回路を接続したM型デバイスのＸ電気線路の切断周波数測定の一例を説明する図である。
【０８０５】
M型デバイスは２７である。Vx1およびVx2はそれぞれ走査線駆動回路２６の非選択電圧（オフ電圧ともいう）および選択電圧（オン電圧ともいう）が加えられる端子である。非選択電圧および選択電圧は駆動電源回路３０（図５６に図示）から加えられる。Vy1は２５の端子で駆動電圧が加えられる端子である。駆動電圧は３０から加えられる。
【０８０６】
５５をＸ番目の２３の終端と接地間に挿入する。Vx1にDCX1およびVx2にDCX2と５３を直列接続した電圧を加える。２５および２６を制御して全ての２２にDCY1、Ｘ番目の２３に直流電圧が重畳した正弦波電圧およびその他の２３にDCX1が出力する状態にする。
【０８０７】
５３の周波数を変えて、駆動端と終端の電圧からＸ電気線路のfcxを測定する。fcxはＸ電気線路の切断周波数である。これ以降は、図９２〜図９５と同様でfcxよりαｘが求められる。
【０８０８】
また、図９６の点線で示すように５４によりVx2と２９間の電圧を測定する。Vsは５４の測定値およびVo(f)は５５の測定値である。Vo(f)/Vsがほぼ0.707になる５４の周波数をfcx1として測定する。fcx1はＸ電気線路と走査線駆動回路とによる切断周波数である。
【０８０９】
αrxはＸ電気線路と走査線駆動回路とによる時定数である。αrx={Rx+T(1)*Rox}*CxおよびT(1)=(π/2)^2である。Roxは走査線駆動回路の出力抵抗である。
fcx1からαrxを求めることができる。αrxとαｘからRoxを求めることができる。
【０８１０】
図９２〜図９６に示す切断周波数の測定方法は、交流信号を利用するのでノイズに強く実駆動に近い状態で電気信号線路の切断周波数を測定することができること、走査線駆動回路の出力抵抗を求めることができることおよび比較的簡易な構成で電気信号線路の切断周波数を測定できること等の効果がある。
【実施例２０】
【０８１１】
本発明の実施例２０のM型表示装置の測定方法について図面に基づいて以下に説明する。すでに説明した符号および用語等の説明は省略する。図９７は本発明の実施例２０を説明する図である。
【０８１２】
図９７は走査線の仮想終端測定を説明する図である。２７は図５６（Ａ）に示すアクティブM型表示デバイスで２３は両端駆動される。26aおよび26bは走査線駆動回路である。Vgonは２３の選択電圧である。５６はVgonを出力する電源である。Vgonは26aおよび26bのVx2に加えられる。Vx2は26aおよび26bに選択電圧を加える端子である。
【０８１３】
選択電圧よりVgonを徐々に小さくしていくと２３の仮想終端電圧は動作開始条件あるいは動作停止条件を満たさなくなり仮想終端位置の画面に適正な画像表示がされなくなり、２７の画面に仮想終端位置が現れる。
【０８１４】
図９８は仮想終端の位置が画面に表示される様子を示す模式図である。５７はＭ型表示デバイスの画像が表示される画面である。５８は５７に現れる仮想終端である。ｘは５７に現れる仮想終端の２８からの長さを示す。
【０８１５】
５８は２３の各画素に加わる最小の電圧であるために、Vgonを小さくしていくと仮想終端近傍の５７は適正な画像表示がされなくなる。一方、５８近傍以外の５７は適正な画像表示がされるので５７で５８が識別される。26aおよび26bがほぼ同等の電気的特性を有するならば５８は画面の中央部近辺に現れる可能性が高い。
【０８１６】
図９８は模式図である。５８が図９８のように明瞭に表示されるとは限らない。むしろ、適正な画像表示と不適正な画像表示部の境界は中間調で表示されぼんやりとした表示になる場合もある。
【０８１７】
５８は仮想終端の位置を示す。２３方向で画面の端から５８までの長さｘがほぼ仮想終端に相当する。２３方向の５７の長さ幅をLxdvとする。ｘは２３の駆動端が配列する側の５７の端から５８までの長さである。
【０８１８】
ｘを計るとxdv=x/Lxvvよりxdvが計算できる。（数３２）〜（数３５）に測定したxdvを代入すると駆動回路の出力抵抗が計算できる。あるいは定電流値あるいはスルーレートのバラツキが計算できる。５７から文字通り一目で駆動回路のバラツキが分かる。Ｍ型表示デバイスの仮想終端の測定は困難であるので、図９７および図９８に示す測定方法は有用である。
【０８１９】
図９７および図９８に示す測定方法は、仮想終端を測定できること、画面上に仮想終端５７が目視されるので駆動回路のバラツキを画面上で、しかも実駆動の状態で把握できること等の効果があり、走査線あるいは信号線の駆動電源電圧を変えるだけで仮想終端が測定可能であるという特徴がある。
【実施例２１】
【０８２０】
本発明の実施例２１は本発明の電気信号線路の波形計算法を電子回路に適用した実施例を示す。本発明の実施例２１を図面に基づいて以下に説明する。すでに説明した符号および用語等の説明は省略する。
【０８２１】
図９９は電気信号線路の波形計算法を利用した制御回路の一例を説明する図である。図９９は２組電気線路の遅延時間を利用した電子回路の制御を示す図である。Rx、Ryは抵抗およびCx、Cyはキャパシタである。５９は２組電気線路の終端にRxを接続して回路でπ型２組回路とする。V1およびV2は５９の電圧である。
【０８２２】
６６は主回路、６４は第１従回路および６５は第２従回路である。６０は第１コンパレータで６１は第２コンパレータである。６２は第１SWで、第１従回路６４の電源をオン・オフする。６３は第２SWで６５の電源をオン・オフする。第１および第２SWはHi(1)でオンしLo(0)でオフする。
【０８２３】
ＳＷ１〜ＳＷ３は連動して６４および６５をオン・オフする連動スィッチでまとめてＳＷと略する。連動スィッチがオン（図９０に示す状態がオン））するとＳＷ２に電圧Voが印加されＳＷ３オフになる。
【０８２４】
６０および６１の信号はそれぞれV1およびV2である。（数７）および（表３）からV1およびV2の遅延時間を計算できる。６０および６１の基準電圧はそれぞれVref1およびVref2である。６０はV1≧Vref1でHiを出力しV1<Vref1でLoを出力する。６１も同様である。
【０８２５】
Vref1およびVref2を所定電圧にセットしてSWがオンすると、６６、６４続いて６５の順で電源が入り回路が動作する。ＳＷがオフするとＳＷ２が開放およびＳＷ３は接地電位になるので、６６、６５続いて６４の順で電源が切れ回路の動作が停止する。
【０８２６】
６６、６４および６５のＳＷがオンあるいはオフしてからの遅延時間をそれぞれM、S1およびS2とする。ＳＷのオン・オフによる電源シーケンスはオンではM<S1<S2とオフではM<S2<S1である。
【０８２７】
Ｖ１とＶ２のＳＷオン時の遅延時間をそれぞれti1よびti2、ＳＷオフ時の遅延時間をそれぞれte1よびte2、Vo=5Vでvref1=Vref2=2.5Vとする。ti1=te2=10msec、ti2=te1=21.5msecをほぼ満たすRx、Cx、RyおよびCyは（数７）および（表３）から、α=(Rx+Ry)*(Cx+Cy)として、α≒38.5msecを得る。RxおよびRyを48kΩにしてCxおよびCyを0.2μFとするとα≒38.5msecをほぼ満たすことができる。
【０８２８】
図９９の制御回路は、６４が高圧電源回路で６５は６４の高圧電源を制御あるいは利用する回路である場合などで使われる。
【０８２９】
図１００は２０組電気線路によるランプ点灯回路の示す図である。６７は２０組電気線路である。６８はコンパレータでRefは基準電圧入力端子である。Vrefは６８の基準電圧である。６８は６７の位置電圧V1〜V20を信号とし、Vrefより信号が大であるときHiを出力する。
【０８３０】
６９はアンドゲートの論理回路でGpは制御端子である。７０は発光ダイオード（ＬＥＤと略す）である。RcはLEDの電流を制限する抵抗である。７０は位置電圧 
V1〜V20がVrefより大で６９のGpがHiのとき点灯する。７１はパルス発生器（OSCと略す）、７２は分周器である。GpにはOSCの出力が加えられ、位置電圧がVrefより大になると７０は点滅する。
【０８３１】
７２は６７を両端駆動するので、６７のAおよびBに近い位置電圧に制御されるLEDから順に６７の中央部の位置電圧に制御されるLEDに向かって順に点灯していく。７２の出力がLoになると、Hiの場合とは逆にV1,V2,…V10およびV20,V19…V10の順にLEDが消灯していく。
【０８３２】
LEDの点灯時間は（数１５）あるいは（数１６）から計算可能である。図１０１は２０組電気線路の位置をパラメータにした時間電圧特性を示す図である。図１０２は２０組電気線路の位置に対する電圧特性および位置に対する遅延時間特性を示す図である。
【０８３３】
図１０１はV1、V2、V3、V4、V5、V6、V7およびV10の特性を示す図である。図１０２は６７の位置に対する電圧特性および遅延時間特性を示す図である。なお、Vo=5V、Ra=1MΩおよびCa=0.05μFで計算し、V1=V20、V2=V19、…、V9=V11である。図１０２ではxd=0.5が 
V10の位置電圧で、６７の片端駆動の特性を併記した。図１０１および図１０２から６７の遅延時間が分かる。
【０８３４】
６７のような多組の遅延回路は遅延時間の計算に手間がかかるので、回路の構成は比較的単純でも使用される機会が少ない。本発明の電気信号線路の波形計算法を用いると計算が容易である。６７は組数が２０と少ないので波形計算誤差は多少大きくなるが計算は易しい。
【０８３５】
図１００の回路は遅延時間あるいは位置電圧の精度をさほど必要としない電子回路、例えば、タイマー、電子砂時計あるいはランプを点滅させるイルミネーション等に応用可能である。図１０３は４組電気線路と４組ＣＲ回路による帯域通過フィルターの構成図である。帯域通過フィルターはバンド・パス・フィルターとも呼ばれる。７７および７９は演算増幅器である。７３および７４は４組電気線路である。７５および７６は４組CR回路である。７７、７８および７９は演算増幅器である。
【０８３６】
８０は４組電気線路と演算増幅器による低域通過フィルター（ＬＰＦと略す）、８１は４組ＣＲ回路による高域通過フィルター（ＨＰＦと略す）である。８２は８０と８１の出力を加算する加算回路である。７３、７４、７５および７６の回路は図１０４に示す。
【０８３７】
図１０４は４組電気線路と４組ＣＲ回路の構成図である。８３は７３および７４からなるＬＰＦであり、８４は７５および７６からなるＨＰＦである。RL=4*R(L)および 
CL=4*C(L)とおくと、７３および７４の切断周波数fcLは（数１９）よりfcL=τ(4)/{2*π*RL*CL}である。同様にRH=R(H)/4およびCH=C(H)/4とおくと７５および７６の切断周波数fcHは（数２２）よりfcH=1/{2*π*RH*CH*τ(4)}である。
【０８３８】
fcH=500HzおよびfcL=3kHzとする。RL*CL=1.01*10^-4secでR2*C2=1.66*10^-4sec
である。RL≒1010Ω、CL=0.1μF、RH≒1660ΩおよびCH=0.1μFでfcH≒500Hz
およびfcL≒3kHzになる。なお、τ(4)=1.9120とした。なお、R20=R22=10kΩ、
R21=R23=1.2kΩおよびR24=R25=R26=10kΩとした。
【０８３９】
図１０５は４組電気線路と４組ＣＲ回路の電圧周波数特性を示す図である。図１０５には１組電気線路と４組電気線路をそれぞれ１組ＬＰおよび４組ＬＰで１組ＣＲ回路と４組ＣＲ回路をそれぞれ１段ＨＰおよび４段ＨＰで示す。
【０８４０】
ｍ組電気線路およびｍ組ＣＲ回路では組数が大きくなると切断周波数の計算が複雑になるが、切断周波数は（数１９）および（数２２）から１組電気線路と同じ程度の簡易さで計算できるので、ｍ組電気線路およびｍ組ＣＲ回路をＨＰＦ、ＬＰＦあるいはＢＰＦとして手軽に活用できる。本発明の電気信号線路の波形計算法は交流回路にも活用できる。
【図面の簡単な説明】
【０８４１】
【図１】本発明の実施例１における電気信号線路の波形計算法を示す説明図
【図２】図１（Ａ）および（Ｂ）を電気的に等価な回路で表した図
【図３】（数６）および（数７）による電気信号線路の波形計算の一例を示す図
【図４】１組電気線路の終端電圧特性を示す図
【図５】本発明の実施例２における電気信号線路の波形計算法を示す図
【図６】m=n=1のときのV(2)k2およびV(2)k1と（数９）に対する誤差特性を示す図
【図７】本発明の実施例３における電気信号線路の波形計算法を説明する図
【図８】ｍ組電気線路とｍ１変換回路の終端電圧特性を示す図
【図９】２組電気線路よるｍ組電気線路を疑似する回路を示す図
【図１０】ｍ組電気線路を疑似できる２組電気線路およびｍ組電気線路の終端電圧の比較を示す図
【図１１】実施例４における電気信号線路の波形計算法を説明する図
【図１２】ｍ組電気線路の正弦波応答からT(1)を求める説明図
【図１３】１〜５組電気線路の周波数電圧特性を示す図
【図１４】（表４）に基づくT(1)m、A(1)mおよびはA(2)mの推測曲線の一例を示す図
【図１５】３０組電気線路の終端電圧とその誤差率を示す図
【図１６】３組電気線路により電気信号線路の終端電圧を疑似させたときの誤差率を示す図
【図１７】１，２、３、５、７、１０組電気線路および連続電気線路の終端電圧の時間電圧特性を示す図
【図１８】実施例５における電気信号線路の波形計算法を説明する図
【図１９】出力抵抗を含む２組電気線路の終端電圧を示す図
【図２０】Ro=300Ωおける（数９）に対する（数１３）の誤差特性を示す図
【図２１】（数１３）による連続電気線路の終端電圧を示す図
【図２２】（数１３）および（数１４）の説明図
【図２３】（数１４）による出力抵抗を含む２組電気線路のV1の計算結果を示す図
【図２４】（数１４）による出力抵抗を含む２組電気線路のV2を示す図
【図２５】位置変数xd=0.2、0.4、0.6および0.8について（数１４）とVxdから計算した波形を示す図
【図２６】実施例７における電気信号線路の波形計算法を示す図
【図２７】（数１６）によるxd=0.05〜0.1の位置電圧を示す図
【図２８】（数１６）によるxd=0.3〜1の位置電圧を示す図
【図２９】位置に対する電圧特性の一例を示す図
【図３０】（数１６）および従来の波形計算法２による位置の時間電圧特性を示す図
【図３１】（数１８）による位置に対する時間特性の一例を示す図
【図３２】本発明の実施例９の電気信号線路の波形計算法を説明する図
【図３３】微分型電気信号線の周波数電圧特性の一例を示す図
【図３４】組数に対する微分型と積分型電気信号線路の時間係数特性を示す図
【図３５】（数２１）による２〜30組ＣＲ回路の時間電圧特性を示す図
【図３６】積分型と微分型の１組、３組およびｍ値が大きい電気信号線路の時間電圧特性と周波数電圧特性を示す図
【図３７】実施例１０の波形解析を示す模式図
【図３８】駆動端および終端測定波形の一例を示す図
【図３９】VE波-VE(αｒ)およびVD波-VD(αｒ解,xd)を最小としたときの波形を示す図
【図４０】測定波形から誤差電圧を除いた波形解析結果を示す図
【図４１】誤差電圧の一例を示す図
【図４２】測定に用いた液晶パネルの概略構成図
【図４３】実施例１１の電気信号線路の波形解析法の説明図
【図４４】Roによる駆動端の波形歪みとときの駆動電流を示す図
【図４５】Ro/Rとdvとの換算グラフを示す図
【図４６】Vfoおよび位置電圧とが互いに接する場合あるいは互い重なり合う場合の一例を示す図
【図４７】αfo/αと駆動端の位置変数dvとの換算表を示す図
【図４８】（数２３）および（数２７）による駆動電流の一例を示す図
【図４９】位置の原点を駆動端および仮想駆動端にしたときの位置に対する電圧特性を示す図
【図５０】電気信号線路疑似回路を説明する図
【図５１】電気信号線路疑似回路の終端電圧の一例を示す図
【図５２】電気信号線路疑似回路の終端電圧の一例を示す図
【図５３】出力抵抗が０のときの電気信号線路疑似回路の終端電圧の一例を示す図
【図５４】出力抵抗があるときの電気信号線路疑似回路の駆動電流の一例を示す図
【図５５】動作開始条件を説明する図
【図５６】Ｍ型デバイスの概略構成図
【図５７】Ｍ型デバイスの走査線と共通線の模式図
【図５８】要素ＲがReおよび要素ＣがCeのM組電気線路を示す図
【図５９】１６の出力回路の構成の一例を示す図
【図６０】時間tで１６が１本の１３にVo1およびその他の１３にVo2を加えた図
【図６１】図５７を回路図で表した図
【図６２】共通線の抵抗を含めた走査線あるいは信号線を表す等価回路図
【図６３】Vo=Vcs*tによる電気信号線路の駆動を示す図
【図６４】（数３０）による計算結果の一例を示す図
【図６５】本発明の実施例１５を説明する図
【図６６】図６５の両端駆動を表す等価回路図
【図６７】仮想終端の位置で分離して駆動される電気信号線路示す図
【図６８】連続電気線路の両端駆動を説明する図
【図６９】長さＬの電気信号線路を仮想終端で分離して駆動される電気信号線路を示す図
【図７０】電気信号線路の片端および両端駆動特性を示す図
【図７１】両端駆動の位置に対する電圧特性を説明する図
【図７２】電気信号線路と仮想終端および仮想駆動端との関係を説明する図
【図７３】gA/ton、(xdv)^-2および(1-xdv)^-2 の計算値を示す図
【図７４】駆動回路の出力抵抗による仮想終端電圧の変化を説明する図
【図７５】実施例１７の電気信号線路の波形計算法およびＭ型デバイスの駆動方法を説明する図
【図７６】本発明の実施例１８を説明する図
【図７７】共通線と共通端子の配置を示す模式図
【図７８】共通線に抵抗がある電気信号線路の片端駆動を説明する図
【図７９】専用線片端駆動における共用線の駆動を説明する図
【図８０】電気信号線路の専用線および共用線の両端を駆動する図
【図８１】Ruによる歪み電圧を説明する図
【図８２】歪み電圧の計算を説明する図
【図８３】共用線の歪み電圧の一例を示す図
【図８４】図８４は図７６の共通端子をCOM(0,0)一つにした場合の歪み電圧分布の一例を示す図
【図８５】29、29aおよび29bの共通端子に同じ基準電圧を加えたときの概略の歪み電圧分布を示す模式図
【図８６】歪み電圧および歪み電圧と信号電圧との関係を説明する模式図
【図８７】COM(0,0)、COM(M,0)およびCOM(0,N)に異なる電圧を加えたときの歪み電圧分布を示す図
【図８８】走査線および信号線駆動を分類して示すＭ型デバイスの概略構成図
【図８９】走査線あるいは信号線両端駆動時の歪み電圧分布の一例を示す図
【図９０】駆動電流の一例を示す図
【図９１】演算増幅器の出力にピーク電流パス回路を挿入した図
【図９２】本発明の実施例１９を説明する図
【図９３】Ｍ型デバイスの電気信号線路の切断周波数測定を説明する図
【図９４】アクティブＭ型デバイスのX電気線路の切断周波数測定を説明する図
【図９５】M型デバイスのＹ電気線路の切断周波数測定を説明する図
【図９６】駆動回路を接続したM型デバイスのＸ電気線路の切断周波数測定の一例を説明する図
【図９７】本発明の実施例２０を説明する図
【図９８】仮想終端の位置が画面に表示される様子を示す模式図
【図９９】電気信号線路の波形計算法を利用した制御回路の一例を説明する図
【図１００】２０組電気線路によるランプ点灯回路の示す図
【図１０１】V1、V2、V3、V4、V5、V6、V7およびV10の特性を示す図
【図１０２】６７の位置に対する電圧特性および遅延時間特性を示す図
【図１０３】４組電気線路と４組ＣＲ回路による帯域通過フィルターの構成図
【図１０４】４組電気線路と４組ＣＲ回路の構成図
【図１０５】４組電気線路と４組ＣＲ回路の電圧周波数特性を示す図
【図１０６】Ｍ型デバイスの概略の構成図
【図１０７】Ｍ型デバイスの機能素子を説明する図
【図１０８】受動Ｍ型デバイスの駆動を説明する図
【図１０９】走査線と共通配線をはしご形回路で表した図
【図１１０】信号線と共通線をはしご形回路で表した図
【図１１１】アクティブM型デバイスの構成を説明する図
【図１１２】アクティブM型デバイスの走査線と共通線と表す等価回路の一例を示す図
【図１１３】波形歪みの一例を示す模式図
【図１１４】従来の波形歪み近似計算法を示す図
【図１１５】分布定数回路による波形歪み解析を説明する図
【図１１６】導線１および２の分布定数回路を示す図
【符号の説明】
【０８４２】
1、２  電源
３、６  専用線
４，７  共用線
５、８  電圧切替器
９  接地線
１０、１０ｂ  電気信号線路
１１  駆動回路  
１２  １７の信号線
１３  １７の走査線
１４  １７の機能素子
１５  １７の信号線駆動回路
１６  １７の走査線駆動回路
１７  受動Ｍ型デバイス
１８  電圧切替器
１９  片端駆動の駆動回路
２０  電気信号線路
２１  電気信号線路疑似回路
２２  ２７の信号線
２３  ２７の走査線
２４  ２７の機能素子
２５  ２７の信号線駆動回路
２６  ２７の走査線駆動回路
２７、２７ｂ  アクティブＭ型デバイス
２８  駆動端
２９、２９ａ、２９ｂ  共通端子
３０  駆動電源回路
３１  制御回路
３２  共通線
３３  電圧切替器
３４  駆動回路の出力回路
３５  ２６の出力回路
３６  Vcs*tを発生する電源
３７  駆動回路２
３８  駆動回路１
３９  信号線
４０  走査線  
４１  信号線の駆動端
４２  走査線の駆動端
４３  定電流駆動回路１
４４  定電流駆動回路２
４５  演算増幅器
４６  電気信号線路
４７  駆動回路
４８、４９，５０  基準電圧回路
16a、16b、26a、26b  走査線駆動回路
15a、15b、25a、25b  信号線駆動回路
５１、５２  駆動回路
５３  正弦波発振器
５４、５５  交流電圧計
５６  Vgonを出力する電源
５７  Ｍ型表示装置の画面
５８  ５７に現れる仮想終端
５９  π型２段回路
６０  第１コンパレータ
６１  第２コンパレータ
６２  第１SW
６３  第２SW
６４  第１従回路
６５  第２従回路
６６  主回路
６７  ２０組電気線路
６８  コンパレータ
６９  アンドゲートの論理回路
７０  発光ダイオード
７１  パルス発生器
７２  分周器
７７、７９は演算増幅器
７３、７４  ４組電気線路
７５、７６  ４組CR回路
７７、７８、７９  演算増幅器
８０  低域通過フィルター
８１  高域通過フィルター
８２  加算回路
８３  ＬＰＦ
８４  ＨＰＦ
８５  信号線
８６  走査線
８７  機能素子
８８  駆動端子
８９  信号線動回路
９０  走査線駆動回路
９１  終端
９２  共通端子
９３  Ｍ型デバイス
９４  共通線
９５  共通端子
９６  電界効果トランジスタ
９７  キャパシタ
９８  パルス電源
Ａ  Ｍ型デバイスの振幅係数
A(1)、A(2)  ｍが十分大きいときの振幅係数
A(1)m、A(2)m、…、A(x)m  振幅係数
α  電気信号線路の時定数
αｒ、αr1、αr2    駆動回路と電気信号線路の時定数
αfo  駆動回路の時定数
ａ、am、ax、aZ、ｃ、cm 
、cx、cZ  専用線の両端の端子
ｂ、bm、bx、bZ 
、ｄ、dm、dx、dZ  共用線の両端の端子
Ｃ、Cm、、Cx、Cw、CZ  電気信号線路のキャパシタンス
CE、CwE、CZE  キャパシタンス
C1p  キャパシタ
CT  共通端子あるいは共通端子と見なされる端子
DV  仮想駆動端から端子ａの組数
df、dr、dv  駆動端位置変数
D1、D2  ダイオード
DC1  直流電圧
E(te,k)  誤差電圧式
E(1)  対数関数１
E(2)  対数関数２
E(3)  対数関数３
EV  仮想終端の組の数
ｆ  周波数
fc  １組電気線路の切断周波数
fcl  電気信号線路の切断周波数
fdc  駆動回路の切断周波数
g1  係数
H1、H2、H3、H4  共通線の辺
hl(m)  ｍ組電気線路の抵抗係数
H(1)m、H(2)m、…、H(x)m  時間係数
Io  駆動電流
Ics、Ics1、Ics2  定電流
I(xd,t)  xdに流れる前記仮想専用線の電流
Ik  駆動端に流れる電流（駆動電流）
Idvk  xdで表される位置に流れる電流
I(xd,t) 
xdに流れる前記仮想専用線
I(t)m  駆動端に流れる電流
Ｌ  電気信号線路の長さ
ｌ  駆動端からの長さ
ｍ  組の数
Ｍ  信号線の本数
Ｎ  走査線の本数
q1、q2、q3…qx  q値
Ｒ、Rm、Rx、Rw、RZ  電気信号線路の抵抗
Rfo 
周波数成分抵抗
Ro、Ro1、Ro2  駆動回路の出力抵抗
RosM  片端駆動する駆動回路の最大出力抵抗
RowM  両端駆動する駆動回路の最大出力抵抗
Rox、Rox1、Rox2  走査線駆動回路の出力抵抗
Roy、Roy1、Roy2  信号線駆動回路の出力抵抗
RE、RwE、RZE  抵抗
Rip  抵抗 
SR、SR1、SR2  スルーレート
SW  スィッチ
SW1、SW2、SW3  連動スィッチ
Ｔ  Ｍ型デバイスの時間係数
ｔ  時間
td  遅延時間
t1、t2、…、tx  境界時間
tb、tm、tu  分割時間
tc  電気信号線路の切断時間
TH  駆動パルスの幅あるいは１水平走査期間
ton  動作開始時間
tonx  走査線の動作開始時間
tony  信号線の動作開始時間
toff  動作停止時間
toffx  走査線の動作停止時間
toffy  信号線の動作停止時間
TV  信号パルスの幅あるいは垂直走査時間
T(1)Z  時間係数
T(1)、T(2)  ｍが十分大きいときの時間係数
T(1)m、T(2)m、…、T(x)m  時間係数
Va、Vb、Vc、Vo  電圧あるいは電源
Vb、Vm、Vu  分割電圧
Vcs 
電圧係数
VD波  電気信号線路の駆動端の測定波形
VD(αr,xd)  電気信号線路の駆動端の計算式
VE(αr）電気信号線路の終端の計算式
VE波  電気信号線路の終端の測定波形
VE(αｒ)  電気信号線路の終端の計算式
Vd(f)、Vd(fdc)  駆動回路の出力電圧
Vdvk  仮想専用線の電圧
Vfo  指数関数電圧
Vfd  ダイオードの順方向電圧
Vgon  選択電圧
Von  動作開始線圧
Vonx  走査線の動作開始電圧
Vony  信号線の動作開始電圧
Voff  動作停止電圧
Voffx  走査線の動作停止電圧
Voffy  信号線の動作停止電圧
V(xd,t)  仮想専用線の電圧
V(df)、V(dr)、V(dv)  駆動端の電圧
V(f)1、V(f)2、V(f)m、V(f)d  正弦波応答でのｍ組電気線路の終端電圧
Vs(f)  正弦波発振器の電圧
V(1d)、V(d1)  ｍ１変換回路の終端電圧
Vk  ｍ組電送線の終端電圧近似式
Vlmt  限界一致電圧
Vo  電圧
V/Vo  入出力比あるいは電圧比
Vp  パルス電源
Vs  正弦波電源あるいは正弦波電圧の振幅
V(t)d、V(t)m  終端電圧
Vs(f)  正弦波電圧
Vref、Vr、Vr1、Vr2  基準電圧  基準電源
V(tc)  電気信号線路の切断電圧
V(xd,t)  仮想専用線の電圧
X  走査線
ｘ  整数
xd  位置変数
xde  駆動端の位置変数の解析値
xdv  仮想終端の位置変数
Ｙ  信号線
Z  組の数
(t1,Vu)、（t2,Vm)、(t3,Vb)  Vdvkの分割点
(tu,Vu)、(tm,Vm)、(tb,Vb)  V(xd,t)の分割点
(ton,Von)  動作開始条件
(toff,Voff)  動作停止条件
【図１】
2006244523.tif 000063
【図２】
2006244523.tif 000064
【図３】
2006244523.tif 000065
【図４】
2006244523.tif 000066
【図５】
2006244523.tif 000067
【図６】
2006244523.tif 000068
【図７】
2006244523.tif 000069
【図８】
2006244523.tif 000070
【図９】
2006244523.tif 000071
【図１０】
2006244523.tif 000072
【図１１】
2006244523.tif 000073
【図１２】
2006244523.tif 000074
【図１３】
2006244523.tif 000075
【図１４】
2006244523.tif 000076
【図１５】
2006244523.tif 000077
【図１６】
2006244523.tif 000078
【図１７】
2006244523.tif 000079
【図１８】
2006244523.tif 000080
【図１９】
2006244523.tif 000081
【図２０】
2006244523.tif 000082
【図２１】
2006244523.tif 000083
【図２２】
2006244523.tif 000084
【図２３】
2006244523.tif 000085
【図２４】
2006244523.tif 000086
【図２５】
2006244523.tif 000087
【図２６】
2006244523.tif 000088
【図２７】
2006244523.tif 000089
【図２８】
2006244523.tif 000090
【図２９】
2006244523.tif 000091
【図３０】
2006244523.tif 000092
【図３１】
2006244523.tif 000093
【図３２】
2006244523.tif 000094
【図３３】
2006244523.tif 000095
【図３４】
2006244523.tif 000096
【図３５】
2006244523.tif 000097
【図３６】
2006244523.tif 000098
【図３７】
2006244523.tif 000099
【図３８】
2006244523.tif 000100
【図３９】
2006244523.tif 000101
【図４０】
2006244523.tif 000102
【図４１】
2006244523.tif 000103
【図４２】
2006244523.tif 000104
【図４３】
2006244523.tif 000105
【図４４】
2006244523.tif 000106
【図４５】
2006244523.tif 000107
【図４６】
2006244523.tif 000108
【図４７】
2006244523.tif 000109
【図４８】
2006244523.tif 000110
【図４９】
2006244523.tif 000111
【図５０】
2006244523.tif 000112
【図５１】
2006244523.tif 000113
【図５２】
2006244523.tif 000114
【図５３】
2006244523.tif 000115
【図５４】
2006244523.tif 000116
【図５５】
2006244523.tif 000117
【図５６】
2006244523.tif 000118
【図５７】
2006244523.tif 000119
【図５８】
2006244523.tif 000120
【図５９】
2006244523.tif 000121
【図６０】
2006244523.tif 000122
【図６１】
2006244523.tif 000123
【図６２】
2006244523.tif 000124
【図６３】
2006244523.tif 000125
【図６４】
2006244523.tif 000126
【図６５】
2006244523.tif 000127
【図６６】
2006244523.tif 000128
【図６７】
2006244523.tif 000129
【図６８】
2006244523.tif 000130
【図６９】
2006244523.tif 000131
【図７０】
2006244523.tif 000132
【図７１】
2006244523.tif 000133
【図７２】
2006244523.tif 000134
【図７３】
2006244523.tif 000135
【図７４】
2006244523.tif 000136
【図７５】
2006244523.tif 000137
【図７６】
2006244523.tif 000138
【図７７】
2006244523.tif 000139
【図７８】
2006244523.tif 000140
【図７９】
2006244523.tif 000141
【図８０】
2006244523.tif 000142
【図８１】
2006244523.tif 000143
【図８２】
2006244523.tif 000144
【図８３】
2006244523.tif 000145
【図８４】
2006244523.tif 000146
【図８５】
2006244523.tif 000147
【図８６】
2006244523.tif 000148
【図８７】
2006244523.tif 000149
【図８８】
2006244523.tif 000150
【図８９】
2006244523.tif 000151
【図９０】
2006244523.tif 000152
【図９１】
2006244523.tif 000153
【図９２】
2006244523.tif 000154
【図９３】
2006244523.tif 000155
【図９４】
2006244523.tif 000156
【図９５】
2006244523.tif 000157
【図９６】
2006244523.tif 000158
【図９７】
2006244523.tif 000159
【図９８】
2006244523.tif 000160
【図９９】
2006244523.tif 000161
【図１００】
2006244523.tif 000162
【図１０１】
2006244523.tif 000163
【図１０２】
2006244523.tif 000164
【図１０３】
2006244523.tif 000165
【図１０４】
2006244523.tif 000166
【図１０５】
2006244523.tif 000167
【図１０６】
2006244523.tif 000168
【図１０７】
2006244523.tif 000169
【図１０８】
2006244523.tif 000170
【図１０９】
2006244523.tif 000171
【図１１０】
2006244523.tif 000172
【図１１１】
2006244523.tif 000173
【図１１２】
2006244523.tif 000174
【図１１３】
2006244523.tif 000175
【図１１４】
2006244523.tif 000176
【図１１５】
2006244523.tif 000177
【図１１６】
2006244523.tif 000178